(57)【要約】  本明細書は、無線通信システムにおけるアップリンク制御信号に対する復調参照信号を送信するための方法を提供する。具体的に、端末によって行われる方法は、長さ−６のシーケンスに基づいて、低いＰＡＰＲのシーケンスを生成する段階と、前記低いＰＡＰＲのシーケンスに基づいて前記アップリンクデータに対する復調参照信号に使用されるシーケンスを生成する段階と、前記復調参照信号に使用されるシーケンスに基づいて前記復調参照信号を前記基地局に送信する段階とを含み、前記長さ−６のシーケンスは、８−ＰＳＫシンボルをシーケンスの各エレメントとして有することを特徴とする。【選択図】図２１
2021516461.tif 000002
【特許請求の範囲】
【請求項１】
無線通信システムにおけるアップリンク制御信号に対する復調参照信号を送信するための方法において、
端末によって行われる方法は、
長さ−６のシーケンスに基づいて、低いＰＡＰＲ（peak to average power ratio）のシーケンスを生成する段階と、
前記低いＰＡＰＲのシーケンスに基づいて、前記復調参照信号に使用されるシーケンスを生成する段階と、
前記復調参照信号に使用されるシーケンスに基づいて、前記復調参照信号を前記基地局に送信する段階と、を含み、
前記長さ−６のシーケンスは、８−ＰＳＫ（Phase Shift Keying）シンボルをシーケンスの各エレメント（element）として有する、方法。
【請求項２】
前記長さ−６のシーケンスは、
2021516461.tif 000198
によって決定され、
前記
2021516461.tif 000199
は、前記長さ−６のシーケンスのエレメントのインデックスである、請求項１に記載の方法。
【請求項３】
前記
2021516461.tif 000200
の値は、（−１  −７  −３  −５  −１  ３）、（−７  ３  −７  ５  −７  −３）、（５  −７  ７  １  ５  １）、（−７  ３  １  ５  −１  ３）、（−７  −５  −１  −７  −５  ５）、（−７  １  −３  ３  ７  ５）、及び（−７  １  −３  １  ５  １）を含む、請求項２に記載の方法。
【請求項４】
前記
2021516461.tif 000201
に対してサイクリックシフトされた（cyclic shifted）シーケンスは、前記
2021516461.tif 000202
と同一のシーケンスである、請求項３に記載の方法。
【請求項５】
前記
2021516461.tif 000203
の値が有し得る数は
2021516461.tif 000204
である、請求項４に記載の方法。
【請求項６】
前記低いＰＡＰＲのシーケンスに対する自己相関（auto-correlation）の値は、特定の値未満である、請求項１に記載の方法。
【請求項７】
アップリンクに対するトランスフォームプリコーディング（transform precoding）がイネーブル（enable）されていることを示す制御情報を含むＲＲＣシグナリングを基地局から受信する段階をさらに含む、請求項３に記載の方法。
【請求項８】
前記低いＰＡＰＲのシーケンスにＦＤＳＳ（Frequency Domain Spectrum Shaping）フィルタを適用する段階をさらに含む、請求項１に記載の方法。
【請求項９】
前記低いＰＡＰＲのシーケンスは、２本のアンテナポートにＣｏｍｂ−２の形態でＦＤＭ（Frequency Division Multiplexing）される、請求項１に記載の方法。
【請求項１０】
前記２本のアンテナポートのそれぞれに互いに異なる低いＰＡＰＲのシーケンスが使用される、請求項９に記載の方法。
【請求項１１】
無線通信システムにおけるアップリンク制御信号に対する復調参照信号を送信するための端末において、
無線信号を送受信するための送受信機（tranceiver）と、
前記送受信機と機能的に連結されているプロセッサとを含み、
前記プロセッサは、
長さ−６のシーケンスに基づいて低いＰＡＰＲ（peak to average power ratio）のシーケンスを生成し、
前記低いＰＡＰＲのシーケンスに基づいて前記復調参照信号に使用されるシーケンスを生成し、
前記復調参照信号に使用されるシーケンスに基づいて前記復調参照信号を前記基地局に送信するように制御し、
前記長さ−６のシーケンスは、８−ＰＳＫ（Phase Shift Keying）シンボルをシーケンスの各エレメント（element）として有する、端末。
【請求項１２】
前記長さ−６のシーケンスは、
2021516461.tif 000205
によって決定され、
前記
2021516461.tif 000206
は、前記長さ−６のシーケンスのエレメントのインデックスである、請求項１１に記載の端末。
【請求項１３】
前記
2021516461.tif 000207
の値は、（−１  −７  −３  −５  −１  ３）、（−７  ３  −７  ５  −７  −３）、（５  −７  ７  １  ５  １）、（−７  ３  １  ５  −１  ３）、（−７  −５  −１  −７  −５  ５）、（−７  １  −３  ３  ７  ５）、及び（−７  １  −３  １  ５  １）を含む、請求項１２に記載の端末。
【請求項１４】
前記
2021516461.tif 000208
に対してサイクリックシフトされた（cyclic shifted）シーケンスは、前記
2021516461.tif 000209
と同一のシーケンスである、請求項１２に記載の端末。
【請求項１５】
前記プロセッサは、アップリンクに対するトランスフォームプリコーディング（transform precoding）がイネーブル（enable）されていることを示す制御情報を含むＲＲＣシグナリングを基地局から受信するように前記送受信機を制御する、請求項１１に記載の端末。
【請求項１６】
１つ以上のメモリと、前記１つ以上のメモリと機能的に連結されている１つ以上のプロセッサとを含む装置において、
前記１つ以上のプロセッサは、前記装置が、
長さ−６のシーケンスに基づいて低いＰＡＰＲ（peak to average power ratio）のシーケンスを生成し、
前記低いＰＡＰＲのシーケンスに基づいて前記復調参照信号に使用されるシーケンスを生成し、
前記復調参照信号に使用されるシーケンスに基づいて前記復調参照信号を前記基地局に送信し、
前記長さ−６のシーケンスは、８−ＰＳＫ（Phase Shift Keying）シンボルをシーケンスの各エレメント（element）として有する、装置。
【請求項１７】
１つ以上のコマンドを保存する１つ以上の非一時的（non-transitory）コンピュータ読取可能媒体において、
１つ以上のプロセッサによって実行可能な１つ以上のコマンドは、端末が、
長さ−６のシーケンスに基づいて低いＰＡＰＲ（peak to average power ratio）のシーケンスを生成し、
前記低いＰＡＰＲのシーケンスに基づいて前記復調参照信号に使用されるシーケンスを生成し、
前記復調参照信号に使用されるシーケンスに基づいて前記復調参照信号を前記基地局に送信し、
前記長さ−６のシーケンスは、８−ＰＳＫ（Phase Shift Keying）シンボルをシーケンスの各エレメント（element）として有する、非一時的（non-transitory）コンピュータ読取可能媒体。
【発明の詳細な説明】
【技術分野】
【０００１】
本発明は、無線通信システムに関し、より詳細にアップリンク制御信号に対する復調参照信号を送信するための方法、及びこれを支援する装置に関する。
【背景技術】
【０００２】
移動通信システムは、ユーザの活動性を保証しつつ、音声サービスを提供するために開発された。しかし、移動通信システムは、音声だけでなく、データサービスまで領域を拡張し、現在は爆発的なトラフィックの増加により、リソースの不足現象が引き起こされ、ユーザがより高速のサービスを要求するため、より発展した移動通信システムが求められている。
【０００３】
次世代移動通信システムの要求条件は、大きく爆発的なデータトラフィックの収容、ユーザ当たり転送率の画期的な増加、大幅に増加した接続デバイス数の収容、非常に低いエンドツーエンド遅延（Ｅｎｄ−ｔｏ−Ｅｎｄ  Ｌａｔｅｎｃｙ）、高エネルギー効率を支援できなければならない。このために、デュアルコネクティビティ（Ｄｕａｌ  Ｃｏｎｎｅｃｔｉｖｉｔｙ）、大規模複数入出力（Ｍａｓｓｉｖｅ  ＭＩＭＯ：Ｍａｓｓｉｖｅ  Ｍｕｌｔｉｐｌｅ  Ｉｎｐｕｔ  Ｍｕｌｔｉｐｌｅ  Ｏｕｔｐｕｔ）、全二重（Ｉｎ−ｂａｎｄ  Ｆｕｌｌ  Ｄｕｐｌｅｘ）、非直交多元接続（ＮＯＭＡ：Ｎｏｎ−Ｏｒｔｈｏｇｏｎａｌ  Ｍｕｌｔｉｐｌｅ  Ａｃｃｅｓｓ）、超広帯域（Ｓｕｐｅｒ  ｗｉｄｅｂａｎｄ）支援、端末ネットワーキング（Ｄｅｖｉｃｅ  Ｎｅｔｗｏｒｋｉｎｇ）等、多様な技術が研究されている。
【発明の概要】
【発明が解決しようとする課題】
【０００４】
本明細書は、低いＰＡＰＲのシーケンスを利用してアップリンク制御信号に対する復調参照信号を送信するための方法を提供することに目的がある。
【０００５】
本発明で解決しようとする技術的課題は、以上で言及した技術的課題に制限されず、言及しないまた別の技術的課題は、以下の記載から本発明が属する技術分野で通常の知識を有する者に明確に理解されるべきである。
【課題を解決するための手段】
【０００６】
本明細書は、無線通信システムにおけるアップリンク制御信号に対する復調参照信号を送信するための方法において、端末によって行われる方法は、長さ−６のシーケンスに基づいて、低いＰＡＰＲ（ｐｅａｋ  ｔｏ  ａｖｅｒａｇｅ  ｐｏｗｅｒ  ｒａｔｉｏ）のシーケンスを生成する段階と、前記低いＰＡＰＲのシーケンスに基づいて、前記復調参照信号に使用されるシーケンスを生成する段階と、前記復調参照信号に使用されるシーケンスに基づいて、前記復調参照信号を前記基地局に送信する段階とを含み、前記長さ−６のシーケンスは、８−ＰＳＫ（Ｐｈａｓｅ  Ｓｈｉｆｔ  Ｋｅｙｉｎｇ）シンボルをシーケンスの各エレメント（ｅｌｅｍｅｎｔ）として有することを特徴とする。
【０００７】
また、本明細書で、前記長さ−６のシーケンスは、
2021516461.tif 000003
によって決定され、前記
2021516461.tif 000004
は、前記長さ−６のシーケンスのエレメントのインデックスであることを特徴とする。
【０００８】
また、本明細書で、前記
2021516461.tif 000005
の値は、（−１  −７  −３  −５  −１  ３）、（−７  ３  −７  ５  −７  −３）、（５  −７  ７  １  ５  １）、（−７  ３  １  ５  −１  ３）、（−７  −５  −１  −７  −５  ５）、（−７  １  −３  ３  ７  ５）、及び（−７  １  −３  １  ５  １）を含むことを特徴とする。
【０００９】
また、本明細書で、前記
2021516461.tif 000006
に対してサイクリックシフトされた（ｃｙｃｌｉｃ  ｓｈｉｆｔｅｄ）シーケンスは、前記
2021516461.tif 000007
と同一のシーケンスであることを特徴とする。
【００１０】
また、本明細書で、前記
2021516461.tif 000008
の値が有し得る数は
2021516461.tif 000009
であることを特徴とする。
【００１１】
また、本明細書で、前記低いＰＡＰＲのシーケンスに対する自己相関（ａｕｔｏ−ｃｏｒｒｅｌａｔｉｏｎ）の値は、特定の値未満であることを特徴とする。
【００１２】
また、本明細書で、前記方法は、アップリンクに対するトランスフォームプリコーディング（ｔｒａｎｓｆｏｒｍ  ｐｒｅｃｏｄｉｎｇ）がイネーブル（ｅｎａｂｌｅ）されていることを示す制御情報を含むＲＲＣシグナリングを基地局から受信する段階をさらに含むことを特徴とする。
【００１３】
また、本明細書で、前記方法は、前記低いＰＡＰＲのシーケンスにＦＤＳＳ（Ｆｒｅｑｕｅｎｃｙ  Ｄｏｍａｉｎ  Ｓｐｅｃｔｒｕｍ  Ｓｈａｐｉｎｇ）フィルタを適用する段階をさらに含むことを特徴とする。
【００１４】
また、本明細書で、前記低いＰＡＰＲのシーケンスは、２本のアンテナポートにＣｏｍｂ−２の形態でＦＤＭ（Ｆｒｅｑｕｅｎｃｙ  Ｄｉｖｉｓｉｏｎ  Ｍｕｌｔｉｐｌｅｘｉｎｇ）されることを特徴とする。
【００１５】
また、本明細書で、前記２本のアンテナポートのそれぞれに互いに異なる低いＰＡＰＲのシーケンスが使用されることを特徴とする。
【００１６】
また、本明細書は、無線通信システムにおけるアップリンク制御信号に対する復調参照信号を送信するための端末において、無線信号を送受信するための送受信機（ｔｒａｎｃｅｉｖｅｒ）と、前記送受信機と機能的に連結されているプロセッサとを含み、前記プロセッサは、長さ−６のシーケンスに基づいて低いＰＡＰＲ（ｐｅａｋ  ｔｏ  ａｖｅｒａｇｅ  ｐｏｗｅｒ  ｒａｔｉｏ）のシーケンスを生成し、前記低いＰＡＰＲのシーケンスに基づいて前記復調参照信号に使用されるシーケンスを生成し、及び前記復調参照信号に使用されるシーケンスに基づいて前記復調参照信号を前記基地局に送信するように制御し、前記長さ−６のシーケンスは、８−ＰＳＫ（Ｐｈａｓｅ  Ｓｈｉｆｔ  Ｋｅｙｉｎｇ）シンボルをシーケンスの各エレメント（ｅｌｅｍｅｎｔ）として有することを特徴とする。
【００１７】
また、本明細書は、１つ以上のメモリと、前記１つ以上のメモリと機能的に連結されている１つ以上のプロセッサとを含む装置において、前記１つ以上のプロセッサは、前記装置が、長さ−６のシーケンスに基づいて低いＰＡＰＲ（ｐｅａｋ  ｔｏ  ａｖｅｒａｇｅ  ｐｏｗｅｒ  ｒａｔｉｏ）のシーケンスを生成し、前記低いＰＡＰＲシーケンスに基づいて前記復調参照信号に使用されるシーケンスを生成し、及び前記復調参照信号に使用されるシーケンスに基づいて前記復調参照信号を前記基地局に送信し、前記長さ−６のシーケンスは、８−ＰＳＫ（Ｐｈａｓｅ  Ｓｈｉｆｔ  Ｋｅｙｉｎｇ）シンボルをシーケンスの各エレメント（ｅｌｅｍｅｎｔ）として有することを特徴とする。
【００１８】
また、本明細書は、１つ以上のコマンドを保存する１つ以上の非一時的（ｎｏｎ−ｔｒａｎｓｉｔｏｒｙ）コンピュータ読取可能媒体において、１つ以上のプロセッサによって実行可能な１つ以上のコマンドは、端末が、長さ−６のシーケンスに基づいて低いＰＡＰＲ（ｐｅａｋ  ｔｏ  ａｖｅｒａｇｅ  ｐｏｗｅｒ  ｒａｔｉｏ）のシーケンスを生成し、前記低いＰＡＰＲシーケンスに基づいて前記復調参照信号に使用されるシーケンスを生成し、及び前記復調参照信号に使用されるシーケンスに基づいて前記復調参照信号を前記基地局に送信し、前記長さ−６のシーケンスは、８−ＰＳＫ（Ｐｈａｓｅ  Ｓｈｉｆｔ  Ｋｅｙｉｎｇ）シンボルをシーケンスの各エレメント（ｅｌｅｍｅｎｔ）として有することを特徴とする。
【発明の効果】
【００１９】
本明細書は、Ｍ−ＰＳＫ及び／又はＭ−ＱＡＭシンボル等で構成されたシーケンスを利用することによって、ＰＡＰＲの性能を高めることができるという効果がある。
【００２０】
本発明で得られる効果は、以上で言及した効果に制限されず、言及していないまた別の効果は、下記の記載から本発明が属する技術分野で通常の知識を有する者にとって明確に理解されるべきである。
【図面の簡単な説明】
【００２１】
本発明に関する理解を助けるために詳細な説明の一部に含まれる、添付図は、本発明に対する実施例を提供し、詳細な説明と共に本発明の技術的特徴を説明する。
【００２２】
【図１】ＮＲシステム構造の一例を示す図である。
【図２】ＮＲにおけるフレーム構造の一例を示す図である。
【図３】ＮＲにおけるリソースグリッド（ｒｅｓｏｕｒｃｅ  ｇｒｉｄ）の一例を示す。
【図４】ＮＲにおける物理リソースブロックの一例を示す図である。
【図５】３ＧＰＰの信号送受信方法の一例を示す図である。
【図６】本明細書で提案する方法が適用できる無線通信システムのブロック構成図を例示する。
【図７】ＳＳＢの構造を例示する。
【図８】ＳＳＢの送信を例示する。
【図９】端末がＤＬの時間同期に関する情報を獲得することを例示する。
【図１０】システム情報（ＳＩ）の獲得過程を例示する。
【図１１】実際に送信されるＳＳＢ（ＳＳＢ＿ｔｘ）を知らせる方法を例示する。
【図１２】ＤＲＸのサイクルを例示する。
【図１３】ＦＤＳＳフィルタを使用する場合と、ＦＤＳＳフィルタを使用しない場合に対する多くのシーケンスのＰＡＰＲの性能を示す図である。
【図１４】ＤＦＴ−ｓ−ＯＦＤＭベースのシステムに対するシステムモデル及び／又は手続の一例を示す。
【図１５】本明細書で提案する方法１のフローチャートを示す図である。
【図１６】各シーケンスのエレメントが８−ＰＳＫシンボルで構成された長さ−６のシーケンスの提案するセットに対するＰＡＰＲの性能を示す。
【図１７】本明細書で提案する各シーケンスのエレメントが８−ＰＳＫシンボルで構成された長さ−６のシーケンスの提案されたセットに対するＰＡＰＲの性能を示す。
【図１８】本明細書で提案する各シーケンスのエレメントが８−ＰＳＫシンボルで構成された長さ−６のシーケンスの提案されたセットに対するＰＡＰＲの性能を示す。
【図１９】本明細書で提案するＦＤＳＳフィルタを適応的に適用するための一例を示す。
【図２０】本明細書で提案する各シーケンスのエレメントが８−ＰＳＫシンボルで構成された長さ−６のシーケンスの提案されたセットに対するＰＡＰＲの性能を示す。
【図２１】本明細書で提案する低いＰＡＰＲのシーケンスを生成する方法の一例を示すフローチャートである。
【図２２】本発明に適用される通信システムを例示する。
【図２３】本発明に適用されることができる無線機器を例示する。
【図２４】本発明に適用される信号処理回路を例示する。
【図２５】本発明に適用される無線機器の別の例を示す。
【図２６】本発明に適用される携帯機器を例示する。
【発明を実施するための形態】
【００２３】
以下で、ダウンリンク（ＤＬ：ｄｏｗｎｌｉｎｋ）は基地局から端末への通信を意味し、アップリンク（ＵＬ：ｕｐｌｉｎｋ）は端末から基地局への通信を意味する。ダウンリンクで、送信機は基地局の一部であり、受信機は端末の一部であり得る。アップリンクで、送信機は端末の一部であり、受信機は基地局の一部であり得る。基地局は第１通信装置で、端末は第２通信装置で表現されてもよい。基地局（ＢＳ：Ｂａｓｅ  Ｓｔａｔｉｏｎ）は固定局（ｆｉｘｅｄ  ｓｔａｔｉｏｎ）、Ｎｏｄｅ  Ｂ、ｅＮＢ（ｅｖｏｌｖｅｄ−ＮｏｄｅＢ）、ｇＮＢ（Ｎｅｘｔ  Ｇｅｎｅｒａｔｉｏｎ  ＮｏｄｅＢ）、ＢＴＳ（ｂａｓｅ  ｔｒａｎｓｃｅｉｖｅｒ  ｓｙｓｔｅｍ）、アクセスポイント（ＡＰ：Ａｃｃｅｓｓ  Ｐｏｉｎｔ）、ネットワーク（５Ｇネットワーク）、ＡＩシステム、ＲＳＵ（ｒｏａｄ  ｓｉｄｅ  ｕｎｉｔ）、ロボット等の用語によって代替され得る。また、端末（Ｔｅｒｍｉｎａｌ）は、固定されるか、または移動性を有することができ、ＵＥ（Ｕｓｅｒ  Ｅｑｕｉｐｍｅｎｔ）、ＭＳ（Ｍｏｂｉｌｅ  Ｓｔａｔｉｏｎ）、ＵＴ（ｕｓｅｒ  ｔｅｒｍｉｎａｌ）、ＭＳＳ（Ｍｏｂｉｌｅ  Ｓｕｂｓｃｒｉｂｅｒ  Ｓｔａｔｉｏｎ）、ＳＳ（Ｓｕｂｓｃｒｉｂｅｒ  Ｓｔａｔｉｏｎ）、ＡＭＳ（Ａｄｖａｎｃｅｄ  Ｍｏｂｉｌｅ  Ｓｔａｔｉｏｎ）、ＷＴ（Ｗｉｒｅｌｅｓｓ  ｔｅｒｍｉｎａｌ）、ＭＴＣ（Ｍａｃｈｉｎｅ−Ｔｙｐｅ  Ｃｏｍｍｕｎｉｃａｔｉｏｎ）装置、Ｍ２Ｍ（Ｍａｃｈｉｎｅ−ｔｏ−Ｍａｃｈｉｎｅ）装置、Ｄ２Ｄ（Ｄｅｖｉｃｅ−ｔｏ−Ｄｅｖｉｃｅ）装置、車両（ｖｅｈｉｃｌｅ）、ロボット（ｒｏｂｏｔ）、ＡＩモジュール等の用語に代替され得る。
【００２４】
以下の技術は、ＣＤＭＡ、ＦＤＭＡ、ＴＤＭＡ、ＯＦＤＭＡ、ＳＣ−ＦＤＭＡ等のような様々な無線アクセスシステムに使用されることができる。ＣＤＭＡは、ＵＴＲＡ（Ｕｎｉｖｅｒｓａｌ  Ｔｅｒｒｅｓｔｒｉａｌ  Ｒａｄｉｏ  Ａｃｃｅｓｓ）やＣＤＭＡ２０００のような無線技術で実現されることができる。ＴＤＭＡは、ＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎｓ）／ＧＰＲＳ（Ｇｅｎｅｒａｌ  Ｐａｃｋｅｔ  Ｒａｄｉｏ  Ｓｅｒｖｉｃｅ）／ＥＤＧＥ（Ｅｎｈａｎｃｅｄ  Ｄａｔａ  Ｒａｔｅｓ  ｆｏｒ  ＧＳＭ  Ｅｖｏｌｕｔｉｏｎ）のような無線技術で実現されることができる。ＯＦＤＭＡは、ＩＥＥＥ  ８０２．１１（Ｗｉ−Ｆｉ）、ＩＥＥＥ  ８０２．１６（ＷｉＭＡＸ）、ＩＥＥＥ  ８０２−２０、Ｅ−ＵＴＲＡ（Ｅｖｏｌｖｅｄ  ＵＴＲＡ）等のような無線技術で実現されることができる。ＵＴＲＡは、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）の一部である。３ＧＰＰ（３ｒｄ  Ｇｅｎｅｒａｔｉｏｎ  Ｐａｒｔｎｅｒｓｈｉｐ  Ｐｒｏｊｅｃｔ）  ＬＴＥ（Ｌｏｎｇ  Ｔｅｒｍ  Ｅｖｏｌｕｔｉｏｎ）は、Ｅ−ＵＴＲＡを使用するＥ−ＵＭＴＳ（Ｅｖｏｌｖｅｄ  ＵＭＴＳ）の一部であり、ＬＴＥ−Ａ（Ａｄｖａｎｃｅｄ）／ＬＴＥ−Ａ  ｐｒｏは、３ＧＰＰ  ＬＴＥの進化したバージョンである。３ＧＰＰ  ＮＲ（Ｎｅｗ  Ｒａｄｉｏ  ｏｒ  Ｎｅｗ  Ｒａｄｉｏ  Ａｃｃｅｓｓ  Ｔｅｃｈｎｏｌｏｇｙ）は、３ＧＰＰ  ＬＴＥ／ＬＴＥ−Ａ／ＬＴＥ−Ａ  ｐｒｏの進化したバージョンである。
【００２５】
説明を明確にするために、３ＧＰＰの通信システム（例：ＬＴＥ−Ａ、ＮＲ）に基づいて説明するが、本発明の技術的思想がこれに制限されるわけではない。ＬＴＥは、３ＧＰＰ  ＴＳ  ３６．ｘｘｘ  Ｒｅｌｅａｓｅ  ８以降の技術を意味する。細部的に、３ＧＰＰ  ＴＳ  ３６．ｘｘｘ  Ｒｅｌｅａｓｅ  １０以降のＬＴＥ技術はＬＴＥ−Ａと称され、３ＧＰＰ  ＴＳ  ３６．ｘｘｘ  Ｒｅｌｅａｓｅ  １３以降のＬＴＥ技術はＬＴＥ−Ａ  ｐｒｏと称される。３ＧＰＰ  ＮＲは、ＴＳ  ３８．ｘｘｘ  Ｒｅｌｅａｓｅ  １５以降の技術を意味する。ＬＴＥ／ＮＲは、３ＧＰＰシステムと称される。「ｘｘｘ」は、標準文書の細部番号を意味する。ＬＴＥ／ＮＲは、３ＧＰＰシステムと称されることができる。本発明の説明に使用された背景技術、用語、略語等に関しては、本発明以前に公開された標準文書に記載の事項を参照することができる。例えば、次の文書を参照することができる。
【００２６】
３ＧＰＰ  ＬＴＥ
【００２７】
−  ３６．２１１：Ｐｈｙｓｉｃａｌ  ｃｈａｎｎｅｌｓ  ａｎｄ  ｍｏｄｕｌａｔｉｏｎ
【００２８】
−  ３６．２１２：Ｍｕｌｔｉｐｌｅｘｉｎｇ  ａｎｄ  ｃｈａｎｎｅｌ  ｃｏｄｉｎｇ
【００２９】
−  ３６．２１３：Ｐｈｙｓｉｃａｌ  ｌａｙｅｒ  ｐｒｏｃｅｄｕｒｅｓ
【００３０】
−  ３６．３００：Ｏｖｅｒａｌｌ  ｄｅｓｃｒｉｐｔｉｏｎ
【００３１】
−  ３６．３３１：Ｒａｄｉｏ  Ｒｅｓｏｕｒｃｅ  Ｃｏｎｔｒｏｌ  （ＲＲＣ）
【００３２】
３ＧＰＰ  ＮＲ
【００３３】
−  ３８．２１１：Ｐｈｙｓｉｃａｌ  ｃｈａｎｎｅｌｓ  ａｎｄ  ｍｏｄｕｌａｔｉｏｎ
【００３４】
−  ３８．２１２：Ｍｕｌｔｉｐｌｅｘｉｎｇ  ａｎｄ  ｃｈａｎｎｅｌ  ｃｏｄｉｎｇ
【００３５】
−  ３８．２１３：Ｐｈｙｓｉｃａｌ  ｌａｙｅｒ  ｐｒｏｃｅｄｕｒｅｓ  ｆｏｒ  ｃｏｎｔｒｏｌ
【００３６】
−  ３８．２１４：Ｐｈｙｓｉｃａｌ  ｌａｙｅｒ  ｐｒｏｃｅｄｕｒｅｓ  ｆｏｒ  ｄａｔａ
【００３７】
−  ３８．３００：ＮＲ  ａｎｄ  ＮＧ−ＲＡＮ  Ｏｖｅｒａｌｌ  Ｄｅｓｃｒｉｐｔｉｏｎ
【００３８】
−  ３８．３３１：Ｒａｄｉｏ  Ｒｅｓｏｕｒｃｅ  Ｃｏｎｔｒｏｌ  （ＲＲＣ）  ｐｒｏｔｏｃｏｌ  ｓｐｅｃｉｆｉｃａｔｉｏｎ
【００３９】
ＮＲ（ＮＲ  Ｒａｄｉｏ  ａｃｃｅｓｓ）
【００４０】
より多くの通信機器がより大きな通信容量を要求することになり、これに伴って既存のｒａｄｉｏ  ａｃｃｅｓｓ  ｔｅｃｈｎｏｌｏｇｙに比べて向上したｍｏｂｉｌｅ  ｂｒｏａｄｂａｎｄ通信に対する必要性が台頭している。また、多数の機器及びモノを接続し、いつどこでも様々なサービスを提供するｍａｓｓｉｖｅ  ＭＴＣ（ｍａｓｓｉｖｅ  Ｍａｃｈｉｎｅ  Ｔｙｐｅ  Ｃｏｍｍｕｎｉｃａｔｉｏｎｓ）もやはり、次世代の通信で考慮されるべき主要なイシューの一つである。のみならず、ｒｅｌｉａｂｉｌｉｔｙ及びｌａｔｅｎｃｙに敏感なサービス／端末を考慮した通信システムのデザインが議論されている。このようにｅＭＢＢ（ｅｎｈａｎｃｅｄ  ｍｏｂｉｌｅ  ｂｒｏａｄｂａｎｄ  ｃｏｍｍｕｎｉｃａｔｉｏｎ）、Ｍｍｔｃ（ｍａｓｓｉｖｅ  ＭＴＣ）、ＵＲＬＬＣ（Ｕｌｔｒａ−Ｒｅｌｉａｂｌｅ  ａｎｄ  Ｌｏｗ  Ｌａｔｅｎｃｙ  Ｃｏｍｍｕｎｉｃａｔｉｏｎ）等を考慮した次世代の無線アクセス技術の導入が議論されており、本明細書では、便宜上、該当ｔｅｃｈｎｏｌｏｇｙをＮＲと呼ぶ。ＮＲは、５Ｇ無線アクセス技術（ｒａｄｉｏ  ａｃｃｅｓｓ  ｔｅｃｈｎｏｌｏｇｙ、ＲＡＴ）の一例を示した表現である。
【００４１】
ＮＲを含む新しいＲＡＴシステムは、ＯＦＤＭ送信方式、又はこれと類似の送信方式を使用する。新しいＲＡＴシステムは、ＬＴＥのＯＦＤＭパラメータとは異なるＯＦＤＭパラメータに従うことがある。或いは、新しいＲＡＴシステムは、既存のＬＴＥ／ＬＴＥ−Ａのヌメロロジー（ｎｕｍｅｒｏｌｏｇｙ）をそのまま従うが、より大きいシステム帯域幅（例、１００ＭＨｚ）を有し得る。又は、１つのセルが複数のヌメロロジーを支援することもある。即ち、互いに異なるヌメロロジーで動作するする端末が１つのセル内で共存し得る。
【００４２】
ヌメロロジー（ｎｕｍｅｒｏｌｏｇｙ）は周波数領域で１つのｓｕｂｃａｒｒｉｅｒ  ｓｐａｃｉｎｇに対応する。Ｒｅｆｅｒｅｎｃｅ  ｓｕｂｃａｒｒｉｅｒ  ｓｐａｃｉｎｇを正数Ｎでｓｃａｌｉｎｇすることによって、異なるヌメロロジーが定義できる。
【００４３】
システム構造（ｓｙｓｔｅｍ  ａｒｃｈｉｔｅｃｔｕｒｅ）
【００４４】
図１は、ＮＲシステム構造の一例を示す図である。
【００４５】
図１を参照すると、ＮＧ-ＲＡＮは、ＮＧ−ＲＡユーザプレーン（新しいＡＳ  ｓｕｂｌａｙｅｒ／ＰＤＣＰ／ＲＬＣ／ＭＡＣ／ＰＨＹ）及びＵＥ（Ｕｓｅｒ  Ｅｑｕｉｐｍｅｎｔ）に対するコントロールプレーン（ＲＲＣ）のプロトコル終端を提供するｇＮＢで構成される。前記ｇＮＢは、Ｘｎインターフェースを介して相互接続される。また、前記ｇＮＢは、ＮＧインターフェースを介してＮＧＣに接続される。より具体的には、前記ｇＮＢはＮ２インターフェースを介してＡＭＦ（Ａｃｃｅｓｓ  ａｎｄ  Ｍｏｂｉｌｉｔｙ  Ｍａｎａｇｅｍｅｎｔ  Ｆｕｎｃｔｉｏｎ）に、Ｎ３インターフェースを介してＵＰＦ（Ｕｓｅｒ  Ｐｌａｎｅ  Ｆｕｎｃｔｉｏｎ）に接続される。
【００４６】
フレーム構造（ｆｒａｍｅ  ｓｔｒｕｃｔｕｒｅ）
【００４７】
図２は、ＮＲにおけるフレーム構造の一例を示す図である。
【００４８】
ＮＲシステムでは、多数のヌメロロジー（ｎｕｍｅｒｏｌｏｇｙ）が支援できる。ここで、ヌメロロジーはサブキャリア間隔（ｓｕｂｃａｒｒｉｅｒ  ｓｐａｃｉｎｇ）とＣＰ（Ｃｙｃｌｉｃ  Ｐｒｅｆｉｘ）のオーバーヘッドにより定義できる。この際、多数のサブキャリア間隔は、基本サブキャリア間隔を整数Ｎ
2021516461.tif 000010
にスケーリング（ｓｃａｌｉｎｇ）することによって誘導できる。また、非常に高い搬送波の周波数で非常に低いサブキャリア間隔を利用しないと仮定されても、利用されるヌメロロジーは周波数帯域と独立して選択されることができる。
【００４９】
また、ＮＲシステムでは、多数のヌメロロジーに従う多様なフレーム構造が支援できる。
【００５０】
以下、ＮＲシステムで考慮され得るＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）ヌメロロジー及びフレーム構造を見てみる。
【００５１】
ＮＲシステムで支援される多数のＯＦＤＭヌメロロジーは、表１のように定義できる。
【００５２】
【表１】
2021516461.tif 000011
【００５３】
ＮＲは、様々な５Ｇサービスを支援するための多数のｎｕｍｅｒｏｌｏｇｙ（又はｓｕｂｃａｒｒｉｅｒ  ｓｐａｃｉｎｇ（ＳＣＳ））を支援する。例えば、ＳＣＳが１５ｋＨｚである場合、伝統的なセルラーバンドでの広い領域（ｗｉｄｅ  ａｒｅａ）を支援し、ＳＣＳが３０ｋＨｚ／６０ｋＨｚである場合、密集した都市部（ｄｅｎｓｅ−ｕｒｂａｎ）、より低い遅延（ｌｏｗｅｒ  ｌａｔｅｎｃｙ）及びより広いキャリア帯域幅（ｗｉｄｅｒ  ｃａｒｒｉｅｒ  ｂａｎｄｗｉｄｔｈ）を支援し、ＳＣＳが６０ｋＨｚ又はそれよりも高い場合、位相雑音（ｐｈａｓｅ  ｎｏｉｓｅ）を克服するために、２４．２５ＧＨｚよりも大きい帯域幅を支援する。
【００５４】
ＮＲの周波数帯域（ｆｒｅｑｕｅｎｃｙ  ｂａｎｄ）は、２つのタイプ（ＦＲ１、ＦＲ２）の周波数範囲（ｆｒｅｑｕｅｎｃｙ  ｒａｎｇｅ）で定義される。ＦＲ１は、６ＧＨｚ以下の範囲であり、ＦＲ２は、６ＧＨｚ以上の範囲であって、ミリ波（ｍｉｌｌｉｍｉｔｅｒ  ｗａｖｅ、ｍｍＷ）を意味することができる。
【００５５】
下記の表２は、ＮＲの周波数帯域の定義を表す。
【００５６】
【表２】
2021516461.tif 000012
【００５７】
ＮＲシステムにおけるフレーム構造（ｆｒａｍｅ  ｓｔｒｕｃｔｕｒｅ）と関連して、時間領域の多様なフィールドのサイズは
2021516461.tif 000013
の時間単位の倍数で表現される。ここで、
2021516461.tif 000014
であり、
2021516461.tif 000015
である。ダウンリンク（ｄｏｗｎｌｉｎｋ）及びアップリンク（ｕｐｌｉｎｋ）の送信は、
2021516461.tif 000016
の区間を有する無線フレーム（ｒａｄｉｏ  ｆｒａｍｅ）で構成される。ここで、無線フレームは、各々
2021516461.tif 000017
の区間を有する１０個のサブフレーム（ｓｕｂｆｒａｍｅ）で構成される。この場合、アップリンクに対する１セットのフレーム及びダウンリンクに対する１セットのフレームが存在し得る。
【００５８】
また、端末（Ｕｓｅｒ  Ｅｑｕｉｐｍｅｎｔ、ＵＥ）からのアップリンクのフレーム番号ｉの送信は、該当端末での該当ダウンリンクフレームの開始よりも
2021516461.tif 000018
以前に開始すべきである。
【００５９】
ヌメロロジー
2021516461.tif 000019
に対して、スロット（ｓｌｏｔ）はサブフレーム内で
2021516461.tif 000020
の増加する順に番号が付けられて、無線フレーム内で
2021516461.tif 000021
の増加する順に番号が付けられる。１つのスロットは
2021516461.tif 000022
の連続するＯＦＤＭシンボルで構成され、
2021516461.tif 000023
は、利用されるヌメロロジー及びスロットの設定（ｓｌｏｔ  ｃｏｎｆｉｇｕｒａｔｉｏｎ）によって決定される。サブフレームでスロット
2021516461.tif 000024
の開始は同一のサブフレームでＯＦＤＭシンボル
2021516461.tif 000025
の開始と時間的に整列される。
【００６０】
全ての端末が同時に送信及び受信できるわけではなく、これは、ダウンリンクスロット（ｄｏｗｎｌｉｎｋ  ｓｌｏｔ）またはアップリンクスロット（ｕｐｌｉｎｋ  ｓｌｏｔ）の全てのＯＦＤＭシンボルが利用することはできないということを意味する。
【００６１】
表３は、一般ＣＰで、スロット別ＯＦＤＭシンボルの数
2021516461.tif 000026
、無線フレーム別スロットの数
2021516461.tif 000027
、サブフレーム別スロットの数
2021516461.tif 000028
を表し、表４は、拡張ＣＰで、スロット別ＯＦＤＭシンボルの数、無線フレーム別スロットの数、サブフレーム別スロットの数を表す。
【００６２】
【表３】
2021516461.tif 000029
【００６３】
【表４】
2021516461.tif 000030
【００６４】
図２は、
2021516461.tif 000031
である場合（ＳＣＳが６０ｋＨｚ）の一例として、表３を参照すると、１サブフレーム（ｓｕｂｆｒａｍｅ）は、４個のスロット（ｓｌｏｔ）を含むことができる。図２に示す、１  ｓｕｂｆｒａｍｅ＝｛１，２，４｝  ｓｌｏｔは一例であって、１  ｓｕｂｆｒａｍｅに含まれ得るｓｌｏｔの数は、表３又は表４のように定義される。
【００６５】
また、ｍｉｎｉ−ｓｌｏｔは、２、４又は７シンボルを含んでもよく、それよりさらに多いか又はさらに少ないシンボルを含んでもよい。
【００６６】
物理リソース
【００６７】
ＮＲシステムにおける物理リソース（ｐｈｙｓｉｃａｌ  ｒｅｓｏｕｒｃｅ）と関連して、アンテナポート（ａｎｔｅｎｎａ  ｐｏｒｔ）、リソースグリッド（ｒｅｓｏｕｒｃｅ  ｇｒｉｄ）、リソースエレメント（ｒｅｓｏｕｒｃｅ  ｅｌｅｍｅｎｔ）、リソースブロック（ｒｅｓｏｕｒｃｅ  ｂｌｏｃｋ）、キャリアパート（ｃａｒｒｉｅｒ  ｐａｒｔ）などが考慮され得る。
【００６８】
以下、ＮＲシステムで考慮され得る前記物理リソースについて具体的に見てみる。
【００６９】
まず、アンテナポートと関連して、アンテナポートは、アンテナポート上のシンボルが運搬されるチャネルが同一のアンテナポート上の他のシンボルが運搬されるチャネルから推論できるように定義される。１つのアンテナポート上のシンボルが運搬されるチャネルの広範囲特性（ｌａｒｇｅ-ｓｃａｌｅ  ｐｒｏｐｅｒｔｙ）が、他のアンテナポート上のシンボルが運搬されるチャネルから類推できる場合、２つのアンテナポートは、ＱＣ／ＱＣＬ（ｑｕａｓｉ  ｃｏ−ｌｏｃａｔｅｄまたはｑｕａｓｉ  ｃｏ−ｌｏｃａｔｉｏｎ）関係にあるといえる。ここで、前記広範囲特性は、遅延拡散（Ｄｅｌａｙ  ｓｐｒｅａｄ）、ドップラー拡散（Ｄｏｐｐｌｅｒ  ｓｐｒｅａｄ）、周波数シフト（Ｆｒｅｑｕｅｎｃｙ  ｓｈｉｆｔ）、平均受信パワー（Ａｖｅｒａｇｅ  ｒｅｃｅｉｖｅｄ  ｐｏｗｅｒ）、受信タイミング（Ｒｅｃｅｉｖｅｄ  Ｔｉｍｉｎｇ）のうち１つ以上を含む。
【００７０】
図３は、ＮＲにおけるリソースグリッド（ｒｅｓｏｕｒｃｅ  ｇｒｉｄ）の一例を示す。
【００７１】
図３を参照すると、リソースグリッドが周波数領域上に
2021516461.tif 000032
サブキャリアで構成され、１つのサブフレームが１４・２μのＯＦＤＭシンボルで構成されることを例示的に記述するが、これに限定されるものではない。
【００７２】
ＮＲシステムにおいて、送信される信号（ｔｒａｎｓｍｉｔｔｅｄ  ｓｉｇｎａｌ）は、
2021516461.tif 000033
サブキャリアで構成される１つまたはそれ以上のリソースグリッド及び
2021516461.tif 000034
のＯＦＤＭシンボルにより説明される。ここで、
2021516461.tif 000035
である。前記
2021516461.tif 000036
は最大の送信帯域幅を示し、これは、ヌメロロジーだけでなく、アップリンクとダウンリンクとの間でも変わり得る。
【００７３】
この場合、図２のように、ヌメロロジー
2021516461.tif 000037
及びアンテナポートｐ別に１つのリソースグリッドが設定できる。
【００７４】
ヌメロロジー
2021516461.tif 000038
及びアンテナポートｐに対するリソースグリッドの各要素はリソースエレメント（ｒｅｓｏｕｒｃｅ  ｅｌｅｍｅｎｔ）と称され、インデックス対
2021516461.tif 000039
により固有に識別される。ここで、
2021516461.tif 000040
は周波数領域上のインデックスであり、
2021516461.tif 000041
はサブフレーム内でのシンボルの位置を称する。スロットでリソースエレメントを称する際には、インデックス対
2021516461.tif 000042
が利用される。ここで、
2021516461.tif 000043
である。
【００７５】
ヌメロロジー
2021516461.tif 000044
及びアンテナポートｐに対するリソースエレメント
2021516461.tif 000045
は、複素値（ｃｏｍｐｌｅｘ  ｖａｌｕｅ）
2021516461.tif 000046
に該当する。混同（ｃｏｎｆｕｓｉｏｎ）する危険がない場合、或いは特定のアンテナポートまたはヌメロロジーが特定されていない場合には、インデックスｐ及び
2021516461.tif 000047
はドロップ（ｄｒｏｐ）され得る。その結果、複素値は
2021516461.tif 000048
または
2021516461.tif 000049
になり得る。
【００７６】
また、リソースブロック（ｒｅｓｏｕｒｃｅ  ｂｌｏｃｋ、ＲＢ）は、周波数領域上の
2021516461.tif 000050
の連続的なサブキャリアで定義される。
【００７７】
ポイント（ｐｏｉｎｔ）Ａは、リソースブロックグリッドの共通基準ポイント（ｃｏｍｍｏｎ  ｒｅｆｅｒｅｎｃｅ  ｐｏｉｎｔ）としての役割をし、次のように獲得される。
【００７８】
−  ＰＣｅｌｌダウンリンクに対するｏｆｆｓｅｔＴｏＰｏｉｎｔＡは、初期セルの選択のために、端末によって使用されたＳＳ／ＰＢＣＨ  ｂｌｏｃｋと重なる最も低いリソースブロックの最も低いサブキャリアとｐｏｉｎｔ  Ａとの間の周波数オフセットを示し、ＦＲ１に対して１５ｋＨｚのサブキャリア間隔、及びＦＲ２に対して６０ｋＨｚのサブキャリア間隔を仮定したリソースブロックの単位（ｕｎｉｔ）で表現され；
【００７９】
−  ａｂｓｏｌｕｔｅＦｒｅｑｕｅｎｃｙＰｏｉｎｔＡは、ＡＲＦＣＮ（ａｂｓｏｌｕｔｅ  ｒａｄｉｏ−ｆｒｅｑｕｅｎｃｙ  ｃｈａｎｎｅｌ  ｎｕｍｂｅｒ）のように表現されたｐｏｉｎｔ  Ａの周波数位置を示す。
【００８０】
共通リソースブロック（ｃｏｍｍｏｎ  ｒｅｓｏｕｒｃｅ  ｂｌｏｃｋ）は、サブキャリア間隔の設定
2021516461.tif 000051
に対する周波数領域で０から上方にｎｕｍｂｅｒｉｎｇされる。
【００８１】
サブキャリア間隔の設定
2021516461.tif 000052
に対する共通リソースブロック０のｓｕｂｃａｒｒｉｅｒ  ０の中心は、「ｐｏｉｎｔ  Ａ」と一致する。周波数領域で共通リソースブロックのｎｕｍｂｅｒ
2021516461.tif 000053
と、サブキャリア間隔の設定
2021516461.tif 000054
に対するリソースエレメント（ｋ，ｌ）は、下記の数式１のように与えられる。
【００８２】
【数１】
2021516461.tif 000055
【００８３】
2021516461.tif 000056
は、
2021516461.tif 000057
がｐｏｉｎｔ  Ａを中心とするｓｕｂｃａｒｒｉｅｒに該当するように、ｐｏｉｎｔ  Ａに相対的に定義される。物理リソースブロックは、帯域幅パート（ｂａｎｄｗｉｄｔｈ  ｐａｒｔ、ＢＷＰ）内で０から
2021516461.tif 000058
まで番号が付けられ、
2021516461.tif 000059
はＢＷＰの番号である。ＢＷＰ  ｉで、物理リソースブロック
2021516461.tif 000060
と共通リソースブロック
2021516461.tif 000061
との間の関係は、下記の数式Ｄにより与えられる。
【００８４】
【数２】
2021516461.tif 000062
【００８５】
2021516461.tif 000063
は、ＢＷＰが共通リソースブロック０に相対的に始める共通リソースブロックである。
【００８６】
図４は、ＮＲにおける物理リソースブロックの一例を示す図である。
【００８７】
帯域幅パート（Ｂａｎｄｗｉｄｔｈ  ｐａｒｔ、ＢＷＰ）
【００８８】
ＮＲシステムは、１つのｃｏｍｐｏｎｅｎｔ  ｃａｒｒｉｅｒ（ＣＣ）当たり最大４００ＭＨｚまで支援されることができる。このようなｗｉｄｅｂａｎｄ  ＣＣで動作する端末が常時ＣＣ全体に対するＲＦをつけっぱなしに動作すれば、端末のバッテリー消費が大きくなることがある。或いは、１つのｗｉｄｅｂａｎｄ  ＣＣ内に動作する種々のｕｓｅ  ｃａｓｅ（例えば、ｅＭＢＢ、ＵＲＬＬＣ、Ｍｍｔｃ、Ｖ２Ｘ等）を考慮する際、該当ＣＣ内に周波数帯域別に互いに異なるｎｕｍｅｒｏｌｏｇｙ（ｅ．ｇ．， ｓｕｂ−ｃａｒｒｉｅｒ  ｓｐａｃｉｎｇ）が支援できる。又は、端末別に最大のｂａｎｄｗｉｄｔｈに対するｃａｐａｂｉｌｉｔｙが異なり得る。これを考慮し、基地局はｗｉｄｅｂａｎｄ  ＣＣの全ｂａｎｄｗｉｄｔｈではなく、一部のｂａｎｄｗｉｄｔｈでのみ動作するように端末に指示することができ、該当一部のｂａｎｄｗｉｄｔｈを便宜上ｂａｎｄｗｉｄｔｈ  ｐａｒｔ（ＢＷＰ）と定義する。ＢＷＰは、周波数軸上で連続したｒｅｓｏｕｒｃｅ  ｂｌｏｃｋ（ＲＢ）で構成されることができ、１つのｎｕｍｅｒｏｌｏｇｙ（ｅ．ｇ．，  ｓｕｂ−ｃａｒｒｉｅｒ  ｓｐａｃｉｎｇ、ＣＰ  ｌｅｎｇｔｈ、ｓｌｏｔ／ｍｉｎｉ−ｓｌｏｔ  ｄｕｒａｔｉｏｎ）に対応し得る。
【００８９】
一方、基地局は、端末にｃｏｎｆｉｇｕｒｅされた１つのＣＣ内でも多数のＢＷＰを設定することができる。一例として、ＰＤＣＣＨ  ｍｏｎｉｔｏｒｉｎｇ  ｓｌｏｔでは、相対的に小さい周波数領域を占めるＢＷＰを設定し、ＰＤＣＣＨで指示するＰＤＳＣＨは、それよりも大きいＢＷＰ上にｓｃｈｅｄｕｌｅされることができる。又は、特定のＢＷＰにＵＥが集中する場合、ｌｏａｄ  ｂａｌａｎｃｉｎｇのために、一部のＵＥを他のＢＷＰに設定することができる。或いは、隣接セル間のｆｒｅｑｕｅｎｃｙ  ｄｏｍａｉｎ  ｉｎｔｅｒ−ｃｅｌｌ  ｉｎｔｅｒｆｅｒｅｎｃｅ  ｃａｎｃｅｌｌａｔｉｏｎ等を考慮し、全ｂａｎｄｗｉｄｔｈのうち中間の一部ｓｐｅｃｔｒｕｍを排除し、両方のＢＷＰを同一のｓｌｏｔ内でも設定できる。即ち、基地局は、ｗｉｄｅｂａｎｄ  ＣＣとａｓｓｏｃｉａｔｉｏｎされた端末に少なくとも１つのＤＬ／ＵＬ  ＢＷＰをｃｏｎｆｉｇｕｒｅすることができ、特定の時点にｃｏｎｆｉｇｕｒｅｄ  ＤＬ／ＵＬ  ＢＷＰ（ｓ）のうち少なくとも１つのＤＬ／ＵＬ  ＢＷＰを（Ｌ１  ｓｉｇｎａｌｉｎｇ  ｏｒ  ＭＡＣ  ＣＥ  ｏｒ  ＲＲＣ  ｓｉｇｎａｌｌｉｎｇ等により）ａｃｔｉｖａｔｉｏｎさせることができ、他のｃｏｎｆｉｇｕｒｅｄ  ＤＬ／ＵＬ  ＢＷＰにｓｗｉｔｃｈｉｎｇが（Ｌ１  ｓｉｇｎａｌｉｎｇ  ｏｒ  ＭＡＣ  ＣＥ  ｏｒ  ＲＲＣ  ｓｉｇｎａｌｌｉｎｇ等により）指示できるか、ｔｉｍｅｒに基づいてｔｉｍｅｒ値がｅｘｐｉｒｅされると、決められたＤＬ／ＵＬ  ＢＷＰにｓｗｉｔｃｈｉｎｇされることもできる。この際、ａｃｔｉｖａｔｉｏｎされたＤＬ／ＵＬ  ＢＷＰをａｃｔｉｖｅ  ＤＬ／ＵＬ  ＢＷＰと定義する。しかし、端末がｉｎｉｔｉａｌ  ａｃｃｅｓｓの過程にあるか、又はＲＲＣ  ｃｏｎｎｅｃｔｉｏｎがｓｅｔ  ｕｐされる前等の状況では、ＤＬ／ＵＬ  ＢＷＰに対するｃｏｎｆｉｇｕｒａｔｉｏｎを受信することができないことがあるが、このような状況で端末が仮定するＤＬ／ＵＬ  ＢＷＰは、ｉｎｉｔｉａｌ  ａｃｔｉｖｅ  ＤＬ／ＵＬ  ＢＷＰと定義する。
【００９０】
３ＧＰＰの信号送受信方法
【００９１】
図５は、３ＧＰＰ信号の送受信方法の一例を示す図である。
【００９２】
図５を参照すると、端末は電源が入ったり、新たにセルに進入した場合、基地局と同期を合わせるなどの初期セルサーチ（Ｉｎｉｔｉａｌ  ｃｅｌｌ  ｓｅａｒｃｈ）の作業を行う（Ｓ２０１）。このため、端末は基地局から主同期チャネル（Ｐｒｉｍａｒｙ  Ｓｙｎｃｈｒｏｎｉｚａｔｉｏｎ  Ｃｈａｎｎｅｌ；Ｐ−ＳＣＨ）及び副同期チャネル（Ｓｅｃｏｎｄａｒｙ  Ｓｙｎｃｈｒｏｎｉｚａｔｉｏｎ  Ｃｈａｎｎｅｌ；Ｓ−ＳＣＨ）を受信して基地局と同期を合わせて、セルＩＤ等の情報を獲得することができる。その後、端末は基地局から物理ブロードキャストチャネル（Ｐｈｙｓｉｃａｌ  Ｂｒｏａｄｃａｓｔ  Ｃｈａｎｎｅｌ）を受信して、セル内の放送情報を獲得することができる。一方、端末は、初期セルサーチ段階でダウンリンク参照信号（Ｄｏｗｎｌｉｎｋ  Ｒｅｆｅｒｅｎｃｅ  Ｓｉｇｎａｌ；ＤＬ  ＲＳ）を受信して、ダウンリンクのチャネル状態を確認することができる。
【００９３】
初期セルサーチを終えた端末は、物理ダウンリンク制御チャネル（Ｐｈｙｓｉｃａｌ  Ｄｏｗｎｌｉｎｋ  Ｃｏｎｔｒｏｌ  Ｃｈａｎｎｅｌ；ＰＤＣＣＨ）及び前記ＰＤＣＣＨに載せた情報に従って、物理ダウンリンク共有チャネル（Ｐｈｙｓｉｃａｌ  Ｄｏｗｎｌｉｎｋ  Ｃｏｎｔｒｏｌ  Ｃｈａｎｎｅｌ；ＰＤＳＣＨ）を受信することによって、より具体的なシステム情報を獲得することができる（Ｓ２０２）。
【００９４】
一方、基地局に最初にアクセスしたり、信号の送信のための無線リソースがない場合、端末は基地局に対してランダムアクセス過程（Ｒａｎｄｏｍ  Ａｃｃｅｓｓ  Ｐｒｏｃｅｄｕｒｅ；ＲＡＣＨ）を行うことができる（段階Ｓ２０３乃至段階Ｓ２０６）。このため、端末は物理ランダムアクセスチャネル（Ｐｈｙｓｉｃａｌ  Ｒａｎｄｏｍ  Ａｃｃｅｓｓ  Ｃｈａｎｎｅｌ；ＰＲＡＣＨ）を介して、特定のシーケンスをプリアンブルに送信し（Ｓ２０３及びＳ２０５）、ＰＤＣＣＨ及び対応するＰＤＳＣＨを介してプリアンブルに対する応答メッセージを受信することができる（Ｓ２０４及びＳ２０６）。競合ベースＲＡＣＨの場合、更に競合解決手続（Ｃｏｎｔｅｎｔｉｏｎ  Ｒｅｓｏｌｕｔｉｏｎ  Ｐｒｏｃｅｄｕｒｅ）を行うことができる。
【００９５】
前述したような手続を行った端末は、以降一般的なアップ／ダウンリンクの信号送信手続として、ＰＤＣＣＨ／ＰＤＳＣＨの受信（Ｓ２０７）及び物理アップリンク共有チャネル（Ｐｈｙｓｉｃａｌ  Ｕｐｌｉｎｋ  Ｓｈａｒｅｄ  Ｃｈａｎｎｅｌ；ＰＵＳＣＨ）／物理アップリンク制御チャネル（Ｐｈｙｓｉｃａｌ  Ｕｐｌｉｎｋ  Ｃｏｎｔｒｏｌ  Ｃｈａｎｎｅｌ；ＰＵＣＣＨ）の送信（Ｓ２０８）を行うことができる。特に、端末は、ＰＤＣＣＨを介してダウンリンク制御情報（Ｄｏｗｎｌｉｎｋ  Ｃｏｎｔｒｏｌ  Ｉｎｆｏｒｍａｔｉｏｎ；ＤＣＩ）を受信する。ここで、ＤＣＩは、端末に対するリソース割り当て情報のような制御情報を含み、その使用目的に応じてフォーマットが互いに異なる。
【００９６】
一方、端末がアップリンクを介して基地局に送信する、又は端末が基地局から受信する制御情報は、ダウンリンク／アップリンクのＡＣＫ／ＮＡＣＫ信号、ＣＱＩ（Ｃｈａｎｎｅｌ  Ｑｕａｌｉｔｙ  Ｉｎｄｉｃａｔｏｒ）、ＰＭＩ（Ｐｒｅｃｏｄｉｎｇ  Ｍａｔｒｉｘインデックス）、ＲＩ（Ｒａｎｋ  Ｉｎｄｉｃａｔｏｒ）等を含む。３ＧＰＰ  ＬＴＥシステムの場合、端末は前述したＣＱＩ／ＰＭＩ／ＲＩ等の制御情報をＰＵＳＣＨ及び／又はＰＵＣＣＨを介して送信することができる。
【００９７】
表５は、ＮＲシステムにおけるＤＣＩフォーマット（ｆｏｒｍａｔ）の一例を示す。
【００９８】
【表５】
2021516461.tif 000064
【００９９】
表５を参照すると、ＤＣＩ  ｆｏｒｍａｔ  ０＿０は、１つのセルでＰＵＳＣＨのスケジューリングに使用される。
【０１００】
ＤＣＩ  ｆｏｒｍａｔ  ０＿０に含まれた情報は、Ｃ−ＲＮＴＩ又はＣＳ−ＲＮＴＩ又はＭＣＳ−Ｃ−ＲＮＴＩによりＣＲＣスクランブリングされて送信される。また、ＤＣＩ  ｆｏｒｍａｔ  ０＿１は、１つのセルでＰＵＳＣＨを予約するのに使用される。ＤＣＩ  ｆｏｒｍａｔ  ０＿１に含まれた情報は、Ｃ−ＲＮＴＩ又はＣＳ−ＲＮＴＩ又はＳＰ−ＣＳＩ−ＲＮＴＩ又はＭＣＳ−Ｃ−ＲＮＴＩによりＣＲＣスクランブリングされて送信される。ＤＣＩ  ｆｏｒｍａｔ  １＿０は、１つのＤＬセルでＰＤＳＣＨのスケジューリングのために使用される。ＤＣＩ  ｆｏｒｍａｔ  １＿０に含まれた情報は、Ｃ−ＲＮＴＩ又はＣＳ−ＲＮＴＩ又はＭＣＳ−Ｃ−ＲＮＴＩによりＣＲＣスクランブリングされて送信される。ＤＣＩ  ｆｏｒｍａｔ  １＿１は、１つのセルでＰＤＳＣＨのスケジューリングのために使用される。ＤＣＩ  ｆｏｒｍａｔ  １＿１に含まれる情報は、Ｃ−ＲＮＴＩ又はＣＳ−ＲＮＴＩ又はＭＣＳ−Ｃ−ＲＮＴＩによりＣＲＣスクランブリングされて送信される。ＤＣＩフォーマット２＿１は、端末が送信を意図していないと仮定できるＰＲＢ及びＯＦＤＭシンボルを知らせるのに使用される。
【０１０１】
ＤＣＩフォーマット２＿１に含まれる次の情報は、ＩＮＴ−ＲＮＴＩによりＣＲＣスクランブリングされて送信される。
【０１０２】
−  ｐｒｅｅｍｐｔｉｏｎ  ｉｎｄｉｃａｔｉｏｎ  １，  ｐｒｅｅｍｐｔｉｏｎ  ｉｎｄｉｃａｔｉｏｎ  ２，  ．．．，  ｐｒｅｅｍｐｔｉｏｎ  ｉｎｄｉｃａｔｉｏｎ  Ｎ．
【０１０３】
無線通信システムのブロック構成図
【０１０４】
図６は、本明細書で提案する方法が適用できる無線通信システムのブロック構成図を例示する。
【０１０５】
図６を参照すると、無線通信システムは、第１通信装置９１０及び／又は第２通信装置９２０を含む。「Ａ及び／又はＢ」は「Ａ又はＢのうち少なくとも１つを含む」と同じ意味と解釈され得る。第１通信装置が基地局を示し、第２通信装置が端末を示すことができる（又は第１通信装置が端末を示し、第２通信装置が基地局を示すことができる）。
【０１０６】
基地局（ＢＳ：Ｂａｓｅ  Ｓｔａｔｉｏｎ）は、固定局（ｆｉｘｅｄ  ｓｔａｔｉｏｎ）、Ｎｏｄｅ  Ｂ、ｅＮＢ（ｅｖｏｌｖｅｄ−ＮｏｄｅＢ）、ｇＮＢ（Ｎｅｘｔ  Ｇｅｎｅｒａｔｉｏｎ  ＮｏｄｅＢ）、ＢＴＳ（ｂａｓｅ  ｔｒａｎｓｃｅｉｖｅｒ  ｓｙｓｔｅｍ）、アクセスポイント（ＡＰ：Ａｃｃｅｓｓ  Ｐｏｉｎｔ）、ｇＮＢ（ｇｅｎｅｒａｌ  ＮＢ）、５Ｇシステム、ネットワーク、ＡＩシステム、ＲＳＵ（ｒｏａｄ  ｓｉｄｅ  ｕｎｉｔ）、ロボット等の用語により代替され得る。また、端末（Ｔｅｒｍｉｎａｌ）は、固定されるか、移動性を有することができ、ＵＥ（Ｕｓｅｒ  Ｅｑｕｉｐｍｅｎｔ）、ＭＳ（Ｍｏｂｉｌｅ  Ｓｔａｔｉｏｎ）、ＵＴ（ｕｓｅｒ  ｔｅｒｍｉｎａｌ）、ＭＳＳ（Ｍｏｂｉｌｅ  Ｓｕｂｓｃｒｉｂｅｒ  Ｓｔａｔｉｏｎ）、ＳＳ（Ｓｕｂｓｃｒｉｂｅｒ  Ｓｔａｔｉｏｎ）、ＡＭＳ（Ａｄｖａｎｃｅｄ  Ｍｏｂｉｌｅ  Ｓｔａｔｉｏｎ）、ＷＴ（Ｗｉｒｅｌｅｓｓ  ｔｅｒｍｉｎａｌ）、ＭＴＣ（Ｍａｃｈｉｎｅ−Ｔｙｐｅ  Ｃｏｍｍｕｎｉｃａｔｉｏｎ）装置、Ｍ２Ｍ（Ｍａｃｈｉｎｅ−ｔｏ−Ｍａｃｈｉｎｅ）装置、Ｄ２Ｄ（Ｄｅｖｉｃｅ−ｔｏ−Ｄｅｖｉｃｅ）装置、車両（ｖｅｈｉｃｌｅ）、ロボット（ｒｏｂｏｔ）、ＡＩモジュール等の用語に代替され得る。
【０１０７】
第１通信装置と第２通信装置は、プロセッサ（ｐｒｏｃｅｓｓｏｒ）９１１、９２１、メモリ（ｍｅｍｏｒｙ）９１４、９２４、１つ以上のＴｘ／Ｒｘ  ＲＦモジュール（ｒａｄｉｏ  ｆｒｅｑｕｅｎｃｙ  ｍｏｄｕｌｅ）９１５、９２５、Ｔｘプロセッサ９１２、９２２、Ｒｘプロセッサ９１３、９２３、アンテナ９１６、９２６を含む。プロセッサは、前記で見た機能、過程及び／又は方法を実現する。より具体的に、ＤＬ（第１通信装置から第２通信装置への通信）で、コアネットワークからの上位層のパケットはプロセッサ９１１に提供される。プロセッサは、Ｌ２層の機能を実現する。ＤＬで、プロセッサは論理チャネルと送信チャネルとの多重化（ｍｕｌｔｉｐｌｅｘｉｎｇ）、無線リソース割り当てを第２通信装置９２０に提供し、第２通信装置へのシグナリングを担当する。送信（ＴＸ）プロセッサ９１２は、Ｌ１層（即ち、物理層）に対する様々な信号処理機能を実現する。信号処理機能は、第２通信装置でＦＥＣ（ｆｏｒｗａｒｄ  ｅｒｒｏｒ  ｃｏｒｒｅｃｔｉｏｎ）を容易にし、コーディング及びインターリービング（ｃｏｄｉｎｇ  ａｎｄ  ｉｎｔｅｒｌｅａｖｉｎｇ）を含む。符号化及び変調されたシンボルは並列ストリームに分割され、各々のストリームはＯＦＤＭ副搬送波にマッピングされ、時間及び／又は周波数領域で基準信号（Ｒｅｆｅｒｅｎｃｅ  Ｓｉｇｎａｌ、ＲＳ）と多重化され、ＩＦＦＴ（Ｉｎｖｅｒｓｅ  Ｆａｓｔ  Ｆｏｕｒｉｅｒ  Ｔｒａｎｓｆｏｒｍ）を使用して共に結合され、時間領域のＯＦＤＭＡシンボルのストリームを運搬する物理チャネルを生成する。ＯＦＤＭストリームは、多重空間ストリームを生成するために、空間的にプリコーディングされる。各々の空間ストリームは、個別のＴｘ／Ｒｘモジュール（又は送受信機、９１５）を介して異なるアンテナ９１６に提供されることができる。各々のＴｘ／Ｒｘモジュールは、送信のために各々の空間ストリームにＲＦ搬送波を変調することができる。第２通信装置で、各々のＴｘ／Ｒｘモジュール（又は送受信機９２５）は、各Ｔｘ／Ｒｘモジュールの各アンテナ９２６を介して信号を受信する。各々のＴｘ／Ｒｘモジュールは、ＲＦキャリアに変調された情報を復元し、受信（ＲＸ）プロセッサ９２３に提供する。ＲＸプロセッサは、ｌａｙｅｒ  １の様々な信号プロセシング機能を実現する。ＲＸプロセッサは、第２通信装置に向かう任意の空間ストリームを復旧するために、情報に空間プロセシングを行うことができる。もし、多数の空間ストリームが第２通信装置に向かう場合、多数のＲＸプロセッサにより単一のＯＦＤＭＡシンボルのストリームに結合されることができる。ＲＸプロセッサは、高速フーリエ変換（ＦＦＴ）を使用してＯＦＤＭＡシンボルのストリームを時間領域から周波数領域に変換する。周波数領域の信号は、ＯＦＤＭ信号の各々のサブキャリアに対する個別的なＯＦＤＭＡシンボルのストリームを含む。各々のサブキャリア上のシンボル及び基準信号は、第１通信装置により送信された最も可能性のある信号配置ポイントを決定することで復元されて復調される。このような軟判定（ｓｏｆｔ  ｄｅｃｉｓｉｏｎ）は、チャネルの推定値に基づくことができる。軟判定は、物理チャネル上で第���通信装置により元々送信されたデータ及び制御信号を復元するために、デコーディング及びデインターリービングされる。該当データ及び制御信号は、プロセッサ９２１に提供される。
【０１０８】
ＵＬ（第２通信装置から第１通信装置への通信）は、第２通信装置９２０で受信機の機能に関して記述されたものと類似の方式で第１通信装置９１０で処理される。各々のＴｘ／Ｒｘモジュール９２５は、各々のアンテナ９２６を介して信号を受信する。各々のＴｘ／Ｒｘモジュールは、ＲＦ搬送波及び情報をＲＸプロセッサ９２３に提供する。プロセッサ９２１は、プログラムコード及びデータを保存するメモリ９２４と関連し得る。メモリは、コンピュータ読み取り可能媒体として称される。
【０１０９】
略語及び定義（Ａｂｂｒｅｖｉａｔｉｏｎ  ａｎｄ  Ｄｅｆｉｎｉｔｉｏｎ）
【０１１０】
ＰＵＳＣＨ：Ｐｈｙｓｉｃａｌ  Ｕｐｌｉｎｋ  Ｓｈａｒｅｄ  Ｃｈａｎｎｅｌ
【０１１１】
ＰＵＣＣＨ：Ｐｈｙｓｉｃａｌ  Ｕｐｌｉｎｋ  Ｃｏｎｔｒｏｌ  Ｃｈａｎｎｅｌ
【０１１２】
ＦＤＳＳ：Ｆｒｅｑｕｅｎｃｙ  Ｄｏｍａｉｎ  Ｓｐｅｃｔｒｕｍ  Ｓｈａｐｉｎｇ
【０１１３】
ＰＳＫ：Ｐｈａｓｅ  Ｓｈｉｆｔ  Ｋｅｙｉｎｇ
【０１１４】
ＱＡＭ：Ｑｕａｄｒａｔｕｒｅ  Ａｍｐｌｉｔｕｄｅ  Ｍｏｄｕｌａｔｉｏｎ
【０１１５】
ＰＡＰＲ：Ｐｅａｋ−ｔｏ−Ａｖｅｒａｇｅ  Ｐｏｗｅｒ  Ｒａｔｉｏ
【０１１６】
ＤＭＲＳ：ＤｅＭｏｄｕｌａｔｉｏｎ  Ｒｅｆｅｒｅｎｃｅ  Ｓｉｇｎａｌｓ
【０１１７】
ＡＣＫ：Ａｃｋｎｏｗｌｅｄｇｅｍｅｎｔ
【０１１８】
ＮＡＣＫ：Ｎｅｇａｔｉｖｅ  Ａｃｋｎｏｗｌｅｄｇｅｍｅｎｔ
【０１１９】
ＣＡ：Ｃａｒｒｉｅｒ  ａｇｇｒｅｇａｔｉｏｎ
【０１２０】
ＤＣＩ：Ｄｏｗｎｌｉｎｋ  Ｃｏｎｔｒｏｌ  ｆｏｒｍａｔ  Ｉｎｄｉｃａｔｏｒ／ｉｎｄｅｘ
【０１２１】
ＭＡＣ−ＣＥ：Ｍｕｌｔｉｐｌｅ  Ａｃｃｅｓｓ  Ｃｈａｎｎｅｌ  Ｃｏｎｔｒｏｌ  Ｅｌｅｍｅｎｔｓ
【０１２２】
ＢＷＰ：Ｂａｎｄｗｉｄｔｈ  ｐａｒｔ
【０１２３】
ＲＦ：Ｒａｄｉｏ  ｆｒｅｑｕｅｎｃｙ
【０１２４】
ＣＣ：Ｃｏｍｐｏｎｅｎｔ  ｃａｒｒｉｅｒ
【０１２５】
ＳＳ：Ｓｙｎｃｈｒｏｎｉｚａｔｉｏｎ  Ｓｉｇｎａｌｓ
【０１２６】
ＳＳＢ：Ｓｙｎｃｈｒｏｎｉｚａｔｉｏｎ  ｓｉｇｎａｌ  ｂｌｏｃｋ  -  本明細書では、ＳＳ／ＰＢＣＨ  ｂｌｏｃｋと同じものと見なす。
【０１２７】
ＳＳＢＲＩ：ＳＳＢ  ｒｅｓｏｕｒｃｅ  ｉｎｄｅｘ／ｉｎｄｉｃａｔｏｒ
【０１２８】
ＩＭ：Ｉｎｔｅｒｆｅｒｅｎｃｅ  ｍｅａｓｕｒｅｍｅｎｔ
【０１２９】
ＦＤＭ：Ｆｒｅｑｕｅｎｃｙ  ｄｉｖｉｓｉｏｎ  ｍｕｌｔｉｐｌｅｘｉｎｇ
【０１３０】
ＴＤＭ：Ｔｉｍｅ  ｄｉｖｉｓｉｏｎ  ｍｕｌｔｉｐｌｅｘｉｎｇ
【０１３１】
ＲＳ：Ｒｅｆｅｒｅｎｃｅ  Ｓｉｇｎａｌ（ｓ）
【０１３２】
ＣＳＩ−ＲＳ  ｏｒ  ＣＳＩＲＳ：Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌｓ
【０１３３】
ＣＳＩ−ＩＭ：Ｃｈａｎｎｅｌ  Ｓｔａｔｅ  Ｉｎｆｏｒｍａｔｉｏｎ  Ｉｎｔｅｒｆｅｒｅｎｃｅ  Ｍｅａｓｕｒｅｍｅｎｔ
【０１３４】
ＣＲＩ：ＣＳＩ−ＲＳ  ｒｅｓｏｕｒｃｅ  ｉｎｄｅｘ／ｉｎｄｉｃａｔｏｒ
【０１３５】
ＤＭ−ＲＳ  ｏｒ  ＤＭＲＳ：Ｄｅｍｏｄｕｌａｔｉｏｎ  Ｒｅｆｅｒｅｎｃｅ  Ｓｉｇｎａｌｓ
【０１３６】
ＭＡＣ：Ｍｅｄｉｕｍ  Ａｃｃｅｓｓ  Ｃｏｎｔｒｏｌ
【０１３７】
ＭＡＣ−ＣＥ：Ｍｅｄｉｕｍ  Ａｃｃｅｓｓ  Ｃｏｎｔｒｏｌ  Ｃｈａｎｎｅｌ  Ｅｌｅｍｅｎｔ
【０１３８】
ＮＺＰ：Ｎｏｎ  Ｚｅｒｏ  Ｐｏｗｅｒ
【０１３９】
ＺＰ：Ｚｅｒｏ  ｐｏｗｅｒ
【０１４０】
ＰＴ−ＲＳ  ｏｒ  ＰＴＲＳ：Ｐｈａｓｅ  Ｔｒａｃｋｉｎｇ  Ｒｅｆｅｒｅｎｃｅ  Ｓｉｇｎａｌｓ
【０１４１】
ＳＲＳ：Ｓｏｕｎｄｉｎｇ  Ｒｅｆｅｒｅｎｃｅ  Ｓｉｇｎａｌｓ
【０１４２】
ＳＲＩ：ＳＲＳ  ｒｅｓｏｕｒｃｅ  ｉｎｄｅｘ／ｉｎｄｉｃａｔｏｒ
【０１４３】
ＰＲＳ：Ｐｏｓｉｔｉｏｎｉｎｇ  Ｒｅｆｅｒｅｎｃｅ  Ｓｉｇｎａｌｓ
【０１４４】
ＰＲＩ：ＰＲＳ  ｒｅｓｏｕｒｃｅ  ｉｎｄｅｘ／ｉｎｄｉｃａｔｏｒ
【０１４５】
ＯＦＤＭ：Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ
【０１４６】
ＴＸ：Ｔｒａｎｓｍｉｔｔｅｒ
【０１４７】
ＴＰ：Ｔｒａｎｓｍｉｓｓｉｏｎ  Ｐｏｉｎｔ
【０１４８】
ＢＳ：Ｂａｓｅ  ｓｔａｔｉｏｎ
【０１４９】
ＲＸ：Ｒｅｃｅｉｖｅｒ
【０１５０】
ＲＲＣ：Ｒａｄｉｏ  Ｒｅｓｏｕｒｃｅ  Ｃｏｎｔｒｏｌ
【０１５１】
ＲＳＲＰ：Ｒｅｆｅｒｅｎｃｅ  Ｓｉｇｎａｌ  Ｒｅｃｅｉｖｅｄ  Ｐｏｗｅｒ
【０１５２】
ＲＳＲＱ：Ｒｅｆｅｒｅｎｃｅ  Ｓｉｇｎａｌ  Ｒｅｃｅｉｖｅｄ  Ｑｕａｌｉｔｙ
【０１５３】
ＳＮＲ：Ｓｉｇｎａｌ  ｔｏ  Ｎｏｉｓｅ  Ｒａｔｉｏ
【０１５４】
ＳＩＮＲ：Ｓｉｇｎａｌ  ｔｏ  Ｉｎｔｅｒｆｅｒｅｎｃｅ  ｐｌｕｓ  Ｎｏｉｓｅ  Ｒａｔｉｏ
【０１５５】
ＵＲＬＬＣ：Ｕｌｔｒａ  Ｒｅｌｉａｂｌｅ  Ｌｏｗ  Ｌａｔｅｎｃｙ  Ｃｏｍｍｕｎｉｃａｔｉｏｎ
【０１５６】
ＰＵＳＣＨ：Ｐｈｙｓｉｃａｌ  Ｕｐｌｉｎｋ  Ｓｈａｒｅｄ  Ｃｈａｎｎｅｌｓ
【０１５７】
ＰＵＣＣＨ：Ｐｈｙｓｉｃａｌ  Ｕｐｌｉｎｋ  Ｃｏｎｔｒｏｌ  Ｃｈａｎｎｅｌｓ
【０１５８】
ＰＤＣＣＨ：Ｐｈｙｓｉｃａｌ  Ｄｏｗｎｌｉｎｋ  Ｃｏｎｔｒｏｌ  Ｃｈａｎｎｅｌｓ
【０１５９】
ＰＤＳＣＨ：Ｐｈｙｓｉｃａｌ  Ｄｏｗｎｌｉｎｋ  Ｓｈａｒｅｄ  Ｃｈａｎｎｅｌｓ
【０１６０】
ＩＤ：Ｉｄｅｎｔｉｔｙ（ｏｒ  ｉｄｅｎｔｉｔｙ／ｉｄｅｎｔｉｆｉｃａｔｉｏｎ  ｎｕｍｂｅｒを意味する）
【０１６１】
ＵＬ：Ｕｐｌｉｎｋ
【０１６２】
ＤＬ：Ｄｏｗｎｌｉｎｋ
【０１６３】
ＵＥ：Ｕｓｅｒ  ｅｑｕｉｐｍｅｎｔ（端末を意味する）
【０１６４】
ｇＮＢ：ｇｅｎｅｒｉｃ  ＮｏｄｅＢ（基地局と類似の概念）
【０１６５】
初期アクセス（Ｉｎｉｔｉａｌ  Ａｃｃｅｓｓ、ＩＡ）手続き
【０１６６】
ＳＳＢ（Ｓｙｎｃｈｒｏｎｉｚａｔｉｏｎ  Ｓｉｇｎａｌ  Ｂｌｏｃｋ）の送信及び関連動作
【０１６７】
図７は、ＳＳＢの構造を例示する。端末はＳＳＢに基づいて、セルサーチ（ｓｅａｒｃｈ）、システム情報の獲得、初期アクセスのためのビーム整列、ＤＬ測定等を行うことができる。ＳＳＢは、ＳＳ／ＰＢＣＨ（Ｓｙｎｃｈｒｏｎｉｚａｔｉｏｎ  Ｓｉｇｎａｌ／Ｐｈｙｓｉｃａｌ  Ｂｒｏａｄｃａｓｔ  ｃｈａｎｎｅｌ）ブロックと混用される。
【０１６８】
図７を参照すると、ＳＳＢはＰＳＳ、ＳＳＳ及びＰＢＣＨで構成される。ＳＳＢは４個の連続したＯＦＤＭシンボルに構成され、ＯＦＤＭシンボル別にＰＳＳ、ＰＢＣＨ、ＳＳＳ／ＰＢＣＨ、及びＰＢＣＨが送信される。ＰＳＳとＳＳＳは各々１個のＯＦＤＭシンボルと１２７個の副搬送波で構成され、ＰＢＣＨは、３個のＯＦＤＭシンボルと５７６個の副搬送波で構成される。ＰＢＣＨには、ポーラーコーディング及びＱＰＳＫ（Ｑｕａｄｒａｔｕｒｅ  Ｐｈａｓｅ  Ｓｈｉｆｔ  Ｋｅｙｉｎｇ）が適用される。ＰＢＣＨはＯＦＤＭシンボル毎にデータＲＥとＤＭＲＳ（Ｄｅｍｏｄｕｌａｔｉｏｎ  Ｒｅｆｅｒｅｎｃｅ  Ｓｉｇｎａｌ）ＲＥで構成される。ＲＢ別に３個のＤＭＲＳ  ＲＥが存在し、ＤＭＲＳ  ＲＥの間には３個のデータＲＥが存在する。
【０１６９】
セルサーチ（ｓｅａｒｃｈ）
【０１７０】
セルサーチは、端末がセルの時間／周波数同期を獲得し、前記セルのセルＩＤ（Ｉｄｅｎｔｉｆｉｅｒ）（例えば、Ｐｈｙｓｉｃａｌ  ｌａｙｅｒ  Ｃｅｌｌ  ＩＤ、ＰＣＩＤ）を検出する過程を意味する。ＰＳＳは、セルＩＤのグループ内からセルＩＤを検出するのに使用され、ＳＳＳはセルＩＤのグループを検出するのに使用される。ＰＢＣＨは、ＳＳＢ（時間）インデックスの検出及びハーフフレームの検出に使用される。
【０１７１】
端末のセルサーチ過程は、下記表６のように整理できる。
【０１７２】
【表６】
2021516461.tif 000065
【０１７３】
３３６個のセルＩＤのグループが存在し、セルＩＤのグループ別に３個のセルＩＤが存在する。計１００８個のセルＩＤが存在し、セルＩＤは数式３により定義されることができる。
【０１７４】
【数３】
2021516461.tif 000066
【０１７５】
ここで、
2021516461.tif 000067
であり、
2021516461.tif 000068
。
【０１７６】
ここで、ＮｃｅｌｌＩＤはセルＩＤ（例、ＰＣＩＤ）を示す。Ｎ（１）ＩＤはセルＩＤのグループを示し、ＳＳＳを介して提供／獲得される。Ｎ（２）ＩＤはセルＩＤのグループ内のセルＩＤを示し、ＰＳＳを介して提供／獲得される。
【０１７７】
ＰＳＳのシーケンスｄＰＳＳ（ｎ）は、数式４を満たすように定義されることができる。
【０１７８】
【数４】
2021516461.tif 000069
【０１７９】
ここで、
2021516461.tif 000070
であり、
2021516461.tif 000071
である。
【０１８０】
ＳＳＳのシーケンスｄＳＳＳ（ｎ）は、数式５を満たすように定義されることができる。
【０１８１】
【数５】
2021516461.tif 000072
【０１８２】
ここで、
2021516461.tif 000073
であり、
2021516461.tif 000074
である。
【０１８３】
図８は、ＳＳＢの送信を例示する。
【０１８４】
ＳＳＢは、ＳＳＢの周期（ｐｅｒｉｏｄｉｃｉｔｙ）に合わせて周期的に送信される。初期セルサーチの際に端末が仮定するＳＳＢの基本周期は２０ｍｓで定義される。セルのアクセスの後、ＳＳＢの周期はネットワーク（例、基地局）により｛５ｍｓ、１０ｍｓ、２０ｍｓ、４０ｍｓ、８０ｍｓ、１６０ｍｓ｝のうち一つに設定されることができる。ＳＳＢの周期の開始部分にＳＳＢのバースト（ｂｕｒｓｔ）セットが構成される。ＳＳＢのバーストセットは、５ｍｓ時間のウィンドウ（即ち、ハーフフレーム）で構成され、ＳＳＢはＳＳのバーストセット内で最大Ｌ回送信されることができる。ＳＳＢの最大の送信回数Ｌは、搬送波の周波数帯域によって次のように与えられる。１つのスロットは最大２個のＳＳＢを含む。
【０１８５】
−  Ｆｏｒ  ｆｒｅｑｕｅｎｃｙ  ｒａｎｇｅ  ｕｐ  ｔｏ  ３  ＧＨｚ，  Ｌ  ＝  ４
【０１８６】
−  Ｆｏｒ  ｆｒｅｑｕｅｎｃｙ  ｒａｎｇｅ  ｆｒｏｍ  ３ＧＨｚ  ｔｏ  ６  ＧＨｚ，  Ｌ  ＝  ８
【０１８７】
−  Ｆｏｒ  ｆｒｅｑｕｅｎｃｙ  ｒａｎｇｅ  ｆｒｏｍ  ６  ＧＨｚ  ｔｏ  ５２．６  ＧＨｚ，  Ｌ  ＝  ６４
【０１８８】
ＳＳのバーストセット内でＳＳＢ候補の時間位置は、ＳＣＳによって次のように定義されることができる。ＳＳＢ候補の時間位置は、ＳＳＢのバーストセット（即ち、ハーフフレーム）内で時間の順序に従って、０〜Ｌ−１にインデクシングされる（ＳＳＢインデックス）。
【０１８９】
−  Ｃａｓｅ  Ａ  −  １５ｋＨｚ  ＳＣＳ：候補ＳＳＢの開始シンボルのインデックスは、｛２、８｝＋１４＊ｎと与えられる。搬送波の周波数が３ＧＨｚ以下である場合、ｎ＝０、１である。搬送波の周波数が３ＧＨｚ〜６ＧＨｚである場合、ｎ＝０、１、２、３である。
【０１９０】
−  Ｃａｓｅ  Ｂ  −  ３０ｋＨｚ  ＳＣＳ：候補ＳＳＢの開始シンボルのインデックスは、｛４、８、１６、２０｝＋２８＊ｎと与えられる。搬送波の周波数が３ＧＨｚ以下である場合、ｎ＝０である。搬送波の周波数が３ＧＨｚ〜６ＧＨｚである場合、ｎ＝０、１である。
【０１９１】
−  Ｃａｓｅ  Ｃ  −  ３０ｋＨｚ  ＳＣＳ：候補ＳＳＢの開始シンボルのインデックスは、｛２、８｝＋１４＊ｎと与えられる。搬送波の周波数が３ＧＨｚ以下である場合、ｎ＝０、１である。搬送波の周波数が３ＧＨｚ〜６ＧＨｚである場合、ｎ＝０、１、２、３である。
【０１９２】
−  Ｃａｓｅ  Ｄ  −  １２０ｋＨｚ  ＳＣＳ：候補ＳＳＢの開始シンボルのインデックスは、｛４、８、１６、２０｝＋２８＊ｎと与えられる。搬送波の周波数が６ＧＨｚよりも大きい場合、ｎ＝０、１、２、３、５、６、７、８、１０、１１、１２、１３、１５、１６、１７、１８である。
【０１９３】
−  Ｃａｓｅ  Ｅ  −  ２４０ｋＨｚ  ＳＣＳ：候補ＳＳＢの開始シンボルのインデックスは、｛８、１２、１６、２０、３２、３６、４０、４４｝＋５６＊ｎと与えられる。搬送波の周波数が６ＧＨｚよりも大きい場合、ｎ＝０、１、２、３、５、６、７、８である。
【０１９４】
図９は、端末がＤＬの時間同期に関する情報を獲得することを例示する。
【０１９５】
端末はＳＳＢを検出することによって、ＤＬの同期を獲得することができる。端末は検出されたＳＳＢインデックスに基づいてＳＳＢのバーストセットの構造を識別することができ、これによって、シンボル／スロット／ハーフフレームの境界を検出することができる。検出されたＳＳＢが属するフレーム／ハーフフレームの番号は、ＳＦＮ情報とハーフフレームの指示情報を利用して識別されることができる。
【０１９６】
具体的に、端末はＰＢＣＨから１０ビットのＳＦＮ（Ｓｙｓｔｅｍ  Ｆｒａｍｅ  Ｎｕｍｂｅｒ）情報を獲得することができる（ｓ０〜ｓ９）。１０ビットのＳＦＮ情報のうち６ビットは、ＭＩＢ（Ｍａｓｔｅｒ  Ｉｎｆｏｒｍａｔｉｏｎ  Ｂｌｏｃｋ）から得られ、残りの４ビットはＰＢＣＨ  ＴＢ（Ｔｒａｎｓｐｏｒｔ  Ｂｌｏｃｋ）から得られる。
【０１９７】
次に、端末は１ビットのハーフフレームの指示情報を獲得することができる（ｃ０）。搬送波の周波数が３ＧＨｚ以下である場合、ハーフフレームの指示情報は、ＰＢＣＨ  ＤＭＲＳを利用して黙示的に（ｉｍｐｌｉｃｉｔｌｙ）シグナリングされることができる。ＰＢＣＨ  ＤＭＲＳは、８個のＰＢＣＨ  ＤＭＲＳのシーケンスのうち１つを使用することによって、３ビットの情報を指示する。従って、Ｌ＝４の場合、８個のＰＢＣＨ  ＤＭＲＳのシーケンスを利用して指示されることができる３ビットのうち、ＳＳＢインデックスを指示して残った１ビットはハーフフレームの指示用途に使用されることができる。
【０１９８】
最後に、端末は、ＤＭＲＳシーケンスとＰＢＣＨペイロードに基づいてＳＳＢインデックスを獲得することができる。ＳＳＢ候補は、ＳＳＢのバーストセット（即ち、ハーフフレーム）内で時間の順序に従って０〜Ｌ−１にインデクシングされる。Ｌ＝８又は６４である場合、ＳＳＢインデックスのＬＳＢ（Ｌｅａｓｔ  Ｓｉｇｎｉｆｉｃａｎｔ  Ｂｉｔ）３ビットは、８個の互いに異なるＰＢＣＨ  ＤＭＲＳのシーケンスを利用して指示されることができる（ｂ０〜ｂ２）。Ｌ＝６４である場合、ＳＳＢインデックスのＭＳＢ（Ｍｏｓｔ  Ｓｉｇｎｉｆｉｃａｎｔ  Ｂｉｔ）３ビットは、ＰＢＣＨを介して指示される（ｂ３〜ｂ５）。Ｌ＝２である場合、ＳＳＢインデックスのＬＳＢの２ビットは、４個の互いに異なるＰＢＣＨ  ＤＭＲＳシーケンスを利用して指示されることができる（ｂ０、ｂ１）。Ｌ＝４である場合、８個のＰＢＣＨ  ＤＭＲＳのシーケンスを利用して指示できる３ビットのうち、ＳＳＢインデックスを指示して残った１ビットは、ハーフフレームの指示用途に使用されることができる（ｂ２）。
【０１９９】
システム情報の獲得
【０２００】
図１０は、システム情報（ＳＩ）獲得の過程を例示する。端末はＳＩ獲得の過程を介して、ＡＳ−／ＮＡＳ−情報を獲得することができる。ＳＩ獲得の過程は、ＲＲＣ＿ＩＤＬＥ状態、ＲＲＣ＿ＩＮＡＣＴＩＶＥ状態、及びＲＲＣ＿ＣＯＮＮＥＣＴＥＤ状態の端末に適用されることができる。
【０２０１】
ＳＩは、ＭＩＢ（Ｍａｓｔｅｒ  Ｉｎｆｏｒｍａｔｉｏｎ  Ｂｌｏｃｋ）と複数のＳＩＢ（Ｓｙｓｔｅｍ  Ｉｎｆｏｒｍａｔｉｏｎ  Ｂｌｏｃｋ）とに分けられる。ＭＩＢ以外のＳＩは、ＲＭＳＩ（Ｒｅｍａｉｎｉｎｇ  Ｍｉｎｉｍｕｍ  Ｓｙｓｔｅｍ  Ｉｎｆｏｒｍａｔｉｏｎ）と称される。詳細な事項は次を参照することができる。
【０２０２】
−  ＭＩＢは、ＳＩＢ１（ＳｙｓｔｅｍＩｎｆｏｒｍａｔｉｏｎＢｌｏｃｋ１）の受信に関する情報／パラメータを含み、ＳＳＢのＰＢＣＨを介して送信される。初期セルの選択の際、端末はＳＳＢを有するハーフフレームが２０ｍｓの周期で繰り返されると仮定する。端末はＭＩＢに基づいてＴｙｐｅ０−ＰＤＣＣＨの共通サーチスペース（ｃｏｍｍｏｎ  ｓｅａｒｃｈ  ｓｐａｃｅ）のためのＣＯＲＥＳＥＴ（Ｃｏｎｔｒｏｌ  Ｒｅｓｏｕｒｃｅ  Ｓｅｔ）が存在するか確認できる。Ｔｙｐｅ０−ＰＤＣＣＨの共通サーチスペースはＰＤＣＣＨのサーチスペースの一種であり、ＳＩメッセージをスケジューリングするＰＤＣＣＨを送信するのに使用される。Ｔｙｐｅ０−ＰＤＣＣＨの共通サーチスペースが存在する場合、端末はＭＩＢ内の情報（例えば、ｐｄｃｃｈ−ＣｏｎｆｉｇＳＩＢ１）に基づいて、（ｉ）ＣＯＲＥＳＥＴを構成する複数の連続したＲＢと１つ以上の連続したシンボルと、（ｉｉ）ＰＤＣＣＨの機会（即ち、ＰＤＣＣＨの受信のための時間ドメイン位置）を決定することができる。Ｔｙｐｅ０−ＰＤＣＣＨの共通サーチスペースが存在しない場合、ｐｄｃｃｈ−ＣｏｎｆｉｇＳＩＢ１は、ＳＳＢ／ＳＩＢ１が存在する周波数の位置とＳＳＢ／ＳＩＢ１が存在しない周波数の範囲に関する情報を提供する。
【０２０３】
−  ＳＩＢ１は残りのＳＩＢ（以下、ＳＩＢｘ、ｘは２以上の整数）の利用可能性及びスケジューリング（例えば、送信周期、ＳＩ−ウィンドウサイズ）に関する情報を含む。例えば、ＳＩＢ１は、ＳＩＢｘが周期的に放送されるか、ｏｎ−ｄｅｍａｎｄ方式で端末の要求により提供されるか否かを知らせることができる。ＳＩＢｘがｏｎ−ｄｅｍａｎｄ方式で提供される場合、ＳＩＢ１は、端末がＳＩの要求を実行するのに必要な情報を含むことができる。ＳＩＢ１はＰＤＳＣＨを介して送信され、ＳＩＢ１をスケジューリングするＰＤＣＣＨはＴｙｐｅ０−ＰＤＣＣＨの共通サーチスペースを介して送信され、ＳＩＢ１は前記ＰＤＣＣＨにより指示されるＰＤＳＣＨを介して送信される。
【０２０４】
−  ＳＩＢｘはＳＩメッセージに含まれ、ＰＤＳＣＨを介して送信される。各々のＳＩメッセージは、周期的に発生する時間ウィンドウ（即ち、ＳＩ−ウィンドウ）内で送信される。
【０２０５】
チャネルの測定及びレートマッチング
【０２０６】
図１１は、実際に送信されるＳＳＢ（ＳＳＢ＿ｔｘ）を知らせる方法を例示する。
【０２０７】
ＳＳＢのバーストセット内で、ＳＳＢは最大Ｌ個が送信され得るが、ＳＳＢが実際に送信される個数／位置は、基地局／セル別に変わり得る。ＳＳＢが実際に送信される個数／位置は、レートマッチングと測定のために使用され、実際に送信されたＳＳＢに関する情報は次のように指示される。
【０２０８】
−  レートマッチングに関する場合：端末固有（ｓｐｅｃｉｆｉｃ）のＲＲＣシグナリングやＲＭＳＩを介して指示されることができる。端末固有のＲＲＣシグナリングは、６ＧＨｚ以下及び６ＧＨｚ以上の周波数範囲で全てフル（ｆｕｌｌ）（例、長さＬ）ビットマップを含む。反面、ＲＭＳＩは６ＧＨｚ以下でフルビットマップを含み、６ＧＨｚ以上では、示すように圧縮形態のビットマップを含む。具体的に、グループ−ビットマップ（８ビット）＋グループ内のビットマップ（８ビット）を利用して、実際に送信されたＳＳＢに関する情報が指示できる。ここで、端末固有のＲＲＣシグナリングやＲＭＳＩを介して指示されたリソース（例、ＲＥ）はＳＳＢの送信のために予約され、ＰＤＳＣＨ／ＰＵＳＣＨ等はＳＳＢリソースを考慮してレートマッチングされることができる。
【０２０９】
−  測定に関する場合：ＲＲＣ接続（ｃｏｎｎｅｃｔｅｄ）モードにある場合、ネットワーク（例、基地局）は、測定区間内で測定されるＳＳＢセットを指示することができる。ＳＳＢセットは周波数レイヤー（ｆｒｅｑｕｅｎｃｙ  ｌａｙｅｒ）別に指示されることができる。ＳＳＢセットに関する指示がない場合、デフォルトＳＳＢセットが使用される。デフォルトＳＳＢセットは、測定区間内の全てのＳＳＢを含む。ＳＳＢセットは、ＲＲＣシグナリングのフル（ｆｕｌｌ）（例、長さＬ）ビットマップを利用して指示されることができる。ＲＲＣアイドル（ｉｄｌｅ）モードにある場合、デフォルトＳＳＢセットが使用される。
【０２１０】
ＤＲＸ（Ｄｉｓｃｏｎｔｉｎｕｏｕｓ  Ｒｅｃｅｐｔｉｏｎ）動作
【０２１１】
端末は前記で説明／提案した手続及び／又は方法を行いながら、ＤＲＸ動作を行うことができる。ＤＲＸが設定された端末は、ＤＬ信号を不連続的に受信することによって電力消費を低くすることができる。ＤＲＸは、ＲＲＣ（Ｒａｄｉｏ  Ｒｅｓｏｕｒｃｅ  Ｃｏｎｔｒｏｌ）＿ＩＤＬＥ状態、ＲＲＣ＿ＩＮＡＣＴＩＶＥ状態、ＲＲＣ＿ＣＯＮＮＥＣＴＥＤ状態で実行され得る。ＲＲＣ＿ＩＤＬＥ状態とＲＲＣ＿ＩＮＡＣＴＩＶＥ状態で、ＤＲＸはページング信号を不連続に受信するのに使用される。以下、ＲＲＣ＿ＣＯＮＮＥＣＴＥＤ状態で実行されるＤＲＸに関して説明する（ＲＲＣ＿ＣＯＮＮＥＣＴＥＤ  ＤＲＸ）。
【０２１２】
図１２は、ＤＲＸのサイクルを例示する（ＲＲＣ＿ＣＯＮＮＥＣＴＥＤ状態）。
【０２１３】
図１２を参照すると、ＤＲＸのサイクルは、Ｏｎ  ＤｕｒａｔｉｏｎとＯｐｐｏｒｔｕｎｉｔｙ  ｆｏｒ  ＤＲＸで構成される。ＤＲＸのサイクルは、Ｏｎ  Ｄｕｒａｔｉｏｎが周期的に繰り返される時間間隔を定義する。Ｏｎ  Ｄｕｒａｔｉｏｎは、端末がＰＤＣＣＨを受信するためにモニタリングする時間区間を示す。ＤＲＸが設定されると、端末はＯｎ  Ｄｕｒａｔｉｏｎの間にＰＤＣＣＨのモニタリングを行う。ＰＤＣＣＨのモニタリングの間に検出に成功したＰＤＣＣＨがある場合、端末はｉｎａｃｔｉｖｉｔｙタイマーを動作させて解除した（ａｗａｋｅ）状態を維持する。反面、ＰＤＣＣＨのモニタリングの間に検出に成功したＰＤＣＣＨがない場合、端末はＯｎ  Ｄｕｒａｔｉｏｎが終わった後、スリープ（ｓｌｅｅｐ）の状態に入る。従って、ＤＲＸが設定された場合、前記で説明／提案した手続及び／又は方法を行うにあたって、ＰＤＣＣＨのモニタリング／受信が時間ドメインで不連続的に実行され得る。例えば、ＤＲＸが設定された場合、本発明でＰＤＣＣＨの受信機会（ｏｃｃａｓｉｏｎ）（例、ＰＤＣＣＨのサーチスペースを有するスロット）は、ＤＲＸの設定によって不連続的に設定され得る。反面、ＤＲＸが設定されない場合、前記で説明／提案した手続及び／又は方法を行うにあたって、ＰＤＣＣＨのモニタリング／受信が時間ドメインで連続的に実行され得る。例えば、ＤＲＸが設定されない場合、本発明でＰＤＣＣＨの受信機会（例、ＰＤＣＣＨのサーチスペースを有するスロット）は連続的に設定され得る。一方、ＤＲＸの設定有無と関係なく、測定ギャップに設定された時間区間ではＰＤＣＣＨのモニタリングが制限され得る。
【０２１４】
表７は、ＤＲＸと関連した端末の過程を示す（ＲＲＣ＿ＣＯＮＮＥＣＴＥＤ状態）。表Ｕ１を参照すると、ＤＲＸの構成情報は、上位層（例、ＲＲＣ）のシグナリングを介して受信され、ＤＲＸのＯＮ／ＯＦＦの可否はＭＡＣ層のＤＲＸコマンドにより制御される。ＤＲＸが設定されると、端末は図８で例示したように、本発明に説明／提案した手続及び／又は方法を行うにあたって、ＰＤＣＣＨのモニタリングを不連続的に実行することができる。
【０２１５】
【表７】
2021516461.tif 000075
【０２１６】
ここで、ＭＡＣ−ＣｅｌｌＧｒｏｕｐＣｏｎｆｉｇは、セルグループのためのＭＡＣ（Ｍｅｄｉｕｍ  Ａｃｃｅｓｓ  Ｃｏｎｔｒｏｌ）パラメータを設定するのに必要な構成情報を含む。ＭＡＣ−ＣｅｌｌＧｒｏｕｐＣｏｎｆｉｇは、ＤＲＸに関する構成情報も含むことができる。例えば、ＭＡＣ−ＣｅｌｌＧｒｏｕｐＣｏｎｆｉｇは、ＤＲＸを定義する際に、情報を次のように含むことができる。
【０２１７】
−  Ｖａｌｕｅ  ｏｆ  ｄｒｘ−ＯｎＤｕｒａｔｉｏｎＴｉｍｅｒ：ＤＲＸのサイクルの開始区間の長さを定義
【０２１８】
−  Ｖａｌｕｅ  ｏｆ  ｄｒｘ−ＩｎａｃｔｉｖｉｔｙＴｉｍｅｒ：初期のＵＬ又はＤＬデータを指示するＰＤＣＣＨが検出されたＰＤＣＣＨの機会以降に端末が解除された状態にある時間区間の長さを定義
【０２１９】
−  Ｖａｌｕｅ  ｏｆ  ｄｒｘ−ＨＡＲＱ−ＲＴＴ−ＴｉｍｅｒＤＬ：ＤＬの初期送信が受信された後、ＤＬの再送信が受信されるまでの最大の時間区間の長さを定義。
【０２２０】
−  Ｖａｌｕｅ  ｏｆ  ｄｒｘ−ＨＡＲＱ−ＲＴＴ−ＴｉｍｅｒＤＬ：ＵＬの初期送信に対するグラントが受信された後、ＵＬの再送信に対するグラントが受信されるまでの最大の時間区間の長さを定義。
【０２２１】
−  ｄｒｘ−ＬｏｎｇＣｙｃｌｅＳｔａｒｔＯｆｆｓｅｔ：ＤＲＸのサイクルの時間長と開始時点を定義
【０２２２】
−  ｄｒｘ−ＳｈｏｒｔＣｙｃｌｅ（ｏｐｔｉｏｎａｌ）：ｓｈｏｒｔ  ＤＲＸのサイクルの時間長を定義
【０２２３】
ここで、ｄｒｘ−ＯｎＤｕｒａｔｉｏｎＴｉｍｅｒ、ｄｒｘ−ＩｎａｃｔｉｖｉｔｙＴｉｍｅｒ、ｄｒｘ−ＨＡＲＱ−ＲＴＴ−ＴｉｍｅｒＤＬ、ｄｒｘ−ＨＡＲＱ−ＲＴＴ−ＴｉｍｅｒＤＬのいずれかであっても動作中であれば、端末は解除した状態を維持しつつ、各ＰＤＣＣＨの機会毎にＰＤＣＣＨのモニタリングを行う。
【０２２４】
前記で見た内容（ＮＲ  ｓｙｓｔｅｍ、ｆｒａｍｅ  ｓｔｒｕｃｔｕｒｅ等）は、後述する本明細書で提案する方法と結合して適用でき、又は本明細書で提案する方法の技術的特徴を明確にするために補充できる。
【０２２５】
本明細書で使用される「Ａ／Ｂ」の表現は、Ａ及び／又はＢ、Ａ又はＢのうち少なくとも一つ等と同じ意味と解釈され得る。
【０２２６】
特定の長さを有するシーケンスの複数個が予め定義できる。これは、アップリンク及び／又はダウンリンクのデータ信号／制御信号／参照信号等の送信のために使用されることができる。このように予め定義しておくシーケンスは、シーケンスのＰＡＰＲ（Ｐｅａｋ−ｔｏ−Ａｖｅｒａｇｅ  Ｐｏｗｅｒ  Ｒａｔｉｏ）特性、自己相関（Ａｕｔｏ−ｃｏｒｒｅｌａｔｉｏｎ）特性等の様々な基準に定義（又は決定）されることができる。
【０２２７】
本明細書は、シーケンスの各ｅｌｅｍｅｎｔがＭ−ＰＳＫ（Ｐｈａｓｅ  Ｓｈｉｆｔ  Ｋｅｙｉｎｇ）、Ｍ−ＱＡＭ（Ｑｕａｄｒａｔｕｒｅ  Ａｍｐｌｉｔｕｄｅ  Ｍｏｄｕｌａｔｉｏｎ）等のシンボルで構成されるｌｅｎｇｔｈ−Ｎ（シーケンスの長さがＮ）のシーケンスを設計する方法について提案する。
【０２２８】
ＦＤＳＳ（Ｆｒｅｑｕｅｎｃｙ  Ｄｏｍａｉｎ  Ｓｐｅｃｔｒｕｍ  Ｓｈａｐｉｎｇ）フィルタを使用する場合、一般的にＰＡＰＲの性能が向上すると知られている。これに対する例示として図７を見ることができる。このような理由で、ｐｉ／２  ＢＰＳＫ  ｍｏｄｕｌａｔｉｏｎシンボルで構成されるシーケンス、Ｍ−ＰＳＫシンボルで構成されるシーケンスの設計のために、ＦＤＳＳフィルタを共に考慮する方式が提案された。
【０２２９】
図１３は、ＦＤＳＳフィルタを使用する場合とＦＤＳＳフィルタを使用しない場合に対する多くのシーケンスのＰＡＰＲの性能を示した図である。
【０２３０】
図１３で、ＦＤＳＳフィルタは［０．２８  １  ０．２８］の時間領域の応答に該当する。ここで、［０．２８  １  ０．２８］は、周波数領域で中が高いｆｉｌｔｅｒの横が削れることを示す。
【０２３１】
図１３での７１０は、ＦＤＳＳを使用したシーケンスのＰＡＰＲの性能を示し、７２０は、ＦＤＳＳを使用しないシーケンスのＰＡＰＲの性能を示す。
【０２３２】
かなり多くのシーケンスに対するＰＡＰＲの性能を見たとき、ＦＤＳＳ  ｆｉｌｔｅｒを使用する場合、ＰＡＰＲの性能が向上することが分かる。
【０２３３】
例えば、ＦＤＳＳは［０．２８，  ０．２８，  １．００］の時間領域の応答に該当する。
【０２３４】
しかしながら、特定の１つのシーケンスの観点から見たとき、ＰＡＰＲを最小化する最適のＦＤＳＳフィルタが、シーケンス別に異なることもある。しかしながら、シーケンス毎に異なるフィルタを使用する場合、基地局と端末の演算複雑度及び／又は不要な具現化の複雑度等の問題が発生し得る。また、端末と基地局の具現化によって、使用するフィルタが変わることもあり、ＦＤＳＳを使用することによる複雑度の増加又はＢＬＥＲ（Ｂｌｏｃｋ  Ｅｒｒｏｒ  Ｒａｔｅ）が増加する等の理由で、ＦＤＳＳを使用しないこともある。
【０２３５】
従って、本明細書は、Ｍ−ＰＳＫ又はＭ−ＱＡＭシンボルで構成されるＬｅｎｇｔｈ−Ｎ  ｓｅｑｕｅｎｃｅ  ｓｅｔを構成（又は定義又は使用）する際、ＦＤＳＳフィルタを使用する場合と使用しない場合の両方を考慮し、ｓｅｑｕｅｎｃｅ  ｓｅｔを構成（又は定義）する方法を提案する。
【０２３６】
以下、本明細書で提案する方法（又は提案）は、ＤＬの送信及び／又はＵＬの送信に使用されるｗａｖｅｆｏｒｍ（ＣＰ−ＯＦＤＭ（ｏｒ  ｔｒａｎｓｆｏｒｍ  ｐｒｅｃｏｄｉｎｇ  ｄｉｓａｂｌｅｄ）、ＤＦＴ−ｓ−ＯＦＤＭ（ｔｒａｎｓｆｏｒｍ  ｐｒｅｃｏｄｉｎｇ  ｅｎａｂｌｅｄ））にそれぞれ適用されることができる。これに関して、端末は下記の提案方法が適用されるｗａｖｅｆｏｒｍに対する情報を基地局からＲＲＣ  ｓｉｇｎａｌｉｎｇを受信することができる。
【０２３７】
即ち、前記ＲＲＣ  ｓｉｇｎａｌｉｎｇは、ＤＬの送信及び／又はＵＬの送信に利用されるｗａｖｅｆｏｒｍの種類を示す情報を含むことができる。また、前記ＲＲＣ  ｓｉｇｎａｌｉｎｇは、下記提案するシーケンスの生成方法が適用できるＲＳ（ｒｅｆｅｒｅｎｃｅ  ｓｉｇｎａｌ）のｃｏｎｆｉｇｕｒａｔｉｏｎ  ＩＥの形態であり得る。
【０２３８】
Ｗａｖｅｆｏｒｍの種類を示す情報がＲＳ  ｃｏｎｆｉｇｕｒａｔｉｏｎ  ＩＥの形態で含まれる場合、下記の表のようなフィールド（又はパラメータ又は情報）を含むことができる。
【０２３９】
表８は、ＣＰ−ＯＦＤＭが適用される場合の一例を示す。
【０２４０】
【表８】
2021516461.tif 000076
【０２４１】
表９は、ＤＦＴ−ｓ−ＯＦＤＭが適用される場合の一例を示す。
【０２４２】
【表９】
2021516461.tif 000077
【０２４３】
前記ｔｒａｎｓｆｏｒｍ  ｐｒｅｃｏｄｉｎｇは、ｔｒａｎｓｆｏｒｍ  ｐｒｅｃｏｄｅｒ等の表現で使用されてもよい。
【０２４４】
また、以下で提案するシーケンスの生成及びシーケンスの初期化値の決定等に下記のｐｓｅｕｄｏ−ｒａｎｄｏｍ  ｓｅｑｕｅｎｃｅ（ｃ（ｉ））と関連した数式及び値が使用できる。
【０２４５】
一般的な疑似ランダムシーケンスは、長さ−３１のゴールドシーケンスにより定義される。長さ
2021516461.tif 000078
の出力シーケンス
2021516461.tif 000079
は、下記の数式６により定義される。ここで、
2021516461.tif 000080
である。
【０２４６】
【数６】
2021516461.tif 000081
【０２４７】
ここで、
2021516461.tif 000082
であり、一番目のｍ−シーケンス
2021516461.tif 000083
は、
2021516461.tif 000084
と初期化される。
【０２４８】
二番目のｍ−シーケンス
2021516461.tif 000085
の初期化は、シーケンスの適用（ａｐｐｌｉｃａｔｉｏｎ）に依存する値を有する
2021516461.tif 000086
により記載される。
【０２４９】
（方法１）
【０２５０】
シーケンスの長さがＮ（＞０）であり、シーケンスの各要素（ｅｌｅｍｅｎｔ）がＭ（＞０）−ＰＳＫ及び／又はＭ−ＱＡＭシンボルで構成されているＫ（＞０）個のシーケンス（ａ  ｓｅｔ  ｏｆ  Ｋ  ｓｅｑｕｅｎｃｅｓ）を下記で提示する規則（又は条件）に基づいて設計（又は生成又は定義）することができる。ここで、ｌｅｎｇｔｈ−Ｎのシーケンスであるので、考慮し得る全シーケンスの個数は
2021516461.tif 000087
である。即ち、全
2021516461.tif 000088
個の可能なシーケンスのうち、計
2021516461.tif 000089
個のシーケンスを選択（又は選別）する規則（又は条件）を提案するものと見ることができる。
【０２５１】
（１）全
2021516461.tif 000090
個のシーケンスのうち、Ｋ個のシーケンスの間には特定の臨界値（ｔｈｒｅｓｈｏｌｄ）又は特定のレベル以下の低い相互相関（ｃｒｏｓｓ−ｃｏｒｒｅｌａｔｉｏｎ）の特性を有するように選別（又は決定）されることができる。
【０２５２】
（２）全
2021516461.tif 000091
個のシーケンスのうち、特定のｔｈｒｅｓｈｏｌｄ又は特定のレベル以下に低いａｕｔｏ  ｃｏｒｒｅｌａｔｉｏｎの特性を有するＫ個のシーケンスが選別（又は決定）されることができる。前記Ａｕｔｏ−ｃｏｒｒｅｌａｔｉｏｎ値は、特定のｃｏｒｒｅｌａｔｉｏｎ  Ｌａｇに対するものであってもよく、１つ以上のｃｏｒｒｅｌａｔｉｏｎ  ｌａｇｓに対するａｕｔｏ−ｃｏｒｒｅｌａｔｉｏｎ値に対するｔｈｒｅｓｈｏｌｄを考慮し、Ｋ個のシーケンスを選別（又は決定）することができる。
【０２５３】
（３）全
2021516461.tif 000092
個のシーケンスのうち、特定のｔｈｒｅｓｈｏｌｄ又は特定のレベル以下に低いｃｙｃｌｉｃ  ｓｈｉｆｔ  ａｕｔｏ−ｃｏｒｒｅｌａｔｉｏｎの特性を有するＫ個のシーケンスが選別（又は決定）できる。より具体的な例示として、ｌｅｎｇｔｈ−Ｎのシーケンスで、＋Ｌ、＋Ｌ−１、＋  Ｌ−２、…、−Ｌ＋１、及び／又は−Ｌ個の要素をｃｙｃｌｉｃ  ｓｈｉｆｔしたものとｃｙｃｌｉｃ  ｓｈｉｆｔしていないものとの間のｃｏｒｒｅｌａｔｉｏｎが低いＫ個のシーケンスを選別することができる。前記Ｌは、Ｎ−１よりも小さいか等しい。
【０２５４】
即ち、ｎ番目の特定のシーケンスを
2021516461.tif 000093
で定義する場合、下記の数式７の値が小さいシーケンスを選別することができる。
【０２５５】
【数７】
2021516461.tif 000094
【０２５６】
（４）選別されるＫ個のシーケンスのうち、特定のｌｅｎｇｔｈ−Ｎのシーケンスの可能なｃｙｃｌｉｃ  ｓｈｉｆｔされた形態は、全て同一のシーケンスと見なすことができる。従って、Ｋ個の選別されたシーケンスのうち、いかなる特定のシーケンスも他のシーケンスの可能なｃｙｃｌｉｃ  ｓｈｉｆｔの形態と同一ではない。
【０２５７】
（５）全
2021516461.tif 000095
個のシーケンスのうち、Ｋ個のシーケンスに特定のＦＤＳＳフィルタを適用する際、特定のｔｈｒｅｓｈｏｌｄ又は特定のレベル（例、Ｘ（＞０）ｄＢ）以下の低いＰＡＰＲの特性を示すようにシーケンスが選別（又は決定又は定義）できる。
【０２５８】
例えば、前記ＦＤＳＳフィルタは、時間領域の応答［０．２８  １  ０．２８］に該当するＦＤＳＳフィルタであり得る。
【０２５９】
さらに、２つ以上のｍｕｌｔｉｐｌｅ  ＦＤＳＳフィルタが使用されることが考慮され得る。特定のシーケンス毎に各ＦＤＳＳフィルタを適用する際に示すＰＡＰＲの性能が異なるため、これを考慮してｍｕｌｔｉｐｌｅ  ＦＤＳＳフィルタが使用できる。
【０２６０】
（６）全
2021516461.tif 000096
個のシーケンスのうち、Ｋ個のシーケンスにＦＤＳＳフィルタを使用しなくても、特定のｔｈｒｅｓｈｏｌｄ又は特定のレベル（例、Ｙ（＞０）ｄＢ）以下の低いＰＡＰＲの特性を示すようにシーケンスが選別（又は決定又は定義）できる。
【０２６１】
（７）特定のｌｅｎｇｔｈ−Ｎのシーケンスで、シーケンス要素（ｓｅｑｕｅｎｃｅ  ｅｌｅｍｅｎｔ）別に同一のｐｈａｓｅが掛けられた形態のシーケンスは、互いに異なるシーケンスと考慮せず、同一のシーケンスと見なす。
【０２６２】
これは、ｐｈａｓｅのみｓｈｉｆｔされた形態のシーケンスを使用する場合、チャネルのためｐｈａｓｅがｓｈｉｆｔされているか等、シーケンスを区別するのに問題が発生するため、互いに異なるシーケンスに使用するのが難しいためである。
【０２６３】
前記方法１は、特定のアンテナポートに（例、特定のＲＳ（Ｒｅｆｅｒｅｎｃｅ  Ｓｉｇｎａｌ）  ａｎｔｅｎｎａ  ｐｏｒｔ）に対して適用されてもよく、多数のアンテナポートに対して同じ規則が適用されてもよい。或いは、前記規則のうち一部又は全てがアンテナポート別の特性を考慮し、各アンテナ別に適用（又は使用）されることができる。
【０２６４】
前記規則を全て考慮し、前記で提示した全ての条件を満たすシーケンスが選別（又は決定又は使用）されてもよく、前記規則のうち１つ以上を考慮し、Ｋ個のシーケンスが選別されてもよい。
【０２６５】
−  例えば、全
2021516461.tif 000097
個のシーケンスで、ＦＤＳＳフィルタを適用した際、特定の水準／ｔｈｒｅｓｈｏｌｄ（例、Ｘ  ｄＢ）以下のＰＡＰＲの性能を示すと同時に、ＦＤＳＳフィルタを適用しない際にも、特定の水準／ｔｈｒｅｓｈｏｌｄ（例、Ｙ  ｄＢ）以下のＰＡＰＲの性能を示すシーケンスＫ個を選別し、１つのシーケンスｓｅｔで定義（又は選別）できる。
【０２６６】
このようなシーケンス及び／又はシーケンスｓｅｔは、端末／基地局が参照信号及び／又はデータ伝送のために使用されることができる。
【０２６７】
前記ＦＤＳＳフィルタの適用有無による条件に応じて選別したシーケンスに対して（選別したシーケンスがＫ個以上であることを仮定する）更にａｕｔｏ−ｃｏｒｒｅｌａｔｉｏｎ及び／又はｃｙｃｌｉｃ−ａｕｔｏ  ｃｏｒｒｅｌａｔｉｏｎが特定の水準／レベル以下に低いＫ個のシーケンスを選別し、１つのシーケンスｓｅｔと決定できる。
【０２６８】
選別されたＫ個のシーケンスは、１つのシーケンスｓｅｔで定義（又は決定）され、端末及び基地局が使用することができ、特定時点に端末がどのシーケンスを使用するか、基地局が端末に指示／設定できる。参考までに、前記Ｍ−ＰＳＫ及びＭ−ＱＡＭシンボルは、変調次数（ｍｏｄｕｌａｔｉｏｎ  ｏｒｄｅｒ）がＭであるＰｈａｓｅ  ｓｈｉｆｔ  ｋｅｙｉｎｇ  ｍｏｄｕｌａｔｉｏｎシンボル及びｍｏｄｕｌａｔｉｏｎ  ｏｒｄｅｒがＭであるＱｕａｄｒａｔｕｒｅ  Ａｍｐｌｉｔｕｄｅ  ｍｏｄｕｌａｔｉｏｎシンボルを意味する。
【０２６９】
図１４は、ＤＦＴ−ｓ−ＯＦＤＭベースのシステムに対するシステムモデル及び／又は手続の一例を示す。
【０２７０】
前記方法１の適用例示としてＣＰ−ＯＦＤＭベースのシステム及びＤＦＴ−ｓ−ＯＦＤＭベースのシステムを考慮することができる。前記図１４に方法１をＤＦＴ−ｓ−ＯＦＤＭベースのシステムに適用する際に必要な手続（又は過程）を示している。
【０２７１】
前記図１４で、ｌｅｎｇｔｈ−Ｎ  ｓｅｑｕｅｎｃｅ  ｓｅｔは、ｉｎｔｅｇｅｒ  ｉｎｄｅｘで構成されたｓｅｑｕｅｎｃｅ  ｓｅｔ、ｂｉｎａｒｙ  ｉｎｆｏｒｍａｔｉｏｎで構成されたｓｅｑｕｅｎｃｅ  ｓｅｔ等の様々な形態で構成されることができる。また、送信機（端末又は基地局）の具現化の複雑度の問題又はＦＤＳＳ  ｆｉｌｔｅｒを使用することによって発生する信号伝送誤謬の増加等の問題でＦＤＳＳを使用しなくてもよい。これを反映し、前記図８にＦＤＳＳを適用しない場合と、ＦＤＳＳを適用する場合を分けて示している。また、これを選択的に送信機が適用してもよい。前記図１４に示してはいないが、送信機の実現によって、ＦＤＳＳ  ｆｉｌｔｅｒを使用する場合と、ＦＤＳＳ  ｆｉｌｔｅｒを使用しない場合の二つのうち一つのみで実現されることができ、このような送信機にも提案する方式は依然として有用に使用されることができる。
【０２７２】
前記提案する方式で、送信機の多様な実現方式を勘案し、シーケンスを定義（又は設計又は選別）して使用できるというメリットがある。
【０２７３】
（方法１−１）
【０２７４】
提案するＫ個のシーケンスを同一のｓｌｏｔ内でｍｕｌｔｉｐｌｅ  ＯＦＤＭシンボルにわたって使用する際、Ｋ個のシーケンス間のｃｒｏｓｓ−ｃｏｒｒｅｌａｔｉｏｎ／ａｕｔｏ−ｃｏｒｒｅｌａｔｉｏｎ等の特性を考慮する必要がある。
【０２７５】
−  連接された（ｃｏｎｃａｔｅｎａｔｅｄ）２個のＯＦＤＭシンボルでＫ個のシーケンスのうち、各シンボル当たり１つのシーケンスを使用して２個のシーケンスを使用する際、Ｋ個のシーケンスのうち、先に使用されたシーケンスとｃｒｏｓｓ−ｃｏｒｒｅｌａｔｉｏｎが最も小さいシーケンスを次のシンボルに使用できる。このため、特定のシーケンスとｃｒｏｓｓ−ｃｏｒｒｅｌａｔｉｏｎが最も小さいｓｅｑｕｅｎｃｅを１つのｐａｉｒで定義（又は決定又は設定）できる。即ち、特定のシーケンスのインデックスｕとｃｒｏｓｓ−ｃｏｒｒｅｌａｔｉｏｎが最も小さいｓｅｑｕｅｎｃｅ  ｉｎｄｅｘ  ｕ’をｐａｉｒで定義（又は設定）できる。前記１つのｐａｉｒの一例は（ｕ，ｕ’）であり得る。
【０２７６】
更に、前記方法１でシーケンスを選別する全個数
2021516461.tif 000098
の値によってシーケンスを選択（又は選別）する規則（又は条件）として言及された（１）、（２）、（３）、（４）、（５）、（６）の６個の規則（又は条件）のうち１つ又は全てを変更しつつ、シーケンスを選別するか見付けることができる。例えば、選別するシーケンスの数が１００個であると仮定し（即ち、１つのｓｅｑｕｅｎｃｅ  ｓｅｔが１００個のシーケンスで構成されれば）、前記条件（又は規則）６個を全て満たすシーケンスを見付けると仮定する。この際、最大に許容するｃｒｏｓｓ−ｃｏｒｒｅｌａｔｉｏｎ値、ｃｙｃｌｉｃ  ａｕｔｏ−ｃｏｒｒｅｌａｔｉｏｎ値、ｆｉｌｔｅｒを適用した際の最大に許容可能なＰＡＰＲ値を特定の値に設定し、シーケンスを選別した際、可能なシーケンスの個数が１００個を超えることができる。
【０２７７】
従って、見付けようとするシーケンスの個数を固定しておき、前記条件をさらに強い制限条件に変更しつつ、見付けようとするシーケンスの個数を見付けることができる。
【０２７８】
前記方法１に関して、提案する方式（又はアルゴリズム）に対するフローチャートを図１５のように示すことができる。また、前記フローチャートの各段階は、同時に行われてもよく、又は独立して行われてもよい。或いは、各段階の順序の一部が変更されてもよい。
【０２７９】
図１５は、本明細書で提案する方法１のフローチャートを示す図である。
【０２８０】
図１５で、まず、送信機（端末又は基地局）は各シーケンスの長さがＮ（＞１）であり、シーケンスを構成する各要素がＭ−ＰＳＫ／Ｍ−ＱＡＭシンボルであるシーケンスＫ（＞１）個を見付けるために、ＮとＭを決定する（Ｓ１）。
【０２８１】
以降、送信機は見付けようとするＫ個のシーケンスの特性を決定するために、１）特定のＦＤＳＳフィルタを使用する際に許容するＰＡＰＲ値、ＦＤＳＳフィルタを使用しない際に許容するＰＡＰＲ値を設定し、２）シーケンス間のｃｒｏｓｓ−ｃｏｒｒｅｌａｔｉｏｎ、ｃｙｃｌｉｃ  ａｕｔｏ−ｃｏｒｒｅｌａｔｉｏｎ値の許容範囲／レベルを設定し、３）ｃｙｃｌｉｃ  ｓｈｉｆｔされたシーケンスは、同一のシーケンスと見なすように設定する（Ｓ２）。
【０２８２】
以降、送信機は、前記設定された値を使用して設定された条件に符合するシーケンスを見付ける（Ｓ３）。ここで、前記送信機は、見付けたシーケンスの個数がＫを超えると、前記設定した条件のうち一つ以上の基準を変更し、シーケンスを選別する過程をＫ個のシーケンスを見付けるまで繰り返す。ここで、正確にＫ個が発生しないと、Ｋ個を除いて捨てることができる。
【０２８３】
以降、前記送信機は、前記選別されたＫ個のシーケンスで長さ−Ｎのシーケンスセットを構成又は決定する（Ｓ４）。
【０２８４】
前記方法の具体的な例示として、シーケンスの長さが６であり、シーケンスを構成する各要素が８−ＰＳＫシンボルで構成される３０個のシーケンス（ｓｅｑｕｅｎｃｅ  ｓｅｔ）が定義できる。即ち、図１４で、Ｎ＝６、Ｍ＝８である場合が考慮され得る。
【０２８５】
（方法２）
【０２８６】
方法２は、各シーケンスの要素が８−ＰＳＫ（Ｐｈａｓｅ  Ｓｈｉｆｔ  Ｋｅｙｉｎｇ）シンボルで構成され、長さが６である表１０に提示されたシーケンスの全体を使用するか、表１０に提示されたシーケンスの一部をアップリンクのＰＵＳＣＨ  ａｎｄ／ｏｒ  ＰＵＣＣＨ  ＤＭＲＳのシーケンスに使用することを提案する。前記提案のシーケンスは、ＤＦＴ−Ｓ−ＯＦＤＭ（Ｄｉｓｃｒｅｔｅ  Ｆｏｕｒｉｅｒ  Ｔｒａｎｓｆｏｒｍ  Ｓｐｒｅａｄ  Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）  ａｎｄ／ｏｒ  ＣＰ−ＯＦＤＭ（Ｃｙｃｌｉｃ  Ｐｒｅｆｉｘ  ＯＦＤＭ）に使用されることができる。この場合、Ｎ＝６、Ｍ＝８であるので、考慮できる全シーケンスの個数は
2021516461.tif 000099
である。全
2021516461.tif 000100
個のシーケンスのうち、一部のＫ（＞０）個の提案するシーケンスを生成／選別／使用する規則は次の通りである。本提案でＫ＝３０を仮定した。
【０２８７】
提案するシーケンスの主な特徴は、ＦＤＳＳフィルタ（ｔｉｍｅ−ｄｏｍａｉｎ  ｒｅｓｐｏｎｓｅが［０．２８  １  ０．２８］であるＦＤＳＳ  ｆｉｌｔｅｒ）を適用した際、Ｘ（＞０）ｄＢ以下に低いＰＡＰＲの特性を示し、ＦＤＳＳフィルタを適用しない場合にも、Ｙ（＞０）ｄＢのＰＡＰＲが低い特性を示すものである。より具体的に、提案するシーケンスは次の特性を有する。即ち、次の特性／条件を満たすシーケンスを端末／基地局が使用することを提案する。
【０２８８】
−  ＦＤＳＳフィルタ（ｔｉｍｅ−ｄｏｍａｉｎ  ｒｅｓｐｏｎｓｅが［０．２８  １  ０．２８］であるＦＤＳＳ  ｆｉｌｔｅｒ）を適用した際、ＰＡＰＲが約２．１［ｄＢ］よりも小さいか等しい特性を有する。
【０２８９】
−  前記ＦＤＳＳフィルタを使用していない際、ＰＡＰＲが約２．５［ｄＢ］よりも小さいか等しいシーケンスを選別して使用できる。
【０２９０】
−  ＋１、−１  ｃｙｃｌｉｃ  ａｕｔｏ−ｃｏｒｒｅｌａｔｉｏｎで最大のｃｙｃｌｉｃ  ａｕｔｏ−ｃｏｒｒｅｌａｔｉｏｎが低い（約０．２３５７よりも小さいか等しい）特性を有する。
【０２９１】
−  ＋２、＋１、−１、−２  ｃｙｃｌｉｃ  ａｕｔｏ−ｃｏｒｒｅｌａｔｉｏｎで最大のｃｙｃｌｉｃ  ａｕｔｏ−ｃｏｒｒｅｌａｔｉｏｎが低い（約０．４７１４よりも小さいか等しい）特性を有する。
【０２９２】
−  ＋３、＋２、＋１、−１、−２、−３  ｃｙｃｌｉｃ  ａｕｔｏ−ｃｏｒｒｅｌａｔｉｏｎで最大のｃｙｃｌｉｃ  ａｕｔｏ−ｃｏｒｒｅｌａｔｉｏｎが低い（約０．８０４７４よりも小さいか等しい）特性を有する。
【０２９３】
−  選別されるＫ個のシーケンスのうち、特定のｌｅｎｇｔｈ−Ｎのシーケンスの可能なｃｙｃｌｉｃ  ｓｈｉｆｔｅｄの形態は、全て同一のシーケンスと見なす。従って、Ｋ個の選別されたシーケンスのうち、いかなる特定のシーケンスも他のシーケンスの可能なｃｙｃｌｉｃ  ｓｈｉｆｔの形態と同一ではない。
【０２９４】
即ち、例えば、表１０の１番のシーケンスが「−７  −５  −１  ５  １  −５」であるが、これのｃｙｃｌｉｃ  ｓｈｉｆｔ  ｖｅｒｓｉｏｎである「−５  −１  ５  １  −５  −７」は同一のシーケンスである。
【０２９５】
【表１０−１】
2021516461.tif 000101
【０２９６】
【表１０−２】
2021516461.tif 000102
【０２９７】
表１０の
2021516461.tif 000103
で、ｕはシーケンスのインデックスであり、ｎはシーケンスのエレメント（又はエレメントのインデックス）を示す。例えば、表１０のようにシーケンスの長さが６である場合、ｎは０、１、２、３、４、５を有する。
【０２９８】
表１０で、例えば、ｉｎｄｅｘ  ｕが１である場合、
2021516461.tif 000104
は、各々−７、１、−１、−７、３、７に対応する。
【０２９９】
前記表１０は、本明細書で提案する８−ＰＳＫベースのシーケンスセット（長さ−６）の一例を示し、前記変調シンボルは、
2021516461.tif 000105
と生成される。
【０３００】
前記ＰＡＰＲの性能は、１つのＲＢに対するＣｏｍｂ−２タイプのＤＭＲＳを有するＤＦＴ−ｓ−ＯＦＤＭで評価される（Ｃｏｍｂ−２  ｔｙｐｅ  ＤＭＲＳは、ＴＳ  ３８．２１１、ＴＳ  ３８．２１４、ＴＳ  ３８．３３１を参照する）。
【０３０１】
変調シンボルは、
2021516461.tif 000106
と生成される。
【０３０２】
−
2021516461.tif 000107
：シーケンスインデックス（ｓｅｑｕｅｎｃｅ  ｉｎｄｅｘ）
【０３０３】
−
2021516461.tif 000108
：各シーケンスのエレメントインデックス（ｅｌｅｍｅｎｔ  ｉｎｄｅｘ  ｏｆ  ｅａｃｈ  ｓｅｑｕｅｎｃｅ）
【０３０４】
前記適用されるＦＤＳＳフィルタは、［０．２８  １．０  ０．２８］の時間領域の応答に該当する。
【０３０５】
−  ＩＦＦＴのサイズは６４であり、ＤＦＴのサイズは１２である。
【０３０６】
前記表１０で提示したｌｅｎｇｔｈ−６  ８−ＰＳＫシーケンスのＰＡＰＲの性能側面での優秀性は、図１６から確認できる。前記表１０で提示したシーケンスのうち、１−３０番に該当する計３０個のシーケンスのＰＡＰＲの性能を示した。前記図１６では、前記の表１０で提示したシーケンスをＤＦＴ−Ｓ−ＯＦＤＭシステムでＣｏｍｂ−２  ＤＭＲＳシーケンスに使用する際にＰＡＰＲの性能を示す。
【０３０７】
前記提示されたシーケンスに対して、ＦＤＳＳフィルタ（ｃｏｒｒｅｓｐｏｎｄｉｎｇ  ｔｏ  ｔｈｅ  ｔｉｍｅ−ｄｏｍａｉｎ  ｒｅｓｐｏｎｓｅ  ｏｆ  ［０．２８  １．０  ０．２８］）を適用した場合のＰＡＰＲの性能とＦＤＳＳフィルタを適用していない際のＰＡＰＲの性能を確認することができる。
【０３０８】
既に提示されたｌｅｎｇｔｈ−６  ８−ＰＳＫのシーケンスに対しても同様にＦＤＳＳの適用有無を区分してＰＡＰＲの性能を提示した。既存の方式及び提案する方式は全て１つのｓｅｑｕｅｎｃｅ  ｓｅｔが３０個で構成されることを考慮したものであり、これに対するＰＡＰＲ  ｅｖａｌｕａｔｉｏｎの結果である。従って、ｅｖａｌｕａｔｉｏｎ  ｓａｍｐｌｅが不足し、ｐｒｏｂａｂｉｌｉｔｙ（ＰＡＰＲ＞ＰＡＰＲ＿０）＝０．１以下にグラフが提示されないことがあるが、個別のシーケンスに対する性能の差は明らかに確認できる。既に提示されたｌｅｎｇｔｈ−６  ８−ＰＳＫのシーケンスとしてＲ１−１８１３４４５、Ｒ１−１９００８１、Ｒ１−１９０００２０、及びＲ１−１９００６７３に提示されたものを参考にした。
【０３０９】
図１６に示すように、提案するシーケンスは、ＦＤＳＳフィルタを適用した際に既に提示されたシーケンスが示すＰＡＰＲの特性と類似の性能を示す。特に、ｐｒｏｂａｂｉｌｉｔｙ（ＰＡＰＲ＞ＰＡＰＲ＿０）＝０．１以下の領域では微細であるものの、もう少し良い性能を示すことを見ることができる。ＦＤＳＳフィルタを適用していない際、ＦＤＳＳフィルタを適用するよりはＰＡＰＲの性能が劣化するが、既に提示されたシーケンスよりも優れたＰＡＰＲの性能を確認することができる。即ち、提案するシーケンスの３０個は、既に提示されたｓｅｑｕｅｎｃｅ  ｓｅｔ（Ｒ１−１８１３４４５、Ｒ１−１９００８１、Ｒ１−１９０００２０、及びＲ１−１９００６７３。各々のレファランスで３０個のシーケンスを１つのｓｅｑｕｅｎｃｅ  ｓｅｔと提示）とは異なり、ＦＤＳＳフィルタを適用していない際にも、ＰＡＰＲが２．５ｄＢを超えないことが確認できる。
【０３１０】
図１６は、各シーケンスのエレメントが８−ＰＳＫシンボルで構成された長さ−６のシーケンスの提案するセットに対するＰＡＰＲの性能を示す。
【０３１１】
前記表１０及び図１６で提示したＰＡＰＲ値は、ＩＦＦＴ  ｓｉｚｅ及びシミュレーションを行う道具等に応じて微細に差があり得るが、大きな傾向は類似する。従って、前記微細な差があるとしても、本明細書で提案する方法の思想から外れるものではなく、本明細書で提案する方法に含まれると見ることができる。また、前記ａｕｔｏ−ｃｏｒｒｅｌａｔｉｏｎ  ｔｈｒｅｓｈｏｌｄを超えるシーケンスの生成／選別方法もまた、ＦＤＳＳの使用有無を全て勘案してシーケンスを選別／使用すれば、本明細書で提案する方法の思想に含まれるものと見るべきである。
【０３１２】
前記方法２は、主にＦＤＳＳ  ｆｉｌｔｅｒ（ｃｏｒｒｅｓｐｏｎｄｉｎｇ  ｔｏ  ｔｉｍｅ−ｄｏｍａｉｎ  ｒｅｓｐｏｎｓｅ［０．２８，  １．００，  ０．２８］）を使用するが、ＦＤＳＳフィルタを使用していない際にも、ｃｏｍｐａｒａｂｌｅなＰＡＰＲの性能を提供するシーケンスとして考慮されることもできる。
【０３１３】
逆に、ＦＤＳＳフィルタを使用していないときのＰＡＰＲの性能が、特定のＦＤＳＳフィルタを使用するときよりも更によいＰＡＰＲの性能を提供するようにシーケンスを使用することもできる。
【０３１４】
但し、特定のＦＤＳＳフィルタを使用する際にもｃｏｍｐａｒａｂｌｅなＰＡＰＲの性能を示すことができるように設計する。もし、送信機の具現化の複雑度及び／又はＦＤＳＳフィルタの使用により元の送信信号の歪みの発生によるエラー率の増加等の問題で、ＦＤＳＳフィルタを使用しない場合が多いと、次の方法３で提案する方式のシーケンスが有用に使用されることができる。
【０３１５】
（方法２−２）
【０３１６】
方法２−２は、各シーケンスの要素が８−ＰＳＫ（Ｐｈａｓｅ  Ｓｈｉｆｔ  Ｋｅｙｉｎｇ）のシンボルで構成され、長さが６である表８に提示されているシーケンスの全体を使用するか、表８に提示されているシーケンスの一部をアップリンクのＰＵＳＣＨ及び／又はＰＵＣＣＨ  ＤＭＲＳのシーケンスに使用する方法に関する。前記提案のシーケンスは、ＤＦＴ−Ｓ−ＯＦＤＭ（Ｄｉｓｃｒｅｔｅ  Ｆｏｕｒｉｅｒ  Ｔｒａｎｓｆｏｒｍ  Ｓｐｒｅａｄ  Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）及び／又はＣＰ−ＯＦＤＭ（Ｃｙｃｌｉｃ  Ｐｒｅｆｉｘ  ＯＦＤＭ）に使用されることができる。
【０３１７】
本方法の場合、Ｎ＝６、Ｍ＝８であるので、考慮し得る全シーケンスの個数は
2021516461.tif 000109
である。本例題では、全２本のＡｎｔｅｎｎａ  ｐｏｒｔｓ（例、ｔｗｏ  ＤＭＲＳ  ａｎｔｅｎｎａ  ｐｏｒｔｓ）を考慮し、各アンテナポートは、Ｃｏｍｂ−２の形態でＦＤＭ（Ｆｒｅｑｕｅｎｃｙ  Ｄｉｖｉｓｉｏｎ  Ｍｕｌｔｉｐｌｅｘｉｎｇ）される。全
2021516461.tif 000110
個のシーケンスのうち、一部のＫ（＞０）個の提案するシーケンスを生成／選別／使用する規則は次の通りである。本方法で、Ｋ＝４５を仮定した。
【０３１８】
提案するシーケンスの主な特徴は、Ｃｏｍｂ−２の形態でＦＤＭされる２本のアンテナポートが全てＦＤＳＳフィルタ（ｔｉｍｅ−ｄｏｍａｉｎ  ｒｅｓｐｏｎｓｅが［０．２８  １  ０．２８］であるＦＤＳＳ  ｆｉｌｔｅｒ）を適用した際、２．１ｄＢ以下に低いＰＡＰＲの特性を示し、ＦＤＳＳフィルタを適用していない場合にも、２．３ｄＢのＰＡＰＲが低い特性を示す。
【０３１９】
更に、提案するシーケンスは次の特性を有する。
【０３２０】
−  提案するシーケンスは、＋１、−１  ｃｏｒｒｅｌａｔｉｏｎ  ｌａｇで最大のａｕｔｏ−ｃｏｒｒｅｌａｔｉｏｎが約０．２３５７よりも小さいか等しい特性を有する。
【０３２１】
−  提案するシーケンスは、＋３、＋２、＋１、−１、−２、−３  ｃｏｒｒｅｌａｔｉｏｎ  ｌａｇ（ｓ）で最大のａｕｔｏ−ｃｏｒｒｅｌａｔｉｏｎが約０．８よりも小さいか等しい特性を有する。
【０３２２】
−  選別されるＫ個のシーケンスのうち、特定のｌｅｎｇｔｈ−Ｎのシーケンスの可能なｃｙｃｌｉｃ  ｓｈｉｆｔｅｄの形態は全て同一のシーケンスと見なす。従って、Ｋ個の選別されたシーケンスのうち、いかなる特定のシーケンスも他のシーケンスの可能なｃｙｃｌｉｃ  ｓｈｉｆｔの形態と同一ではない。
【０３２３】
即ち、例えば、表１１の１番のシーケンスが「−７  −５  −１  ５  １  −５」であるが、これのｃｙｃｌｉｃ  ｓｈｉｆｔ  ｖｅｒｓｉｏｎである「−５  −１  ５  １  −５  −７」は同一のシーケンスである。
【０３２４】
【表１１−１】
2021516461.tif 000111
【０３２５】
【表１１−２】
2021516461.tif 000112
【０３２６】
【表１１−３】
2021516461.tif 000113
【０３２７】
表１１は、本明細書で提案する８−ＰＳＫベースのシーケンスセット（長さ−６）の一例を示す。ここで、変調シンボルは
2021516461.tif 000114
と生成される。ＰＡＰＲの性能は、１つのＲＢに対するＣｏｍｂ−２タイプのＤＭＲＳを有するＤＦＴ−ｓ−ＯＦＤＭで評価される（Ｃｏｍｂ−２  ｔｙｐｅ  ＤＭＲＳは、ＴＳ  ３８．２１１、ＴＳ  ３８．２１４、ＴＳ  ３８．３３１を参考とする）。
【０３２８】
−  変調シンボルは、
2021516461.tif 000115
と生成される。
【０３２９】
−
2021516461.tif 000116
：シーケンスインデックス（ｓｅｑｕｅｎｃｅ  ｉｎｄｅｘ）
【０３３０】
−
2021516461.tif 000117
：各シーケンスのエレメントインデックス（ｅｌｅｍｅｎｔ  ｉｎｄｅｘ  ｏｆ  ｅａｃｈ  ｓｅｑｕｅｎｃｅ）。
【０３３１】
−  前記適用されたＦＤＳＳ  ｆｉｌｔｅｒは、［０．２８  １．０  ０．２８］の時間領域の応答に該当する。
【０３３２】
−  ＩＦＦＴのサイズは６４であり、ＤＦＴのサイズは１２である。
【０３３３】
前記表１１に提示されたシーケンスのうち一部又は全てを使用することを提案する。また、前記表１１に提示されたシーケンスのうち一部又は全てと前記表に提示されていない（特性が異なる）シーケンスと１つのｓｅｑｕｅｎｃｅ  ｓｅｔで構成されて使用されることができる。このような構成もまた、本発明の拡張（又は適用又は応用）であって、本明細書で提案する方法の思想に含まれると見ることができる。
【０３３４】
図１７で前記方法２−２で提案するシーケンスの優秀性を確認することができる。既存のシーケンスと比較したとき、提案するシーケンスはＦＤＳＳフィルタを使用する場合も、使用しない場合も低いＰＡＰＲの特性を示す。特に、ＦＤＳＳフィルタを使用していない場合、本方法２−２で提示するシーケンスのＰＡＰＲと既存のシーケンスのＰＡＰＲの性能の差がかなり大きい。
【０３３５】
図１７は、本明細書で提案する各シーケンスのエレメントが８−ＰＳＫシンボルで構成された長さ−６のシーケンスの提案されたセットに対するＰＡＰＲの性能を示す。
【０３３６】
前記方法２及び方法２−１で、ｌｅｎｇｔｈ−６  ＤＭＲＳ  ｓｅｑｕｅｎｃｅ（Ｐｒｅ−ＤＦＴ  ｌｅｎｇ−６  ｓｅｑｕｅｎｃｅ）を時間−周波数のＲＥ（ｒｅｓｏｕｒｃｅ  ｅｌｅｍｅｎｔ）に次のような方式でｍａｐｐｉｎｇした。
【０３３７】
周波数領域でＣｏｍｂ−２  ｔｙｐｅでｆｒｅｑｕｅｎｃｙ−ＲＥを使用すると、時間軸の信号が２回繰り返して示される特性がある。従って、ＤＦＴ−ｓｐｒｅａｄ−ＯＦＤＭシステムでＤＦＴ以前の段階でｌｅｎｇｔｈ−６  ＤＭＲＳ  ｓｅｑｕｅｎｃｅを送信するためには、ｔｉｍｅ−ｄｏｍａｉｎでｌｅｎｇｔｈ−６  ｓｅｑｕｅｎｃｅを２回繰り返すことを考慮して使用する必要がある。よって、（ｐｒｅ−）ＤＦＴ手続で長さが６のシーケンスが２回繰り返されるように使用すべきである。
【０３３８】
【数８】
2021516461.tif 000118
【０３３９】
ここで、
2021516461.tif 000119
はＤＦＴ（Ｄｉｓｃｒｅｔｅ  Ｆｏｕｒｉｅｒ  Ｔｒａｎｓｆｏｒｍ）  ｍａｔｒｉｘを示す。
【０３４０】
2021516461.tif 000120
は、６ｘ１  ｖｅｃｔｏｒ（ｏｎｅ  ｌｅｎｇｔｈ−６  ｓｅｑｕｅｎｃｅ）である。ここで、各エレメント
2021516461.tif 000121
は、Ｍ−ＰＳＫ／Ｍ−ＱＡＭ  ｓｙｍｂｏｌである。
【０３４１】
2021516461.tif 000122
のＤＦＴプロセシングの後、周波数領域の信号である１２  Ｘ  １  ｖｅｃｔｏｒである。
【０３４２】
この際、ＤＦＴ−ｓｐｒｅａｄ−ＯＦＤＭ方式でＤＭＲＳのシーケンスを送信する際、ｓｉｎｇｌｅ−ｐｏｒｔ  ＤＭＲＳの送信の際には、前記言及したようにｐｒｅ−ＤＦＴ段でｌｅｎｇｔｈ−６のシーケンスが２回繰り返される形態で使用してＤＦＴ演算を行えばよい。
【０３４３】
ＤＭＲＳ  ｐｏｒｔが２本である場合、特定のＤＭＲＳ  ｐｏｒｔはｆｒｅｑｕｅｎｃｙ  ｏｆｆｓｅｔが０であるｃｏｍｂ−２  ｔｙｐｅに設定し、他のＤＭＲＳ  ｐｏｒｔは、ｆｒｅｑｕｅｎｃｙ  ｏｆｆｓｅｔが１であるｃｏｍｂ−２  ｔｙｐｅに設定できる。この際、２番目のＤＭＲＳポートで使用するｌｅｎｇｔｈ−６  ｓｅｑｕｅｎｃｅと１番目のＤＭＲＳポートで使用するｌｅｎｇｔｈ−６  ｓｅｑｕｅｎｃｅを前記数式８のように（ｐｒｅ−）ＤＦＴ過程を介して周波数軸にｍａｐｐｉｎｇすると、ｆｒｅｑｕｅｎｃｙ  ｏｆｆｓｅｔ「０」を有するＣｏｍｂ−２  ｓｔｒｕｃｔｕｒｅ（ｆｒｅｑｕｅｎｃｙ  ｏｆｆｓｅｔが０であるｃｏｍｂ−２  ｓｔｒｕｃｔｕｒｅ）に割り当てられる。
【０３４４】
２番目のＤＭＲＳポートで使用するｌｅｎｇｔｈ−６  ｓｅｑｕｅｎｃｅは、前記数式５のように（ｐｒｅ−）ＤＦＴ過程を介して周波数軸にｍａｐｐｉｎｇすると、ｆｒｅｑｕｅｎｃｙ  ｏｆｆｓｅｔ「０」を有するＣｏｍｂ−２  ｓｔｒｕｃｔｕｒｅに割り当てられる。１番目のＤＭＲＳ  ｐｏｒｔとＲＥが重ならないようにｆｒｅｑｕｅｎｃｙ  ｏｆｆｓｅｔ「１」を有するＣｏｍｂ−２  ｓｔｒｕｃｔｕｒｅに割り当てるために、数式８の代わりに次の数式９に沿って割り当てる。
【０３４５】
【数９】
2021516461.tif 000123
【０３４６】
前記数式９で、
2021516461.tif 000124
は１２ｘ１２の行列であり、奇数番目のｓｕｂｃａｒｒｉｅｒ  ＲＥ（Ｒｅｓｏｕｒｃｅ  Ｅｌｅｍｅｎｔ）に割り当てられる要素を偶数番目のｓｕｂｃａｒｒｉｅｒ  ＲＥに割り当てられるようにする行列である。
【０３４７】
（方法３）
【０３４８】
方法３は、各シーケンスの要素が８−ＰＳＫ（Ｐｈａｓｅ  Ｓｈｉｆｔ  Ｋｅｙｉｎｇ）シンボルで構成され、長さが６である表１２に提示されたシーケンスの全体を使用するか、表１２に提示されたシーケンスの一部をアップリンクのＰＵＳＣＨ及び／又はＰＵＣＣＨ  ＤＭＲＳのシーケンスに使用する方法に関する。前記提案のシーケンスは、ＤＦＴ−ｓ−ＯＦＤＭ（Ｄｉｓｃｒｅｔｅ  Ｆｏｕｒｉｅｒ  Ｔｒａｎｓｆｏｒｍ  Ｓｐｒｅａｄ  Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）及び／又はＣＰ−ＯＦＤＭ（Ｃｙｃｌｉｃ  Ｐｒｅｆｉｘ  ＯＦＤＭ）に使用されることができる。
【０３４９】
本方法の場合、Ｎ＝６、Ｍ＝８であるので、考慮し得る全シーケンスの個数は
2021516461.tif 000125
である。
【０３５０】
全
2021516461.tif 000126
個のシーケンスのうち、一部のＫ（＞０）個の提案するシーケンスを生成（又は選別又は使用）する規則は次の通りである。
【０３５１】
本明細書で提案するシーケンスの主な特徴は、ＦＤＳＳフィルタを使用していない際にＹ（＞０）以下に低いＰＡＰＲの特性を示し、ＦＤＳＳフィルタ（ｔｉｍｅ−ｄｏｍａｉｎ  ｒｅｓｐｏｎｓｅが［０．２８  １  ０．２８］であるＦＤＳＳ  ｆｉｌｔｅｒ）を適用した際にはＦＤＳＳフィルタを使用しないことよりは、ＰＡＰＲの性能がよくないものの、依然としてＸ（＞０）ｄＢ以下に低いＰＡＰＲの特性を示す。より具体的に、提案するシーケンスは、次の特性を有する。即ち、次の特性（又は条件）を満たすシーケンスを端末／基地局が使用することを提案する。
【０３５２】
−  ＦＤＳＳフィルタ（ｔｉｍｅ−ｄｏｍａｉｎ  ｒｅｓｐｏｎｓｅが［０．２８  １  ０．２８］であるＦＤＳＳ  ｆｉｌｔｅｒ）を適用した際、ＰＡＰＲが約２．８［ｄＢ］よりも小さいか等しい特性を有する。
【０３５３】
−  前記ＦＤＳＳフィルタを使用していないときのＰＡＰＲが約２．１［ｄＢ］  よりも小さいか等しいシーケンスを選別して使用することができる。
【０３５４】
−  ＋１、−１  ｃｙｃｌｉｃ  ａｕｔｏ−ｃｏｒｒｅｌａｔｉｏｎで最大のｃｙｃｌｉｃ  ａｕｔｏ−ｃｏｒｒｅｌａｔｉｏｎが低い（約０．２３５７よりも小さいか等しい）特性を有する。
【０３５５】
−  ＋２、＋１、−１、−２  ｃｙｃｌｉｃ  ａｕｔｏ−ｃｏｒｒｅｌａｔｉｏｎで最大のｃｙｃｌｉｃ  ａｕｔｏ−ｃｏｒｒｅｌａｔｉｏｎが低い（約０．４７１４よりも小さいか等しい）特性を有する。
【０３５６】
−  ＋３、＋２、＋１、−１、−２、−３  ｃｙｃｌｉｃ  ａｕｔｏ−ｃｏｒｒｅｌａｔｉｏｎで最大のｃｙｃｌｉｃ  ａｕｔｏ−ｃｏｒｒｅｌａｔｉｏｎが低い（約０．８０４７４よりも小さいか等しい）特性を有する。
【０３５７】
−  選別されるＫ個のシーケンスのうち、特定のｌｅｎｇｔｈ−Ｎのシーケンスの可能なｃｙｃｌｉｃ  ｓｈｉｆｔされた形態は全て同一のシーケンスと見なす。従って、Ｋ個の選別されたシーケンスのうち、いかなる特定のシーケンスも他のシーケンスの可能なｃｙｃｌｉｃ  ｓｈｉｆｔの形態と同一ではない。
【０３５８】
【表１２−１】
2021516461.tif 000127
【０３５９】
【表１２−２】
2021516461.tif 000128
【０３６０】
表１２は、提案された８−ＰＳＫベースのシーケンスセット（長さ−６）の一例を示す。前記変調シンボルは、
2021516461.tif 000129
と生成される。ＰＡＰＲの性能は、１つのＲＢに対してＣｏｍｂ−２  ｔｙｐｅ  ＤＭＲＳを有するＤＦＴ−ｓ−ＯＦＤＭ  ｓｙｓｔｅｍで評価される。
【０３６１】
図１８は、本明細書で提案する各シーケンスのエレメントが８−ＰＳＫシンボルで構成された長さ−６のシーケンスの提案されたセットに対するＰＡＰＲの性能を示す。
【０３６２】
前記表１２に提示したｌｅｎｇｔｈ−６の８−ＰＳＫシーケンスのメリットを図１８で見ることができる。前記図１８は、前記の表１２で提示したシーケンスをＤＦＴ−Ｓ−ＯＦＤＭシステムでＣｏｍｂ−２  ＤＭＲＳのシーケンスに使用する際のＰＡＰＲの性能を示す。前記提示されたシーケンスに対して、ＦＤＳＳフィルタ（ｃｏｒｒｅｓｐｏｎｄｉｎｇ  ｔｏ  ｔｈｅ  ｔｉｍｅ−ｄｏｍａｉｎ  ｒｅｓｐｏｎｓｅ  ｏｆ  ［０．２８  １．０  ０．２８］）を適用した場合のＰＡＰＲの性能とＦＤＳＳフィルタを適用していないときのＰＡＰＲの性能を示している。前記方法３に従って定義したシーケンスは、ＦＤＳＳフィルタを使用していないとき、２．１ｄＢ以下のＰＡＰＲの性能を示すことを確認することができる。
【０３６３】
前記方法２及び前記方法３は、同一の特定のシーケンスに対してＦＤＳＳフィルタ（特に、ｔｉｍｅ−ｄｏｍａｉｎ  ｒｅｓｐｏｎｓｅが［０．２８  １．００  ０．２８］に相応するＦＤＳＳフィルタ）を適用する場合と適用していない場合、即ち、二つの場合が全て低いＰＡＰＲの特性を示すシーケンスを使用する方法に関する。
【０３６４】
しかし、ＦＤＳＳフィルタを使用しない場合のみ考慮し、低いＰＡＰＲの特性を有するシーケンスを決定（又は使用）するか、ＦＤＳＳフィルタを使用することのみ仮定し、低いＰＡＰＲの特性を有するシーケンスを決定（又は使用）すると、前記の場合よりもさらに低いＰＡＰＲの特性を有するシーケンスを使用することができる。即ち、フィルタを適用する場合と適用していない場合の二つの場合、全てＰＡＰＲの性能がよいことは限界があるため、これを勘案して次の方法を提案する。
【０３６５】
（方法４）
【０３６６】
方法４は、１つのシーケンスを構成する要素（ｅｌｅｍｅｎｔ）がＭ−ＰＳＫ／Ｍ−ＱＡＭシンボルであり、シーケンスの長さがＮである計Ｋ個のシーケンスで１つのｓｅｑｕｅｎｃｅ  ｓｅｔを構成するが、特定のＦＤＳＳフィルタを使用するときの特定のＰＡＰＲの特性がよいシーケンス
2021516461.tif 000130
個と、ＦＤＳＳフィルタを使用していないときのＰＡＰＲの特性がよいシーケンス
2021516461.tif 000131
個を使用する方法に関する。
【０３６７】
１つのｓｅｑｕｅｎｃｅ  ｓｅｔを構成する計ｓｅｑｕｅｎｃｅの個数
2021516461.tif 000132
個である。
【０３６８】
特定のＦＤＳＳフィルタを多く使用するか、それとも主にＦＤＳＳフィルタを使用しないかなどの様々な環境を考慮することによって、前記
2021516461.tif 000133
と
2021516461.tif 000134
は決定されることができる。例えば、特定のＦＤＳＳフィルタを主に使用することを考慮し、ｌｅｎｇｔｈ−ＮのシーケンスＫ個を定義（又は構成又は使用）すれば、
2021516461.tif 000135
であるシーケンスｓｅｔを構成することができる。
【０３６９】
或いは、ＦＤＳＳフィルタを使用しない場合をｔａｒｇｅｔとして１つのｓｅｑｕｅｎｃｅ  ｓｅｔを構成（又は決定）（Ｋ個のシーケンスを構成（又は決定）すれば、
2021516461.tif 000136
であるｓｅｑｕｅｎｃｅ  ｓｅｔを構成（又は決定）することができる。例えば、Ｋ＝３０と仮定すれば、
2021516461.tif 000137
である場合のように極端な場合を考慮することができる。
【０３７０】
−  例えば、８−ＰＳＫシンボルで構成されるｌｅｎｇｔｈ−６のシーケンスを考慮し、３０個のシーケンスを１つのシーケンスｓｅｔで構成すれば、下記の表１３に提示したシーケンスを使用することができる。このうち一部又は全てをＤＦＴ−ｓ−ＯＦＤＭシステムでＤＭＲＳ等の参照信号のシーケンスに使用することを提案する。
【０３７１】
−  下記の表１３は、
2021516461.tif 000138
を仮定して構成したものである。
【０３７２】
表１３で見るように、１−１５番のシーケンスは、ＦＤＳＳフィルタを使用しないことを主なｔａｒｇｅｔとして使用するシーケンスであり、１６−３０番はｔｉｍｅ−ｄｏｍａｉｎ  ｒｅｓｐｏｎｓｅ［０．２８  １．０  ０．２８］に相応するＦＤＳＳフィルタを共に使用することを勘案し、これをｔａｒｇｅｔとして使用するシーケンスである。フィルタの使用有無によるＰＡＰＲの性能の差は、提示した表１３から確認できる。また、下記のシーケンスは、次の特性を有するように構成された。
【０３７３】
−  ＋１、−１  ｃｙｃｌｉｃ  ａｕｔｏ−ｃｏｒｒｅｌａｔｉｏｎで最大のｃｙｃｌｉｃ  ａｕｔｏ−ｃｏｒｒｅｌａｔｉｏｎが低い（約０．２３５７よりも小さいか等しい）特性を有する。
【０３７４】
−  ＋２、＋１、−１、−２  ｃｙｃｌｉｃ  ａｕｔｏ−ｃｏｒｒｅｌａｔｉｏｎで最大のｃｙｃｌｉｃ  ａｕｔｏ−ｃｏｒｒｅｌａｔｉｏｎが低い（約０．４７１４よりも小さいか等しい）特性を有する。
【０３７５】
−  ＋３、＋２、＋１、−１、−２、−３  ｃｙｃｌｉｃ  ａｕｔｏ−ｃｏｒｒｅｌａｔｉｏｎで最大のｃｙｃｌｉｃ  ａｕｔｏ−ｃｏｒｒｅｌａｔｉｏｎが低い（約０．８０４７４よりも小さいか等しい）特性を有する。
【０３７６】
−  選別されるＫ個のシーケンスのうち、特定のｌｅｎｇｔｈ−Ｎのシーケンスの可能なｃｙｃｌｉｃ  ｓｈｉｆｔされた形態は、全て同一のシーケンスと見なす。従って、Ｋ個の選別されたシーケンスのうち、いかなる特定のシーケンスも他のシーケンスの可能なｃｙｃｌｉｃ  ｓｈｉｆｔの形態と同一ではない。
【０３７７】
−  選別されるＫ個のシーケンス間に単純にｐｈａｓｅのみｓｈｉｆｔされた形態のシーケンスがないように構成する。即ち、６個のシーケンスｅｌｅｍｅｎｔに同一のｐｈａｓｅが掛けられた形態のシーケンスは、同一のものと見なして除外する。下記の表１３で、各シーケンスの一番目のｓｅｑｕｅｎｃｅ  ｅｌｅｍｅｎｔを−７と固定したが、各シーケンスに相応する６個のｅｌｅｍｅｎｔをすべて同じようにｐｈａｓｅ  ｓｈｉｆｔしたことは、同一のｓｅｑｕｅｎｃｅと見なければならない。即ち、下記の表１３で提示されてはいないが、下記のシーケンスでｐｈａｓｅ  ｓｈｉｆｔしたことは同一のシーケンスとして本明細書で提案するシーケンスに含まれると見ることができる。
【０３７８】
【表１３−１】
2021516461.tif 000139
【０３７９】
【表１３−２】
2021516461.tif 000140
【０３８０】
表１３は、提案された８−ＰＳＫベースのシーケンスセット（長さ−６）の一例を示し、前記変調シンボルは
2021516461.tif 000141
と生成される。ＰＡＰＲの性能は、１つのＲＢに対してＣｏｍｂ−２タイプのＤＭＲＳを有するＤＦＴ−ｓ−ＯＦＤＭシステムで評価される。
【０３８１】
前記表１３で、１−１５番のシーケンスはＦＤＳＳフィルタを使用しないことを主なｔａｒｇｅｔとして使用するシーケンスであり、１６−４７番は、ｔｉｍｅ−ｄｏｍａｉｎ  ｒｅｓｐｏｎｓｅ［０．２８  １．０  ０．２８］に相応するＦＤＳＳフィルタを使用する場合をｔａｒｇｅｔとして選別（又は決定又は構成）したシーケンスである。
【０３８２】
（方法５）
【０３８３】
方法５は、ＦＤＳＳフィルタを使用すると、確率的にＰＡＰＲの特性がよくなることは自明であるが、各シーケンスの観点から、ＰＡＰＲが最適化できない。本明細書で見たように、特定のシーケンスに対して特定のＦＤＳＳフィルタを適用する際、特定のシーケンスのＰＡＰＲの特性が悪くなることを見ることができる。
【０３８４】
これを背景として、送信機は送信するシーケンス、シーケンスグループ及び／又はシーケンスのセット（サブセット）によって、互いに異なるＦＤＳＳ  ｆｉｌｔｅｒを使用することを提案する。また、使用するＦＤＳＳ  ｆｉｌｔｅｒに対して最適化された１つのｓｅｑｕｅｎｃｅ  ｓｅｔを構成（又は決定）し、端末／基地局が使用できる。一例として、図１９に示すシステム／装置を考慮することができる。特定のＲＢ（ｓ）及び／又はＲＢ（ｓ）のグループ別に互いに異なるシーケンスが使用されてもよく、ＯＦＤＭ  ｓｙｍｂｏｌ別及び／又はｓｌｏｔ（ｓ）別に互いに異なるシーケンスを送信機が使用することができる。
【０３８５】
これを受信機で適切に復元するように助けるために、送信機は受信機に特定のシーケンスにどのＦＤＳＳフィルタを使用するか知らせることができる。及び／又は、受信機が送信機に特定のシーケンス、シーケンスグループ別にどのＦＤＳＳフィルタを使用するかを指示することができる。或いは、受信機と送信機がどのシーケンスに対してどのＦＤＳＳフィルタを使用するか、予め定義（又は約束）しておいて使用できる。
【０３８６】
−  １つのｓｅｑｕｅｎｃｅ  ｓｅｔ／ｇｒｏｕｐ／ｔａｂｌｅを構成するが、使用するＦＤＳＳ  ｆｉｌｔｅｒ  ＃１、ＦＤＳＳ  ｆｉｌｔｅｒ  ＃２、…、ＦＤＳＳ  ｆｉｌｔｅｒ  ＃Ｄに対して最適化されたシーケンスが使用できる。即ち、使用するＤ個のＦＤＳＳ  ｆｉｌｔｅｒに対して、ＦＤＳＳフィルタを使用してＰＡＰＲの性能（及び／又はｃｒｏｓｓ−ｃｏｒｒｅｌａｔｉｏｎ／ａｕｔｏ−ｃｏｒｒｅｌａｔｉｏｎ等の多様なｃｒｉｔｅｒｉｏｎ／性能含む）が最適化されたＤ個のシーケンスグループ／ｓｕｂ−ｓｅｔを構成し、これを１つのｓｅｔ／ｇｒｏｕｐで定義（又は構成）し、送信機がＤＭＲＳ、ＳＲＳ、ＣＳＩ−ＲＳ等の参照信号の送信のために使用できる。
【０３８７】
−  更に、ＦＤＳＳフィルタを使用しない場合も考慮し、Ｄ個のＦＤＳＳフィルタを使用する場合、及びＦＤＳＳフィルタを使用しない場合に対して、ＰＡＰＲの性能が最適化された計（Ｄ＋１）個のシーケンスグループ（又はｓｕｂ−ｓｅｔ）を構成し、１つのｓｅｑｕｅｎｃｅ  ｓｅｔ／ｇｒｏｕｐ／ｔａｂｌｅを構成し、送信機が参照信号／データ信号等を送信するのに使用できる。
【０３８８】
図１９は、本明細書で提案するＦＤＳＳフィルタを適応的に適用するための一例を示す。
【０３８９】
長さ１２、１８、及び２４の各々に対して、ＮＲ  Ｒｅｌ−１６は各々表１、２、及び３で二進のＣＧＳを支援し、次いでｐｉ／２  ＢＰＳＫの変調が後に続き、次いでＰＵＳＣＨとＰＵＣＣＨ両方に対してπ／２  ＢＰＳＫの変調のためのＤＭＲＳシーケンスとしてＤＦＴが後に続く。
【０３９０】
前記の内容は、単一のＤＭＲＳの設定に適用可能である。２−ｓｙｍｂｏｌ  ＤＭＲＳの設定に対するＣＧＳが議論できる。表１、２及び３は、Ｒ１−１９０１３６２から見つけられる。
【０３９１】
ここで、ｌｅｎｇｔｈ−８までＣＧＳを利用することができ、ｌｅｎｇｔｈ−６は８−ＰＳＫを利用することができる。
【０３９２】
以下で、ｔｗｏ−ｓｙｍｂｏｌ  ＤＭＲＳ  ｃｏｎｆｉｇｕｒａｔｉｏｎで、コンピュータ生成シーケンス（ｃｏｍｐｕｔｅｒ  ｇｅｎｅｒａｔｉｏｎ  ｓｅｑｕｅｎｃｅ）の適用方法について見る。
【０３９３】
２つのシンボルで同一のＣＧＳ（Ｃｏｍｐｕｔｅｒ  Ｇｅｎｅｒａｔｅ  Ｓｅｑｕｅｎｃｅ）を使用することができる。
【０３９４】
ＣＧＳセット（３０個のｓｅｑｕｅｎｃｅｓ）のうち、１番目のシンボルで特定のシーケンスを使用する場合、これと連動し、次のシンボルで特定のシーケンスを使用するようにする。
【０３９５】
この際、１番目のシンボルで使用された特定のシーケンスを除いた他のシーケンスのうち、シーケンスセット／グループ／表で１番目のシンボルで使用された特定のシーケンスとｃｒｏｓｓ−ｃｏｒｒｅｌａｔｉｏｎが最も低いシーケンスを２番目のシンボルで使用することができる。
【０３９６】
或いは、異なる基準（ｃｒｉｔｅｒｉｏｎ）によって、２つのシーケンスを１つのｐａｉｒにしておき、２つの連接したＯＦＤＭシンボルで使用されるように予め決定（又は定義）しておくか、ｓｅｑｕｅｎｃｅ  ｐａｉｒを基地局が端末に設定（又は指示）できる。
【０３９７】
１番目（１st）のＤＭＲＳシンボルと２番目（２nd）のＤＭＲＳシンボルに対して各々独立したＣＧＳ（Ｃｏｍｐｕｔｅｒ  Ｇｅｎｅｒａｔｉｏｎ  Ｓｅｑｕｅｎｃｅ）を使用することが考えられる。
【０３９８】
このため、シンボル当たり３０個のＣＧＳを定義し、計６０個のＣＧＳを定義することができる。この際、３０個のシーケンスを１つのｓｅｑｕｅｎｃｅ  ｓｅｔと考慮できる。
【０３９９】
この際、２つのｓｅｑｕｅｎｃｅ  ｓｅｔ間のｃｒｏｓｓ−ｃｏｒｒｅｌａｔｉｏｎが最小化されるようにｓｅｑｕｅｎｃｅ  ｓｅｔが定義されることを考慮することができる。或いは、１番目（１st）のＤＭＲＳシンボルで特定のシーケンスが使用される際、２番目（２nd）のＤＭＲＳシンボルで使用する特定のシーケンス及び／又は特定のシーケンスｓｕｂ−ｓｅｔ（３０個のｓｅｑｕｅｎｃｅｓのうち一部分）が使用できる。
【０４００】
長さ−６のＣＧＳに対して、８−ＰＳＫが使用される。
【０４０１】
１つのＯＦＤＭシンボルＤＭＲＳ及びｐｉ／２  ＢＰＳＫの変調を有するＰＵＳＣＨの場合、次の代案から選択する。
【０４０２】
代案０：単一のＤＭＲＳポートのみ支援される（１つのｃｏｍｂが使用される）
【０４０３】
代案１：ｃｏｍｂ当たり１つのＤＭＲＳポートが支援される（計２本のポートで）
【０４０４】
代案２：ｃｏｍｂ当たり２本のＤＭＲＳポートを支援する（計４本のポートで）
【０４０５】
以下で、前記で見た方法２に対する更なる実施例を方法２−１を介して見てみる。
【０４０６】
（方法２−１）
【０４０７】
方法２−１は、前記方法２でｃｙｃｌｉｃ  ａｕｔｏ−ｃｏｒｒｅｌａｔｉｏｎの性能をｒｅｌａｘａｔｉｏｎすることに関する。Ｒｅｌａｘａｔｉｏｎを介してＰＡＰＲの特性がさらに良いシーケンスを使用することもでき、１つのシーケンスｓｅｔを構成するシーケンスの個数を大きく増やして選択的／適応的に使用する方法があり得る。方法２で、前記ＦＤＳＳフィルタを使用する際、ＰＡＰＲが２．３ｄＢ以下であり、ＦＤＳＳフィルタを使用しない際、３．２ｄＢ以下の条件で方法２の条件をｒｅｌａｘａｔｉｏｎすると、下記の表１４に提示されているシーケンスが得られる。前記表１４に提示されているシーケンスのうち一つ以上の一部又は全シーケンスをＤＦＴ−ｓｐｒｅａｄ−ＯＦＤＭベースのＤＭＲＳ  ｓｅｑｕｅｎｃｅに使用することを提案する。
【０４０８】
【表１４−１】
2021516461.tif 000142
【０４０９】
【表１４−２】
2021516461.tif 000143
【０４１０】
【表１４−３】
2021516461.tif 000144
【０４１１】
【表１４−４】
2021516461.tif 000145
【０４１２】
【表１４−５】
2021516461.tif 000146
【０４１３】
【表１４−６】
2021516461.tif 000147
【０４１４】
表１４は、提案される８−ＰＳＫベースのシーケンスセット（長さ−６）の一例を示し、前記変調シンボルは
2021516461.tif 000148
と生成される。ＰＡＰＲの性能は１つのＲＢに対してＣｏｍｂ−２タイプのＤＭＲＳを有するＤＦＴ−ｓ−ＯＦＤＭシステムで評価される。
【０４１５】
（方法６）
【０４１６】
方法６は、周波数領域（ｆｒｅｑｕｅｎｃｙ−ｄｏｍａｉｎ）でＣｏｍｂ−２  ｔｙｐｅでｆｒｅｑｕｅｎｃｙ−ＲＥを使用すると、時間軸の信号が２回繰り返して示される特性がある。従って、ＤＦＴ−ｓｐｒｅａｄ−ＯＦＤＭシステムでＤＦＴ以前の段階でｌｅｎｇｔｈ−６のＤＭＲＳ  ｓｅｑｕｅｎｃｅを送信するために、ｔｉｍｅ−ｄｏｍａｉｎでｌｅｎｇｔｈ−６  ｓｅｑｕｅｎｃｅを２回繰り返すことを考慮して使用する必要がある。従って、（ｐｒｅ−）ＤＦＴ手続で長さが６のシーケンスが２回繰り返されるように使用すべきである。
【０４１７】
【数１０】
2021516461.tif 000149
【０４１８】
ここで、
2021516461.tif 000150
は、ＤＦＴ（Ｄｉｓｃｒｅｔｅ  Ｆｏｕｒｉｅｒ  Ｔｒａｎｓｆｏｒｍ）マトリックスを示す。
【０４１９】
2021516461.tif 000151
は、６ｘ１のベクトル（ｏｎｅ  ｌｅｎｇｔｈ−６  ｓｅｑｕｅｎｃｅ）であり、各エレメント
2021516461.tif 000152
は、Ｍ−ＰＳＫ／Ｍ−ＱＡＭシンボルである。
【０４２０】
2021516461.tif 000153
のＤＦＴプロセシング以降の周波数領域の信号である１２Ｘ１のベクトルである。
【０４２１】
この際、ＤＦＴ−ｓｐｒｅａｄ−ＯＦＤＭ方式でＤＭＲＳシーケンスを送信する際、ｓｉｎｇｌｅ−ｐｏｒｔ  ＤＭＲＳの送信の際には前記言及したようにｐｒｅ−ＤＦＴ段でｌｅｎｇｔｈ−６のシーケンスが２回繰り返される形態で使用してＤＦＴ演算を行えばよい。
【０４２２】
ＤＭＲＳ  ｐｏｒｔが２本である場合、特定のＤＭＲＳ  ｐｏｒｔはｆｒｅｑｕｅｎｃｙ  ｏｆｆｓｅｔが０であるｃｏｍｂ−２  ｔｙｐｅに設定し、他のＤＭＲＳ  ｐｏｒｔはｆｒｅｑｕｅｎｃｙ  ｏｆｆｓｅｔが１であるｃｏｍｂ−２  ｔｙｐｅに設定できる。この際、２番目のＤＭＲＳポートで使用するｌｅｎｇｔｈ−６  ｓｅｑｕｅｎｃｅと１番目のＤＭＲＳポートで使用するｌｅｎｇｔｈ−６  ｓｅｑｕｅｎｃｅを前記数式８のように（ｐｒｅ−）ＤＦＴ過程を介して周波数軸にｍａｐｐｉｎｇすると、同一のｆｒｅｑｕｅｎｃｙ  ｏｆｆｓｅｔを有するＣｏｍｂ−２  ｓｔｒｕｃｔｕｒｅ（ｆｒｅｑｕｅｎｃｙ  ｏｆｆｓｅｔが０であるｃｏｍｂ−２  ｓｔｒｕｃｔｕｒｅ）に割り当てられる。従って、２つのＤＭＲＳポートを使用する際には周波数軸（ｆｒｅｑｕｅｎｃｙ  ａｘｉｓ）でｓｈｉｆｔする動作が更に必要なことがある。しかし、これは、更なるｓｈｉｆｔｉｎｇ動作が必要であるので、次のような方式でｓｉｎｇｌｅ  ｓｙｍｂｏｌに互いに異なる（ｅｖｅｎ及びｏｄｄ）Ｃｏｍｂ−２にｔｗｏ−ｐｏｒｔ  ＤＭＲＳ  ｓｅｑｕｅｎｃｅを送信／設定できる。
【０４２３】
１番目のＤＭＲＳ  ｐｏｒｔに送信するシーケンス：
2021516461.tif 000154
（６  Ｘ  １  ｖｅｃｔｏｒ）
【０４２４】
２番目のＤＭＲＳ  ｐｏｒｔに送信するシーケンス
2021516461.tif 000155
（６  Ｘ  １  ｖｅｃｔｏｒ）
【０４２５】
前記シーケンスは、ｌｅｎｇｔｈ−６  ＤＭＲＳ  ｓｅｑｕｅｎｃｅの表から選択された互いに異なる又は同一のシーケンスであり得る。
【０４２６】
両ＤＭＲＳポートで送信するシーケンスが互いに異なるＣｏｍｂ−２に送信されるようにするために、（ｐｒｅ−）ＤＦＴ  ｐｒｏｃｅｓｓｉｎｇのために１番目のＤＭＲＳ  ｐｏｒｔに送信するシーケンスは、
2021516461.tif 000156
の形態でＤＦＴ行列と掛けられ（ＤＦＴ  ｐｒｏｃｅｓｓｉｎｇが行われ）、２番目のＤＭＲＳ  ｐｏｒｔは、
2021516461.tif 000157
及び／又は
2021516461.tif 000158
の形態で（ｐｒｅ−）ＤＦＴ  ｐｒｏｃｅｓｓｉｎｇが実行できる。結果として、２番目のＤＭＲＳ  ｐｏｒｔに送信されるシーケンスは、ＤＦＴ  ｐｒｏｃｅｓｓｉｎｇ後に更にｓｈｉｆｔｉｎｇ処理がなくても、ｆｒｅｑｕｅｎｃｙ  ｏｆｆｓｅｔが１が設定されたように奇数番目のＲＥの６個に０ではない値が設定／送信され、偶数番目のＲＥの６個には０又は０ではない値がマッピング／送信される。
【０４２７】
１番目のＤＭＲＳ  ｐｏｒｔ：
【０４２８】
【数１１】
2021516461.tif 000159
【０４２９】
２番目のＤＭＲＳ  ｐｏｒｔ：
【０４３０】
【数１２】
2021516461.tif 000160
【０４３１】
前記方式で両ポートに各々送信されるシーケンスが（ｐｒｅ−）ＤＦＴ段で時間領域（ｔｉｍｅ−ｄｏｍａｉｎ）のＯＣＣが設定されなくても、周波数軸でｏｒｔｈｏｇｏｎａｌするため区分される。即ち、両ＤＭＲＳポートに互いに異なるシーケンスをマッピング（又は設定又は送信）が可能である。
【０４３２】
参考までに、本明細書で言及する１番目、２番目のＤＭＲＳポートは互いに異なるＤＭＲＳポートを意味し、ＤＭＲＳポートのインデックスとは関係ない。
【０４３３】
前記で言及した方法２、方法２−１、方法２−２は、２本のアンテナポートを（ｅ．ｇ．，  ｔｗｏ  ＤＭＲＳ  ａｎｔｅｎｎａ  ｐｏｒｔｓ）２個のＣｏｍｂ−２  ｓｔｒｕｃｔｕｒｅで周波数軸にマッピングするために、ＤＦＴ以降にｆｒｅｑｕｅｎｃｙ  ＲＥ  ｍａｐｐｉｎｇの行列を掛けた。
【０４３４】
方法２、方法２−１、方法２−２で、互いに異なる両アンテナポートを考慮し、各アンテナポート別にＣｏｍｂ−２形態のｆｒｅｑｕｅｎｃｙ  ＲＥ  ｍａｐｐｉｎｇのために、前記方法６を使用する場合を考慮し得る。
【０４３５】
即ち、方法６の数式１１及び１２を見ると、ｐｒｅ−ＤＦＴ以降に１番目及び２番目のアンテナポートに送信するｌｅｎｇｔｈ−６  ｓｅｑｕｅｎｃｅが各々ｆｒｅｑｕｅｎｃｙ  ｏｆｆｓｅｔが「０」であるｆｒｅｑｕｅｎｃｙ  ＲＥとｆｒｅｑｕｅｎｃｙ  ｏｆｆｓｅｔが「１」であるｆｒｅｑｕｅｎｃｙ  ＲＥに割り当てられる。前記方法６を考慮し、方法２−２と同様に次の方法２−３を提案する。
【０４３６】
以下で、前記で見た方法２に対する更なる実施例を方法２−３を介して見てみる。
【０４３７】
（方法２−３）
【０４３８】
方法２−３は、各シーケンスの要素が８−ＰＳＫ（Ｐｈａｓｅ  Ｓｈｉｆｔ  Ｋｅｙｉｎｇ）シンボルで構成され、長さが６である表１５に提示されたシーケンスの全体を使用するか、表１５に提示されたシーケンスの一部をアップリンクのＰＵＳＣＨ及び／又はＰＵＣＣＨ  ＤＭＲＳのシーケンスに使用する方法に関する。
【０４３９】
提案するシーケンスは、ＤＦＴ−ｓ−ＯＦＤＭ（Ｄｉｓｃｒｅｔｅ  Ｆｏｕｒｉｅｒ  Ｔｒａｎｓｆｏｒｍ  Ｓｐｒｅａｄ  Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）及び／又はＣＰ−ＯＦＤＭ（Ｃｙｃｌｉｃ  Ｐｒｅｆｉｘ  ＯＦＤＭ）に使用されることができる。方法２−３の場合、Ｎ＝６、Ｍ＝８であるので、考慮し得る全シーケンスの数は
2021516461.tif 000161
である。ここで、計２本のＡｎｔｅｎｎａ  ｐｏｒｔｓ（ｅ．ｇ．，  ｔｗｏ  ＤＭＲＳ  ａｎｔｅｎｎａ  ｐｏｒｔｓ）を考慮し、各アンテナポートはＣｏｍｂ−２の形態でＦＤＭ（Ｆｒｅｑｕｅｎｃｙ  Ｄｉｖｉｓｉｏｎ  Ｍｕｌｔｉｐｌｅｘｉｎｇ）される。
【０４４０】
この際、両アンテナポートのｌｅｎｇｔｈ−６のシーケンスをＣｏｍｂ−２  ｓｔｒｕｃｔｕｒｅにマッピングするために、前記で見た方法６の数式１１及び１２のように１番目のポートのｌｅｎｇｔｈ−６のシーケンスを時間軸で２回繰り返すようにし、２番目のポートのｌｅｎｇｔｈ−６  ｓｅｑｕｅｎｃｅは符号を変えて繰り返して出るようにする。
【０４４１】
全
2021516461.tif 000162
個のシーケンスのうち、一部のＫ（＞０）個の提案するシーケンスを生成（又は選別又は使用）する規則は次の通りである。ここで、Ｋ＝４５を仮定する。
【０４４２】
提案するシーケンスの主な特徴は、Ｃｏｍｂ−２の形態でＦＤＭされる２つのアンテナポートはすべてＦＤＳＳフィルタ（ｔｉｍｅ−ｄｏｍａｉｎ  ｒｅｓｐｏｎｓｅが［０．２８  １  ０．２８］であるＦＤＳＳ  ｆｉｌｔｅｒ）を適用した際、２．２ｄＢ以下に低いＰＡＰＲの特性を示し、ＦＤＳＳフィルタを適用しない場合にも、２．９ｄＢのＰＡＰＲに低い特性を示す。
【０４４３】
更に、提案するシーケンスは次の特性を有する。
【０４４４】
−  提案するシーケンスは、＋１、−１  ｃｏｒｒｅｌａｔｉｏｎ  ｌａｇ（相関遅延）で最大のａｕｔｏ−ｃｏｒｒｅｌａｔｉｏｎ（自己相関）が約０．２３５７よりも小さいか等しい特性を有する。
【０４４５】
−  提案するシーケンスは、＋３、＋２、＋１、−１、−２、−３  ｃｏｒｒｅｌａｔｉｏｎ  ｌａｇ（ｓ）で最大のａｕｔｏ−ｃｏｒｒｅｌａｔｉｏｎが約０．８５よりも小さいか等しい特性を有する。
【０４４６】
−  選別されるＫ個のシーケンスのうち、特定のｌｅｎｇｔｈ−Ｎのシーケンスの可能なｃｙｃｌｉｃ  ｓｈｉｆｔされた形態は全て同一のシーケンスと見なす。従って、Ｋ個の選別されたシーケンスのうち、いかなる特定のシーケンスも他のシーケンスの可能なｃｙｃｌｉｃ  ｓｈｉｆｔの形態と同一ではない。
【０４４７】
【表１５−１】
2021516461.tif 000163
【０４４８】
【表１５−２】
2021516461.tif 000164
【０４４９】
表１５は、提案された８−ＰＳＫベースのシーケンスセット（長さ−６）の一例を示し、変調シンボルは
2021516461.tif 000165
と生成される。ＰＡＰＲの性能は、１つのＲＢ（Ｒｅｓｏｕｒｃｅ  Ｂｌｏｃｋ）に対してＣｏｍｂ−２タイプのＤＭＲＳを有するＤＦＴ−ｓ−ＯＦＤＭシステムで生成される（Ｃｏｍｂ−２  ｔｙｐｅ  ＤＭＲＳは、ＴＳ  ３８．２１１、ＴＳ  ３８．２１４、ＴＳ  ３８．３３１を参考とする）。
【０４５０】
−  変調シンボルは、
2021516461.tif 000166
と生成される。
【０４５１】
−  
2021516461.tif 000167
：シーケンスインデックス（ｓｅｑｕｅｎｃｅ  ｉｎｄｅｘ）
【０４５２】
−  
2021516461.tif 000168
：各シーケンスのエレメントインデックス（ｅｌｅｍｅｎｔ  ｉｎｄｅｘ  ｏｆ  ｅａｃｈ  ｓｅｑｕｅｎｃｅ）
【０４５３】
−  適用されたＦＤＳＳフィルタは、［０．２８  １．０  ０．２８］の時間領域の応答に該当する。
【０４５４】
−  ＩＦＦＴのサイズは６４であり、ＤＦＴのサイズは１２である。
【０４５５】
前記表１５に提示されたシーケンスのうち一部又は全てが使用できる。
【０４５６】
また、前記表１５に提示されたシーケンスのうち一部又は全てと前記表１５に提示されていない（特性が異なる）シーケンスと１つのｓｅｑｕｅｎｃｅ  ｓｅｔで構成されて使用されることもある。このような構成もまた、本明細書で提案する方法の拡張（又は適用又は応用）であって、本明細書で提案する方法の思想に含まれると見ることができる。
【０４５７】
図２０は、本明細書で提案する各シーケンスのエレメントが８−ＰＳＫシンボルで構成された長さ−６のシーケンスの提案されたセットに対するＰＡＰＲの性能を示す。
【０４５８】
ｌｏｗ−ＰＡＰＲのシーケンス生成タイプ２（ｓｅｑｕｅｎｃｅ  ｇｅｎｅｒａｔｉｏｎ  ｔｙｐｅ  ２）
【０４５９】
更に、ｌｏｗ−ＰＡＰＲのシーケンス生成タイプ２（ｓｅｑｕｅｎｃｅ  ｇｅｎｅｒａｔｉｏｎ  ｔｙｐｅ  ２）について簡略に見てみる。
【０４６０】
ｌｏｗ−ＰＡＰＲ  ｓｅｑｕｅｎｃｅ
2021516461.tif 000169
は、下記の数式１３によって基本シーケンス
2021516461.tif 000170
により定義されることができる。
【０４６１】
【数１３】
2021516461.tif 000171
【０４６２】
ここで、
2021516461.tif 000172
シーケンスの長さを示す。多数のシーケンスは、
2021516461.tif 000173
と
2021516461.tif 000174
の異なる値を介して、単一の基本シーケンスから定義される。
【０４６３】
基本シーケンス
2021516461.tif 000175
はグループに分けられ、ここで、
2021516461.tif 000176
はグループ番号（ｇｒｏｕｐ  ｎｕｍｂｅｒ）であり、
2021516461.tif 000177
はグループ内の基本シーケンス番号（ｂａｓｅ  ｓｅｑｕｅｎｃｅ  ｎｕｍｂｅｒ）である。各グループは、長さ
2021516461.tif 000178
、
2021516461.tif 000179
の１つの基本シーケンス
2021516461.tif 000180
を含む。シーケンス
2021516461.tif 000181
は、下記の数式１４により定義される。
【０４６４】
【数１４】
2021516461.tif 000182
2021516461.tif 000183
【０４６５】
ここで、
2021516461.tif 000184
の定義はシーケンスの長さに依存する。
【０４６６】
前記ｌｏｗ−ＰＡＰＲのシーケンス生成タイプ２（ｓｅｑｕｅｎｃｅ  ｇｅｎｅｒａｔｉｏｎ  ｔｙｐｅ  ２）は、シーケンスの長さによって（１）長さ３０またはそれ以上の（ｌｅｎｇｔｈ  ３０  ｏｒ  ｌａｒｇｅｒ）シーケンスと、（２）長さ３０未満の（ｌｅｎｇｔｈ  ｌｅｓｓ  ｔｈａｎ  ３０）シーケンスとに区分できる。
【０４６７】
長さ３０未満のシーケンスについて簡単に見てみる。
【０４６８】
長さ３０未満のシーケンス（Ｓｅｑｕｅｎｃｅｓ  ｏｆ  ｌｅｎｇｔｈ  ｌｅｓｓ  ｔｈａｎ  ３０）
【０４６９】
2021516461.tif 000185
に対して、シーケンス
2021516461.tif 000186
は、下記の数式１５により与えられる。
【０４７０】
【数１５】
2021516461.tif 000187
【０４７１】
ここで、
2021516461.tif 000188
の値は、前記で見た表のように与えられる。
【０４７２】
2021516461.tif 000189
に対して、シーケンス
2021516461.tif 000190
はπ／２−ＢＰＳＫの変調による複素数値の変調シンボルで得られる。
【０４７３】
前記ｌｏｗ−ＰＡＰＲのシーケンス生成タイプ２（ｓｅｑｕｅｎｃｅ  ｇｅｎｅｒａｔｉｏｎ  ｔｙｐｅ  ２）に対する内容は、前述した本明細書で提案する方法に適用されることができる。
【０４７４】
前記で見てきた本明細書での提案を具現化するための方法、実施例、説明は、別に適用されてもよく、１つ以上を組み合わせて適用されてもよい。
【０４７５】
図２１は、本明細書でアップリンク制御信号に対する復調参照信号を送信する方法の一例を示すフローチャートである。
【０４７６】
具体的に、端末は長さ−６のシーケンスに基づいて、低いＰＡＰＲ（ｐｅａｋ  ｔｏ  ａｖｅｒａｇｅ  ｐｏｗｅｒ  ｒａｔｉｏ）のシーケンスを生成する（Ｓ２１１０）。
【０４７７】
また、前記端末は、前記低いＰＡＰＲのシーケンスに基づいて前記復調参照信号に使用されるシーケンスを生成する（Ｓ２１２０）。
【０４７８】
また、前記端末は、前記復調参照信号に使用されるシーケンスに基づいて前記復調参照信号を前記基地局に送信する（Ｓ２１３０）。
【０４７９】
ここで、前記長さ−６のシーケンスは、８−ＰＳＫ（Ｐｈａｓｅ  Ｓｈｉｆｔ  Ｋｅｙｉｎｇ）シンボルをシーケンスの各エレメント（ｅｌｅｍｅｎｔ）として有することができる。
【０４８０】
また、前記長さ−６のシーケンスは、
2021516461.tif 000191
により決定され、前記
2021516461.tif 000192
は、前記長さ−６のシーケンスのエレメントのインデックスであり得る。
【０４８１】
また、前記
2021516461.tif 000193
の値は、（−１  −７  −３  −５  −１  ３）、（−７  ３  −７  ５  −７  −３）、（５  −７  ７  １  ５  １）、（−７  ３  １  ５  −１  ３）、（−７  −５  −１  −７  −５  ５）、（−７  １  −３  ３  ７  ５）、及び（−７  １  −３  １  ５  １）を含んでもよい。
【０４８２】
また、前記
2021516461.tif 000194
に対してサイクリックシフトされた（ｃｙｃｌｉｃ  ｓｈｉｆｔｅｄ）シーケンスは、前記
2021516461.tif 000195
と同一のシーケンスであり得る。
【０４８３】
前記
2021516461.tif 000196
の値が有し得る数は
2021516461.tif 000197
であり得る。
【０４８４】
ここで、前記低いＰＡＰＲのシーケンスに対する自己相関（ａｕｔｏ−ｃｏｒｒｅｌａｔｉｏｎ）の値は、特定の値未満であってもよい。
【０４８５】
更に、前記端末は、アップリンクに対するトランスフォームプリコーディング（ｔｒａｎｓｆｏｒｍ  ｐｒｅｃｏｄｉｎｇ）がイネーブル（ｅｎａｂｌｅ）されていることを示す制御情報を含むＲＲＣシグナリングを基地局から受信することができる。
【０４８６】
また、前記端末は、前記低いＰＡＰＲのシーケンスにＦＤＳＳ（Ｆｒｅｑｕｅｎｃｙ  Ｄｏｍａｉｎ  Ｓｐｅｃｔｒｕｍ  Ｓｈａｐｉｎｇ）フィルタを適用することができる。
【０４８７】
ここで、前記低いＰＡＰＲのシーケンスは、２個のアンテナポートにＣｏｍｂ−２の形態でＦＤＭ（Ｆｒｅｑｕｅｎｃｙ  Ｄｉｖｉｓｉｏｎ  Ｍｕｌｔｉｐｌｅｘｉｎｇ）されることができる。
【０４８８】
前記２個のアンテナポートの各々に互いに異なる低いＰＡＰＲのシーケンスが使用できる。
【０４８９】
図２１で説明した方法が無線装置で実現される具体的な動作について見てみる。
【０４９０】
無線通信システムにおけるアップリンク制御信号に対する復調参照信号を送信するための端末は、無線信号を送受信するための送受信機（ｔｒａｎｃｅｉｖｅｒ）及び前記送受信機と機能的に連結されているプロセッサを含むことができる。
【０４９１】
前記端末のプロセッサは、長さ−６のシーケンスに基づいて低いＰＡＰＲ（ｐｅａｋ  ｔｏ  ａｖｅｒａｇｅ  ｐｏｗｅｒ  ｒａｔｉｏ）のシーケンスを生成し、前記低いＰＡＰＲのシーケンスに基づいて前記復調参照信号に使用されるシーケンスを生成し、及び前記復調参照信号に使用されるシーケンスに基づいて前記復調参照信号を前記基地局に送信するように制御することができる。
【０４９２】
本発明が適用される通信システムの例
【０４９３】
これに制限されるわけではないが、本文書に開示の本発明の多様な説明、機能、手続、提案、方法及び／又は動作のフローチャートは、機器間に無線通信／接続（例、５Ｇ）を必要とする様々な分野に適用されることができる。
【０４９４】
以下、図を参照としてより具体的に例示する。以下の図／説明で同一の図面符号は、異なって記述しない限り、同一又は対応するハードウェアブロック、ソフトウェアブロック又は機能ブロックを例示することができる。
【０４９５】
図２２は、本発明に適用される通信システムを例示する。
【０４９６】
図２２を参照すると、本発明に適用される通信システム１は、無線機器、基地局及びネットワークを含む。ここで、無線機器は、無線アクセス技術（例、５Ｇ  ＮＲ（Ｎｅｗ  ＲＡＴ）、ＬＴＥ（Ｌｏｎｇ  Ｔｅｒｍ  Ｅｖｏｌｕｔｉｏｎ））を利用して通信を行う機器を意味し、通信／無線／５Ｇ機器と称される。これに制限されるわけではないが、無線機器は、ロボット機器と称される。これに制限されるものではないが、無線機器は、ロボット１００ａ、車両１００ｂ−１、１００ｂ−２、ＸＲ（ｅＸｔｅｎｄｅｄ  Ｒｅａｌｉｔｙ）機器１００ｃ、携帯機器（Ｈａｎｄ−ｈｅｌｄ  ｄｅｖｉｃｅ）１００ｄ、家電１００ｅ、ＩｏＴ（Ｉｎｔｅｒｎｅｔ  ｏｆ  Ｔｈｉｎｇ）機器１００ｆ、ＡＩ機器／サーバ４００を含むことができる。例えば、車両は、無線通信機能が備えられた車両、自律走行車両、車両間通信を行える車両等を含むことができる。ここで、車両は、ＵＡＶ（Ｕｎｍａｎｎｅｄ  Ａｅｒｉａｌ  Ｖｅｈｉｃｌｅ）（例、ドローン）を含むことができる。ＸＲ機器は、ＡＲ（Ａｕｇｍｅｎｔｅｄ  Ｒｅａｌｉｔｙ）／ＶＲ（Ｖｉｒｔｕａｌ  Ｒｅａｌｉｔｙ）／ＭＲ（Ｍｉｘｅｄ  Ｒｅａｌｉｔｙ）機器を含み、ＨＭＤ（Ｈｅａｄ−Ｍｏｕｎｔｅｄ  Ｄｅｖｉｃｅ）、車両に備えられたＨＵＤ（Ｈｅａｄ−Ｕｐ  Ｄｉｓｐｌａｙ）、テレビ、スマートフォン、コンピュータ、ウェアラブルデバイス、家電機器、デジタルサイネージ（ｓｉｇｎａｇｅ）、車両、ロボット等の形態で実現されることができる。携帯機器は、スマートフォン、スマートパッド、ウェアラブル機器（例、スマートウォッチ、スマートガラス）、コンピュータ（例、ノートパソコン等）等を含むことができる。家電は、ＴＶ、冷蔵庫、洗濯機等を含むことができる。ＩｏＴ機器は、センサ、スマートメーター等を含むことができる。例えば、基地局、ネットワークは無線機器でも実現されることができ、特定の無線機器２００ａは他の無線機器に基地局／ネットワークノードとして動作することもできる。
【０４９７】
無線機器１００ａ〜１００ｆは、基地局２００を介してネットワーク３００と接続されることができる。無線機器１００ａ〜１００ｆにはＡＩ（Ａｒｔｉｆｉｃｉａｌ  Ｉｎｔｅｌｌｉｇｅｎｃｅ）技術が適用でき、無線機器１００ａ〜１００ｆはネットワーク３００を介してＡＩサーバ４００と接続されることができる。ネットワーク３００は、３Ｇネットワーク、４Ｇ（例、ＬＴＥ）ネットワーク又は５Ｇ（例、ＮＲ）ネットワークなどを利用して構成されることができる。無線機器１００ａ〜１００ｆは、基地局２００／ネットワーク３００を介して互いに通信することもあるが、基地局／ネットワークを介さずに直接通信（例、サイドリンク通信（ｓｉｄｅｌｉｎｋ  ｃｏｍｍｕｎｉｃａｔｉｏｎ））することもある。例えば、車両１００ｂ−１、１００ｂ−２は、直接通信（例、Ｖ２Ｖ（Ｖｅｈｉｃｌｅ  ｔｏ  Ｖｅｈｉｃｌｅ）／Ｖ２Ｘ（Ｖｅｈｉｃｌｅ  ｔｏ  ｅｖｅｒｙｔｈｉｎｇ）  ｃｏｍｍｕｎｉｃａｔｉｏｎ）をすることができる。また、ＩｏＴ機器（例、センサ）は他のＩｏＴ機器（例、センサ）又は他の無線機器１００ａ〜１００ｆと直接通信をすることができる。
【０４９８】
無線機器１００ａ〜１００ｆ／基地局２００、基地局２００／基地局２００の間には無線通信／接続１５０ａ、１５０ｂ、１５０ｃが行われる。ここで、無線通信／接続は、アップリンク／ダウンリンク通信１５０ａとサイドリンク通信１５０ｂ（又は、Ｄ２Ｄ通信）、基地局間の通信１５０ｃ（ｅ．ｇ．  ｒｅｌａｙ，ＩＡＢ（Ｉｎｔｅｇｒａｔｅｄ  Ａｃｃｅｓｓ  Ｂａｃｋｈａｕｌ）のような様々な無線アクセス技術（例、５Ｇ  ＮＲ）を介して行われる。無線通信／接続１５０ａ、１５０ｂ、１５０ｃを介して無線機器と基地局／無線機器、基地局と基地局は、互いに無線信号を送信／受信することができる。例えば、無線通信／接続１５０ａ、１５０ｂ、１５０ｃは、様々な物理チャネルを介して信号を送信／受信できる。このため、本発明の様々な提案に基づいて、無線信号の送信／受信のための様々な構成情報の設定過程、様々な信号処理過程（例、チャネルのエンコーディング／デコーディング、変調／復調、リソースのマッピング／デマッピング等）、リソース割り当て過程などのうち少なくとも一部が行われる。
【０４９９】
本発明が適用される無線機器の例
【０５００】
図２３は、本発明に適用できる無線機器を例示する。
【０５０１】
図２３を参照すると、第１無線機器１００と第２無線機器２００は、様々な無線アクセス技術（例、ＬＴＥ、ＮＲ）を介して無線信号を送受信することができる。ここで、｛第１無線機器１００、第２無線機器２００｝は、図２２の｛無線機器１００ｘ、基地局２００｝及び／又は｛無線機器１００ｘ、無線機器１００ｘ｝に対応し得る。
【０５０２】
第１無線機器１００は、１つ以上のプロセッサ１０２及び１つ以上のメモリ１０４を含み、更に１つ以上の送受信機１０６及び／又は１つ以上のアンテナ１０８を更に含むことができる。プロセッサ１０２は、メモリ１０４及び／又は送受信機１０６を制御し、本文書に開示の説明、機能、手続、提案、方法及び／又は動作のフローチャートを具現化するように構成されることができる。例えば、プロセッサ１０２は、メモリ１０４内の情報を処理して第１情報／信号を生成した後、送受信機１０６を介して第１情報／信号を含む無線信号を送信することができる。また、プロセッサ１０２は、送受信機１０６を介して第２情報／信号を含む無線信号を受信した後、第２情報／信号の信号処理から得た情報をメモリ１０４に保存することができる。メモリ１０４は、プロセッサ１０２と連結されることができ、プロセッサ１０２の動作に関する様々な情報を保存することができる。例えば、メモリ１０４はプロセッサ１０２により制御されるプロセスのうち一部又は全てを実行するか、本文書に開示の説明、機能、手続、提案、方法及び／又は動作のフローチャートを実行するための命令を含むソフトウェアコードを保存することができる。ここで、プロセッサ１０２とメモリ１０４は、無線通信技術（例、ＬＴＥ、ＮＲ）を実現するように設計された通信モデム／回路／チップの一部であってもよい。送受信機１０６は、プロセッサ１０２と連結されることができ、１つ以上のアンテナ１０８を介して無線信号を送信及び／又は受信することができる。送受信機１０６は送信機及び／又は受信機を含むことができる。送受信機１０６は、ＲＦ（Ｒａｄｉｏ  Ｆｒｅｑｕｅｎｃｙ）ユニットと混用され得る。本発明で無線機器は、通信モデム／回路／チップを意味することもある。
【０５０３】
第２無線機器２００は、１つ以上のプロセッサ２０２、１つ以上のメモリ２０４を含み、更に１つ以上の送受信機２０６及び／又は１つ以上のアンテナ２０８を更に含むことができる。プロセッサ２０２は、メモリ２０４及び／又は送受信機２０６を制御し、本文書に開示の説明、機能、手続、提案、方法及び／又は動作のフローチャートを実現するように構成されることができる。例えば、プロセッサ２０２は、メモリ２０４内の情報を処理して第３情報／信号を生成した後、送受信機２０６を介して第３情報／信号を含む無線信号を送信することができる。また、プロセッサ２０２は、送受信機２０６を介して第４情報／信号を含む無線信号を受信した後、第４情報／信号の信号処理から得た情報をメモリ２０４に保存することができる。メモリ２０４はプロセッサ２０２と連結されることができ、プロセッサ２０２の動作に関する様々な情報を保存することができる。例えば、メモリ２０４はプロセッサ２０２により制御されるプロセスのうち一部又は全て実行するか、本文書に開示の説明、機能、手続、提案、方法及び／又は動作のフローチャートを実行するための命令を含むソフトウェアコードを保存することができる。ここで、プロセッサ２０２とメモリ２０４は無線通信技術（例、ＬＴＥ、ＮＲ）を実現するように設計された通信モデム／回路／チップの一部であってもよい。送受信機２０６はプロセッサ２０２と連結されることができ、１つ以上のアンテナ２０８を介して無線信号を送信及び／又は受信することができる。送受信機２０６は送信機及び／又は受信機を含むことができる。送受信機２０６はＲＦユニット混用され得る。本発明で、無線機器は、通信モデム／回路／チップを意味することもある。
【０５０４】
以下、無線機器１００、２００のハードウェア要素についてより具体的に説明する。これに制限されるわけではないが、１つ以上のプロトコル層が１つ以上のプロセッサ１０２、２０２により実現されることができる。例えば、１つ以上のプロセッサ１０２、２０２は、１つ以上の層（例、ＰＨＹ、ＭＡＣ、ＲＬＣ、ＰＤＣＰ、ＲＲＣ、ＳＤＡＰのような機能的層）を実現することができる。１つ以上のプロセッサ１０２、２０２は、本文書に開示の説明、機能、手続、提案、方法及び／又は動作のフローチャートに従って、１つ以上のＰＤＵ（Ｐｒｏｔｏｃｏｌ  Ｄａｔａ  Ｕｎｉｔ）及び／又は１つ以上のＳＤＵ（Ｓｅｒｖｉｃｅ  Ｄａｔａ  Ｕｎｉｔ）を生成することができる。１つ以上のプロセッサ１０２、２０２は、本文書に開示の説明、機能、手続、提案、方法及び／又は動作のフローチャートに従って、メッセージ、制御情報、データ又は情報を生成することができる。１つ以上のプロセッサ１０２、２０２は、本文書に開示の機能、手続、提案及び／又は方法によって、ＰＤＵ、ＳＤＵ、メッセージ、制御情報、データ又は情報を含む信号（例、ベースバンド信号）を生成し、１つ以上の送受信機１０６、２０６に提供できる。１つ以上のプロセッサ１０２、２０２は、１つ以上の送受信機１０６、２０６から信号（例、ベースバンド信号）を受信することができ、本文書に開示の説明、機能、手続、提案、方法及び／又は動作のフローチャートに従って、ＰＤＵ、ＳＤＵ、メッセージ、制御情報、データ又は情報を獲得することができる。
【０５０５】
１つ以上のプロセッサ１０２、２０２は、コントローラ、マイクロコントローラ、マイクロプロセッサ又はマイクロコンピュータと称される。１つ以上のプロセッサ１０２、２０２は、ハードウェア、ファームウェア、ソフトウェア、又はこれらの組み合わせにより実現されることができる。一例として、１つ以上のＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、１つ以上のＤＳＰ（Ｄｉｇｉｔａｌ  Ｓｉｇｎａｌ  Ｐｒｏｃｅｓｓｏｒ）、１つ以上のＤＳＰＤ（Ｄｉｇｉｔａｌ  Ｓｉｇｎａｌ  Ｐｒｏｃｅｓｓｉｎｇ  Ｄｅｖｉｃｅ）、１つ以上のＰＬＤ（Ｐｒｏｇｒａｍｍａｂｌｅ  Ｌｏｇｉｃ  Ｄｅｖｉｃｅ）又は１つ以上のＦＰＧＡ（Ｆｉｅｌｄ  Ｐｒｏｇｒａｍｍａｂｌｅ  Ｇａｔｅ  Ａｒｒａｙｓ）が１つ以上のプロセッサ１０２、２０２に含まれ得る。本文書に開示の説明、機能、手続、提案、方法及び／又は動作のフローチャートは、ファームウェア又はソフトウェアを使用して実現されることができ、ファームウェア又はソフトウェアは、モジュール、手続、機能などを含むように実現されることができる。本文書に開示の説明、機能、手続、提案、方法及び／又は動作のフローチャートは、実行するように設定されたファームウェア又はソフトウェアは、１つ以上のプロセッサ１０２、２０２に含まれるか、１つ以上のメモリ１０４、２０４に保存され、１つ以上のプロセッサ１０２、２０２により駆動されることができる。本文書に開示の説明、機能、手続、提案、方法及び／又は動作のフローチャートは、コード、コマンド及び／又はコマンドの集合の形態でファームウェア又はソフトウェアを使用して実現されることができる。
【０５０６】
１つ以上のメモリ１０４、２０４は、１つ以上のプロセッサ１０２、２０２と連結されることができ、様々な形態のデータ、信号、メッセージ、情報、プログラム、コード、指示及び／又は命令を保存することができる。１つ以上のメモリ１０４、２０４は、ＲＯＭ、ＲＡＭ、ＥＰＲＯＭ、フラッシュメモリ、ハードドライブ、レジスター、キャッシュメモリ、コンピュータ読取保存媒体及び／又はこれらの組み合わせで構成されることができる。１つ以上のメモリ１０４、２０４は、１つ以上のプロセッサ１０２、２０２の内部及び／又は外部に位置してもよい。また、１つ以上のメモリ１０４、２０４は、有線又は無線接続のような様々な技術を介して、１つ以上のプロセッサ１０２、２０２と接続されることができる。
【０５０７】
１つ以上の送受信機１０６、２０６は、１つ以上の他の装置に本文書の方法及び／又は動作のフローチャート等で言及されるユーザデータ、制御情報、無線信号／チャネル等を送信することができる。１つ以上の送受信機１０６、２０６は、１つ以上の他の装置から本文書に開示の説明、機能、手続、提案、方法及び／又は動作のフローチャート等で言及されるユーザデータ、制御情報、無線信号／チャネル等を受信することができる。例えば、１つ以上の送受信機１０６、２０６は、１つ以上のプロセッサ１０２、２０２と連結されることができ、無線信号を送受信することができる。例えば、１つ以上のプロセッサ１０２、２０２は、１つ以上の送受信機１０６、２０６が１つ以上の他の装置にユーザデータ、制御情報又は無線信号を送信するように制御することができる。また、１つ以上のプロセッサ１０２、２０２は、１つ以上の送受信機１０６、２０６が１つ以上の他の装置からユーザデータ、制御情報又は無線信号を受信するように制御することができる。また、１つ以上の送受信機１０６、２０６は、１つ以上のアンテナ１０８、２０８と連結されることができ、１つ以上の送受信機１０６、２０６は、１つ以上のアンテナ１０８、２０８を介して本文書に開示の説明、機能、手続、提案、方法及び／又は動作のフローチャート等で言及されるユーザデータ、制御情報、無線信号／チャネル等を送受信するように設定されることができる。本文書で、１つ以上のアンテナは、複数の物理アンテナであるか、複数の論理アンテナ（例、アンテナポート）であり得る。１つ以上の送受信機１０６、２０６は、受信されたユーザデータ、制御情報、無線信号／チャネル等を１つ以上のプロセッサ１０２、２０２を利用して処理するために、受信された無線信号／チャネル等をＲＦバンド信号からベースバンド信号に変換（Ｃｏｎｖｅｒｔ）できる。１つ以上の送受信機１０６、２０６は、１つ以上のプロセッサ１０２、２０２を利用して処理されたユーザがデータ、制御情報、無線信号／チャネル等をベースバンド信号からＲＦバンド信号に変換できる。このため、１つ以上の送受信機１０６、２０６は、（アナログ）オシレータ及び／又はフィルタを含むことができる。
【０５０８】
本発明が適用される信号処理回路の例
【０５０９】
図２４は、本発明に適用される信号処理回路を例示する。
【０５１０】
図２４を参照すると、信号処理回路１０００は、スクランブラー１０１０、変調器１０２０、レイヤーマッパー１０３０、プリコーダ１０４０、リソースマッパー１０５０、信号生成器１０６０を含むことができる。これに制限されるわけではないが、図２４の動作／機能は、図２３のプロセッサ１０２、２０２及び／又は送受信機１０６、２０６で実行されることができる。図２４のハードウェア要素は、図２３のプロセッサ１０２、２０２及び／又は送受信機１０６、２０６で実現されることができる。例えば、ブロック１０１０〜１０６０は、図２３のプロセッサ１０２、２０２で実現されることができる。また、ブロック１０１０〜１０５０は、図２３のプロセッサ１０２、２０２で実現され、ブロック１０６０は、図２３の送受信機１０６、２０６で実現されることができる。
【０５１１】
コードワードは、図２４の信号処理回路１０００を経て無線信号に変換されることができる。ここで、コードワードは、情報ブロックの符号化されたビットシーケンスである。情報ブロックは、送信ブロック（例、ＵＬ−ＳＣＨ送信ブロック、ＤＬ−ＳＣＨ送信ブロック）を含んでもよい。無線信号は、様々な物理チャネル（例、ＰＵＳＣＨ、ＰＤＳＣＨ）を介して送信されることができる。
【０５１２】
具体的に、コードワードは、スクランブラー１０１０によりスクランブルされたビットシーケンスに変換されることができる。スクランブルに使用されるスクランブルシーケンスは、初期化値に基づいて生成され、初期化値は無線機器のＩＤ情報等が含まれ得る。スクランブルされたビットシーケンスは、変調器１０２０により変調シンボルのシーケンスに変調されることができる。変調方式は、ｐｉ／２−ＢＰＳＫ（ｐｉ／２−Ｂｉｎａｒｙ  Ｐｈａｓｅ  Ｓｈｉｆｔ  Ｋｅｙｉｎｇ）、ｍ−ＰＳＫ（ｍ−Ｐｈａｓｅ  Ｓｈｉｆｔ  Ｋｅｙｉｎｇ）、ｍ−ＱＡＭ（ｍ−Ｑｕａｄｒａｔｕｒｅ  Ａｍｐｌｉｔｕｄｅ  Ｍｏｄｕｌａｔｉｏｎ）等を含むことができる。複素変調シンボルのシーケンスは、レイヤーマッパー１０３０により１つ以上の送信レイヤーにマッピングされることができる。各送信レイヤーの変調シンボルは、プリコーダ１０４０により該当アンテナポートにマッピングされることができる（プリコーディング）。プリコーダ１０４０の出力ｚは、レイヤーマッパー１０３０の出力ｙをＮ＊Ｍのプリコーディングの行列Ｗと掛けて得られる。ここで、Ｎは、アンテナポートの数、Ｍは送信レイヤーの数である。ここで、プリコーダ１０４０は、複素変調シンボルに対するトランスフォーム（ｔｒａｎｓｆｏｒｍ）プリコーディング（例、ＤＦＴ変換）を行った以降にプリコーディングを行うことができる。また、プリコーダ１０４０は、トランスフォームのプリコーディングを行わずにプリコーディングを行うことができる。
【０５１３】
リソースマッパー１０５０は、各アンテナポートの変調シンボルを時間−周波数リソースにマッピングすることができる。時間−周波数リソースは、時間ドメインで複数のシンボル（例、ＣＰ−ＯＦＤＭＡシンボル、ＤＦＴ−ｓ−ＯＦＤＭＡシンボル）を含み、周波数ドメインで複数の副搬送波を含むことができる。信号生成器１０６０は、マッピングされた変調シンボルから無線信号を生成し、生成された無線信号は各アンテナを介して他の機器に送信されることができる。このため、信号生成器１０６０は、ＩＦＦＴ（Ｉｎｖｅｒｓｅ  Ｆａｓｔ  Ｆｏｕｒｉｅｒ  Ｔｒａｎｓｆｏｒｍ）モジュール及びＣＰ（Ｃｙｃｌｉｃ  Ｐｒｅｆｉｘ）挿入機、ＤＡＣ（Ｄｉｇｉｔａｌ−ｔｏ−Ａｎａｌｏｇ  Ｃｏｎｖｅｒｔｅｒ）、周波数アップリンク変換器（ｆｒｅｑｕｅｎｃｙ  ｕｐｌｉｎｋ  ｃｏｎｖｅｒｔｅｒ）等を含むことができる。
【０５１４】
無線機器で受信信号のための信号処理過程は、図２４の信号処理過程１０１０〜１０６０の逆で構成されることができる。例えば、無線機器（例、図２３の１００、２００）は、アンテナポート／送受信機を介して外部から無線信号を受信することができる。受信された無線信号は、信号復元器を介してベースバンド信号に変換されることができる。このため、信号復元器は周波数ダウンリンク変換器（ｆｒｅｑｕｅｎｃｙ  ｄｏｗｎｌｉｎｋ  ｃｏｎｖｅｒｔｅｒ）、ＡＤＣ（ａｎａｌｏｇ−ｔｏ−ｄｉｇｉｔａｌ  ｃｏｎｖｅｒｔｅｒ）、ＣＰ除去器、ＦＦＴ（Ｆａｓｔ  Ｆｏｕｒｉｅｒ  Ｔｒａｎｓｆｏｒｍ）モジュールを含むことができる。以降、ベースバンド信号はリソースデマッパー過程、ポストコーディング（ｐｏｓｔｃｏｄｉｎｇ）過程、復調過程及びデスクランブル過程を経てコードワードに復元されることができる。コードワードは、復号（ｄｅｃｏｄｉｎｇ）を経て元の情報ブロックに復元されることができる。従って、受信信号のための信号処理回路（図示せず）は、信号復元器、リソースデマッパー、ポストコーダ、復調器、デスクランブラー、及び復号器を含むことができる。
【０５１５】
本発明が適用される無線機器の活用例
【０５１６】
図２５は、本発明に適用される無線機器の他の例を示す。
【０５１７】
無線機器は、使用例／サービスによって様々な形態で実現されることができる（図２２参照）。図２５を参照すると、無線機器１００、２００は、図２３の無線機器１００、２００に対応し、様々な要素（ｅｌｅｍｅｎｔ）、成分（ｃｏｍｐｏｎｅｎｔ）、ユニット／部（ｕｎｉｔ）、及び／又はモジュール（ｍｏｄｕｌｅ）で構成されることができる。例えば、無線機器１００、２００は、通信部１１０、制御部１２０、メモリ部１３０、及び追加要素１４０を含むことができる。通信部は、通信回路１１２及び送受信機１１４を含むことができる。例えば、通信回路１１２は、図２３の１つ以上のプロセッサ１０２、２０２及び／又は１つ以上のメモリ１０４、２０４を含むことができる。例えば、送受信機１１４は、図２３の１つ以上の送受信機１０６、２０６及び／又は１つ以上のアンテナ１０８、２０８を含むことができる。制御部１２０は、通信部１１０、メモリ部１３０及び追加要素１４０と電気的に連結され、無線機器の諸般動作を制御する。例えば、制御部１２０は、メモリ部１３０に保存されたプログラム／コード／命令／情報に基づいて無線機器の電気的／機械的動作を制御することができる。また、制御部１２０はメモリ部１３０に保存された情報を通信部１１０を介して外部（例、他の通信機器）に無線／有線インターフェースを介して送信するか、通信部１１０を介して外部（例、他の通信機器）から無線／有線インターフェースを介して受信された情報をメモリ部１３０に保存することができる。
【０５１８】
追加要素１４０は、無線機器の種類に応じて様々に構成されることができる。例えば、追加要素１４０は、パワーユニット／バッテリー、入出力部（Ｉ／Ｏ  ｕｎｉｔ）、駆動部及びコンピューティング部のうち少なくとも一つを含むことができる。これに制限されるわけではないが、無線機器はロボット（図２２、１００ａ）、車両（図２２、１００ｂ−１、１００ｂ−２）、ＸＲ機器（図２２、１００ｃ）、携帯機器（図２２、１００ｄ）、家電（図２２、１００ｅ）、ＩｏＴ機器（図２２、１００ｆ）、デジタル放送用端末、ホログラム装置、公共安全装置、ＭＴＣ装置、医療装置、フィンテック装置（又は金融装置）、保安装置、気候／環境装置、ＡＩサーバ／機器（図２２、４００）、基地局（図２２、２００）、ネットワークノードなどの形態で実現されることができる。無線機器は、使用例／サービスによって移動可能であるか、固定された場所で使用されることができる。
【０５１９】
図２５で、無線機器１００、２００内の様々な要素、成分、ユニット／部、及び／又はモジュールは、全体が有線インターフェースを介して相互接続されるか、少なくとも一部が通信部１１０を介して無線で接続されることができる。例えば、無線機器１００、２００内で制御部１２０と通信部１１０は有線で接続され、制御部１２０と第１ユニット（例、１３０、１４０）は通信部１１０を介して無線で接続されることができる。また、無線機器１００、２００内の各要素、成分、ユニット／部、及び／又はモジュールは１つ以上の要素をさらに含むことができる。例えば、制御部１２０は、１つ以上のプロセッサの集合で構成されることができる。例えば、制御部１２０は、通信制御プロセッサ、アプリケーションプロセッサ（Ａｐｐｌｉｃａｔｉｏｎ  ｐｒｏｃｅｓｓｏｒ）、ＥＣＵ（Ｅｌｅｃｔｒｏｎｉｃ  Ｃｏｎｔｒｏｌ  Ｕｎｉｔ）、グラフィック処理プロセッサ、メモリ制御プロセッサなどの集合で構成されることができる。別の例として、メモリ部１３０は、ＲＡＭ（Ｒａｎｄｏｍ  Ａｃｃｅｓｓ  Ｍｅｍｏｒｙ）、ＤＲＡＭ（Ｄｙｎａｍｉｃ  ＲＡＭ）、ＲＯＭ（Ｒｅａｄ  Ｏｎｌｙ  Ｍｅｍｏｒｙ）、フラッシュメモリ（ｆｌａｓｈ  ｍｅｍｏｒｙ）、揮発性メモリ（ｖｏｌａｔｉｌｅ  ｍｅｍｏｒｙ）、不揮発性メモリ（ｎｏｎ−ｖｏｌａｔｉｌｅ  ｍｅｍｏｒｙ）及び／又はこれらの組み合わせで構成されることができる。
【０５２０】
本発明が適用される携帯機器の例
【０５２１】
図２６は、本発明に適用される携帯機器を例示する。
【０５２２】
携帯機器は、スマートフォン、スマートパッド、ウェアラブル機器（例、スマートウォッチ、スマートガラス）、携帯用コンピュータ（例、ノートパソコン等）を含むことができる。携帯機器は、ＭＳ（Ｍｏｂｉｌｅ  Ｓｔａｔｉｏｎ）、ＵＴ（ｕｓｅｒ  ｔｅｒｍｉｎａｌ）、ＭＳＳ（Ｍｏｂｉｌｅ  Ｓｕｂｓｃｒｉｂｅｒ  Ｓｔａｔｉｏｎ）、ＳＳ（Ｓｕｂｓｃｒｉｂｅｒ  Ｓｔａｔｉｏｎ）、ＡＭＳ（Ａｄｖａｎｃｅｄ  Ｍｏｂｉｌｅ  Ｓｔａｔｉｏｎ）又はＷＴ（Ｗｉｒｅｌｅｓｓ  ｔｅｒｍｉｎａｌ）と称される。
【０５２３】
図２６を参照すると、携帯機器１００は、アンテナ部１０８、通信部１１０、制御部１２０、メモリ部１３０、電源供給部１４０ａ、インターフェース部１４０ｂ、及び入出力部１４０ｃを含むことができる。アンテナ部１０８は、通信部１１０の一部として構成され得る。ブロック１１０〜１３０／１４０ａ〜１４０ｃは、各々図２５のブロック１１０〜１３０／１４０に対応する。
【０５２４】
通信部１１０は、他の無線機器、基地局と信号（例、データ、制御信号等）を送受信することができる。制御部１２０は、携帯機器１００の構成要素を制御し、様々な動作を行うことができる。制御部１２０は、ＡＰ（Ａｐｐｌｉｃａｔｉｏｎ  Ｐｒｏｃｅｓｓｏｒ）を含むことができる。メモリ部１３０は、携帯機器１００の駆動に必要なデータ／パラメータ／プログラム／コード／命令を保存することができる。また、メモリ部１３０は、入力／出力されるデータ／情報等を保存することができる。電源供給部１４０ａは、携帯機器１００に電源を供給し、有線／無線充電回路、バッテリー等を含むことができる。インターフェース部１４０ｂは、携帯機器１００と他の外部機器の接続を支援することができる。インターフェース部１４０ｂは、外部機器との接続のための様々なポート（例、オーディオの入力／出力ポート、ビデオの入力／出力ポート）を含むことができる。入出力部１４０ｃは、画像情報／信号、オーディオ情報／信号、データ、及び／又はユーザから入力される情報の入力を受けるか、出力することができる。入出力部１４０ｃは、カメラ、マイクロフォン、ユーザ入力部、ディスプレイ部１４０ｄ、スピーカー及び／又はハプティックモジュール等を含むことができる。
【０５２５】
一例として、データ通信の場合、入出力部１４０ｃは、ユーザから入力された情報／信号（例、タッチ、文字、音声、イメージ、ビデオ）を獲得し、獲得された情報／信号は、メモリ部１３０に保存されることができる。通信部１１０は、メモリに保存された情報／信号を無線信号に変換し、変換された無線信号を他の無線機器に直接送信するか、基地局に送信することができる。また、通信部１１０は、他の無線機器又は基地局から無線信号を受信した後、受信された無線信号を元の情報／信号に復元することができる。復元された情報／信号は、メモリ部１３０に保存された後、入出力部１４０ｃを介して様々な形態（例、文字、音声、イメージ、ビデオ、ハプティック）で出力されることができる。
【０５２６】
以上で説明された実施例は、本発明の構成要素と特徴が所定の形態で結合されたものである。各構成要素又は特徴は、別途の明示的言及がない限り、選択的なものと考慮されるべきである。各構成要素又は特徴は、他の構成要素や特徴と結合されていない形態で実施されることができる。また、一部の構成要素及び／又は特徴を結合し、本発明の実施例を構成することも可能である。本発明の実施例で説明される動作の順序は変更され得る。ある実施例の一部構成や特徴は、他の実施例に含まれることがあり、又は他の実施例の対応する構成又は特徴と入れ替わることがある。特許請求の範囲で明示的な引用関係がない請求項を結合して実施例を構成するか、出願後の補正によって新しい請求項に含ませることができることは自明である。
【０５２７】
本発明にかかる実施例は、様々な手段、例えば、ハードウェア、ファームウェア（ｆｉｒｍｗａｒｅ）、ソフトウェア又はそれらの結合等により実現されることができる。ハードウェアによる実現の場合、本発明の一実施例は、一つ又はそれ以上のＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）、プロセッサ、コントローラ、マイクロコントローラ、マイクロプロセッサ等により実現されることができる。
【０５２８】
ファームウェアやソフトウェアによる実現の場合、本発明の一実施例は、以上で説明された機能又は動作を行うモジュール、手続、関数等の形態で実現されることができる。ソフトウェアコードはメモリに保存され、プロセッサによって駆動されることができる。前記メモリは、前記プロセッサの内部又は外部に位置し、既に公知となった様々な手段により前記プロセッサとデータをやり取りすることができる。
【０５２９】
本発明は、本発明の必須の特徴を外れない範囲で他の特定の形態で具体化できることは通常の技術者にとって自明である。従って、前記の詳細な説明は、全ての面で制限的に解釈されてはならず、例示的なものと考慮されるべきである。本発明の範囲は、添付された請求項の合理的解釈によって決定されるべきであり、本発明の等価的範囲内での全ての変更は、本発明の範囲に含まれる。
【産業上の利用可能性】
【０５３０】
本発明は、３ＧＰＰ  ＬＴＥ／ＬＴＥ−Ａ／ＮＲシステムに適用される例を中心に説明しているが、３ＧＰＰ  ＬＴＥ／ＬＴＥ−Ａ／ＮＲシステム以外にも様々な無線通信システムに適用することが可能である。
【図１】
2021516461.tif 000210
【図２】
2021516461.tif 000211
【図３】
2021516461.tif 000212
【図４】
2021516461.tif 000213
【図５】
2021516461.tif 000214
【図６】
2021516461.tif 000215
【図７】
2021516461.tif 000216
【図８】
2021516461.tif 000217
【図９】
2021516461.tif 000218
【図１０】
2021516461.tif 000219
【図１１】
2021516461.tif 000220
【図１２】
2021516461.tif 000221
【図１３】
2021516461.tif 000222
【図１４】
2021516461.tif 000223
【図１５】
2021516461.tif 000224
【図１６】
2021516461.tif 000225
【図１７】
2021516461.tif 000226
【図１８】
2021516461.tif 000227
【図１９】
2021516461.tif 000228
【図２０】
2021516461.tif 000229
【図２１】
2021516461.tif 000230
【図２２】
2021516461.tif 000231
【図２３】
2021516461.tif 000232
【図２４】
2021516461.tif 000233
【図２５】
2021516461.tif 000234
【図２６】
2021516461.tif 000235
【国際調査報告】
2021516461.tif 000236
2021516461.tif 000237
2021516461.tif 000238
2021516461.tif 000239